(57)【要約】      （修正有）【課題】  硬貨包装機の作動を頻繁に停止させることなく、効率よく、硬貨を包装して、包装硬貨ロールを生成することができる硬貨包装機を提供する。【解決手段】  硬貨包装機は、着脱可能に取り付けられた包装硬貨収納ボックス４０を備え、包装硬貨収納ボックス４０は、第一の包装硬貨収納サブボックス４０ａおよび第二の包装硬貨収納サブボックス４０ｂを備えた第一の包装硬貨収納サブボックスグループと、第三の包装硬貨収納サブボックス４０ｃおよび第四の包装硬貨収納サブボックス４０ｄを備えた第二の包装硬貨収納サブボックスグループとに物理的に分割されており、第一の包装硬貨収納サブボックス４０ａおよび第二の包装硬貨収納サブボックス４０ｂが、それぞれ、第一の開口部４１および第二の開口部４２の下方に位置するように、硬貨包装機内の第一の位置に取り付け可能に構成される。【選択図】      図１
2006202185.tif 000002
【特許請求の範囲】
【請求項１】
硬貨を投入可能な上部ホッパ手段と、前記上部ホッパ手段を介して、投入された硬貨を受け、回転によって生じた遠心力によって、１枚ずつ、送り出す回転円板と、前記回転円板から送り出された硬貨を、１枚ずつ、搬送する硬貨通路と、前記硬貨通路の終端部に接続され、包装すべき所定枚数の硬貨を集積して、集積硬貨を生成する硬貨集積手段と、前記硬貨集積手段によって生成された集積硬貨の周囲に、包装用フイルムを巻回して、集積硬貨を包装し、包装すべき所定枚数の硬貨を含む包装硬貨ロールを生成する硬貨包装手段とを備えた硬貨包装機であって、さらに、前記硬貨包装機に着脱可能に取り付けられた包装硬貨収納ボックスと、前記包装硬貨収納ボックスに対向するように設けられた第一の開口部および第二の開口部と、前記硬貨包装手段によって生成された包装硬貨ロールを、前記第一の開口部あるいは前記第二の開口部に選択的に送る包装硬貨分配手段と、前記第一の開口部および前記第二の開口部に付随して設けられ、前記第一の開口部および前記第二の開口部内に、前記包装硬貨ロールが存在するか否かを検出して、包装硬貨検出信号を出力する第一の包装硬貨センサおよび第二の包装硬貨センサと、前記回転円板、前記硬貨集積手段、前記硬貨包装手段および前記包装硬貨分配手段を制御する制御手段を備え、前記包装硬貨収納ボックスが、前記硬貨包装機内の第一の位置に取り付け可能で、かつ、その向きが反転されて、前記硬貨包装機内の第二の位置に取り付け可能に構成されるとともに、前記包装硬貨収納ボックスが、第一の包装硬貨収納サブボックスおよび第二の包装硬貨収納サブボックスを備えた第一の包装硬貨収納サブボックスグループと、第三の包装硬貨収納サブボックスおよび第四の包装硬貨収納サブボックスを備えた第二の包装硬貨収納サブボックスグループとに物理的に分割され、前記包装硬貨収納ボックスが前記硬貨包装機内の前記第一の位置に取り付けられたときに、前記第一の開口部および前記第二の開口部の下方に、それぞれ、前記第一の包装硬貨収納サブボックスおよび前記第二の包装硬貨収納サブボックスが位置し、前記包装硬貨収納ボックスが前記硬貨包装機内の前記第二の位置に取り付けられたときに、前記第一の開口部および前記第二の開口部の下方に、それぞれ、前記第三の包装硬貨収納サブボックスおよび前記第四の包装硬貨収納サブボックスが位置するように、前記包装硬貨収納ボックスが前記硬貨包装機内に取り付けられ、さらに、硬貨包装機が、前記包装硬貨収納ボックスが前記硬貨包装機内の前記第一の位置に取り付けられているか、前記第二の位置に取り付けられているかを検出して、包装ボックス位置検出信号を出力する包装ボックスセンサを備え、前記制御手段が、前記第一の包装硬貨センサおよび前記第二の包装硬貨センサから入力される包装硬貨検出信号および前記包装ボックスセンサから入力される包装ボックス位置検出信号に基づいて、前記第一の包装硬貨収納サブボックス、第二の包装硬貨収納サブボックス、第三の包装硬貨収納サブボックスおよび前記第四の包装硬貨収納サブボックスの中から、前記硬貨包装手段によって生成された包装硬貨ロールを収納すべき包装硬貨収納サブボックスを決定し、前記包装硬貨分配手段を制御して、こうして決定した前記包装硬貨収納サブボックス内に、前記硬貨包装手段によって生成された包装硬貨ロールを収納させるように構成されたことを特徴とする硬貨包装機。
【請求項２】
さらに、アラームを発するアラーム手段および／またはメッセージを表示する表示手段を備え、前記制御手段が、前記第一の包装硬貨センサおよび前記第二の包装硬貨センサから、包装硬貨検出信号が入力されたときに、前記アラーム手段にアラームを発生させ、および／または、前記表示手段に、前記硬貨包装手段によって生成された包装硬貨ロールを収納することができる包装硬貨収納サブボックスがない旨のメッセージを表示させるように構成されたことを特徴とする請求項１に記載の硬貨包装機。
【請求項３】
さらに、オペレータによって操作され、信号を入力可能な入力手段を備え、前記制御手段が、前記包装ボックスセンサから出力された包装ボックス位置検出信号に基づいて、前記包装硬貨収納ボックスが前記第一の位置に取り付けられているか、あるいは、前記第二の位置に取り付けられているかを判定し、前記包装硬貨収納ボックスが前記第一の位置に取り付けられていると判定したときは、生成されるべき包装硬貨ロールが、前記第一の包装硬貨収納サブボックスおよび前記第二の包装硬貨収納サブボックスの一方に収納可能である旨を、前記表示手段に表示し、前記包装硬貨収納ボックスが前記第二の位置に取り付けられていると判定したときは、生成されるべき包装硬貨ロールが、前記第三の包装硬貨収納サブボックスおよび前記第四の包装硬貨収納サブボックスの一方に収納可能である旨を、前記表示手段に表示するように構成され、さらに、オペレータが前記入力手段に入力した包装硬貨収納サブボックス指定信号により、前記硬貨包装手段によって生成された包装硬貨ロールを収納すべき包装硬貨収納サブボックスが指定されたときに、前記第一の包装硬貨センサおよび前記第二の包装硬貨センサのいずれから、包装硬貨検出信号が入力されているかに基づいて、前記入力手段に入力された包装硬貨収納サブボックス指定信号により指定された包装硬貨収納サブボックス内に、前記硬貨包装手段によって生成された包装硬貨ロールを収納することができるか否かを判定し、前記入力手段に入力された包装硬貨収納サブボックス指定信号により指定された包装硬貨収納サブボックス内に、前記硬貨包装手段によって生成された包装硬貨ロールを収納することができると判定したときは、前記入力手段に入力された包装硬貨収納サブボックス指定信号により指定された包装硬貨収納サブボックスを、前記硬貨包装手段によって生成された包装硬貨ロールを収納すべき包装硬貨収納サブボックスとして決定し、一方、前記入力手段に入力された包装硬貨収納サブボックス指定信号により指定された包装硬貨収納サブボックス内に、前記硬貨包装手段によって生成された包装硬貨ロールを収納することができないと判定したときは、同じ包装硬貨収納サブボックスグループに属する他の包装硬貨収納ボックスで、対応する包装硬貨センサから包装硬貨検出信号が入力されていない包装硬貨収納ボックスを、前記硬貨包装手段によって生成された包装硬貨ロールを収納すべき包装硬貨収納ボックスとして、決定するように構成されたことを特徴とする請求項２に記載の硬貨包装機。
【請求項４】
さらに、前記制御手段が、前記入力手段に入力された包装硬貨収納サブボックス指定信号により指定された包装硬貨収納ボックス内に、前記硬貨包装手段によって生成された包装硬貨ロールを収納することができると判定したときは、前記表示手段に、決定された包装硬貨収納サブボックスを表示させ、一方、前記入力手段に入力された包装硬貨収納サブボックス指定信号により指定された包装硬貨収納サブボックス内に、前記硬貨包装手段によって生成された包装硬貨ロールを収納することができないと判定したときは、前記アラーム手段にアラームを発生させ、および／または、前記表示手段に、前記入力手段に入力された指示信号により指定された包装硬貨収納サブボックス内に、包装硬貨ロールを収納することができない旨を報知するメッセージおよび同じ包装硬貨収納サブボックスグループに属する他の包装硬貨収納ボックスを指定するように、オペレータに促すメッセージを表示させるように構成されたことを特徴とする請求項３に記載の硬貨包装機。
【請求項５】
生成されるべき包装硬貨ロールが、前記第一の包装硬貨収納サブボックスおよび前記第二の包装硬貨収納サブボックスの一方に収納可能である旨を、前記表示手段に表示し、あるいは、生成されるべき包装硬貨ロールが、前記第三の包装硬貨収納サブボックスおよび前記第四の包装硬貨収納サブボックスの一方に収納可能である旨を、前記表示手段に表示した後、所定時間にわたって、オペレータによって、前記入力手段に、包装硬貨収納サブボックス指定信号が入力されないときに、前記制御手段が、前記第一の包装硬貨センサおよび前記第二の包装硬貨センサから入力される包装硬貨検出信号に基づき、あらかじめ定められた順序にしたがって、前記硬貨包装手段によって生成された包装硬貨ロールを収納すべき包装硬貨収納サブボックスを決定するように構成されたことを特徴とする請求項３または４に記載の硬貨包装機。
【請求項６】
さらに、前記制御手段が、前記第一の包装硬貨センサおよび前記第二の包装硬貨センサの双方から、包装硬貨検出信号が入力されているときは、前記アラーム手段にアラームを発生させ、および／または、前記表示手段に、前記包装硬貨収納ボックスを取り外し、前記包装硬貨収納ボックスの向きを反転させて、再度、前記包装硬貨収納ボックスを取り付けるように、オペレータに促すメッセージを表示させるように構成されたことを特徴とする請求項３ないし５のいずれか１項に記載の硬貨包装機。
【請求項７】
前記包装硬貨収納ボックスが、硬貨包装機の本体の下部に取り付けられ、さらに、硬貨包装機の本体の上部に、上部開口部を有する少なくとも１つの上部包装硬貨収納ボックスを備えたことを特徴とする請求項１ないし６のいずれか１項に記載の硬貨包装機。
【請求項８】
さらに、上部開口部内に、前記包装硬貨ロールが存在するか否かを検出して、包装硬貨検出信号を出力する上部包装硬貨センサを備え、前記制御手段が、前記第一の包装硬貨センサおよび前記第二の包装硬貨センサから入力される包装硬貨検出信号に基づき、前記第一の開口部あるいは前記第二の開口部の下方に位置している前記第一の包装硬貨収納サブボックスおよび前記第二の包装硬貨収納サブボックスあるいは前記第三の包装硬貨収納サブボックスおよび前記第四の包装硬貨収納サブボックス内に、生成されるべき包装硬貨ロールを収納させることができないと判定し、前記上部包装硬貨センサから入力される包装硬貨検出信号に基づき、前記少なくとも１つの上部包装硬貨収納ボックス内に、生成されるべき包装硬貨ロールを収納させることができると判定したときは、前記少なくとも１つの上部包装硬貨収納ボックス内に、生成されるべき包装硬貨ロールを収納させるべき旨を決定し、前記表示手段に、前記少なくとも１つの上部包装硬貨収納ボックス内に、生成されるべき包装硬貨ロールを収納させるべき旨を、前記表示手段に表示させ、一方、前記少なくとも１つの上部包装硬貨収納ボックス内にも、生成されるべき包装硬貨ロールを収納させることができないと判定したときは、前記アラーム手段にアラームを発生させ、および／または、前記表示手段に、生成されるべき包装硬貨ロールを収納させることができない旨を表示させるとともに、前記包装硬貨収納ボックスを取り外し、前記包装硬貨収納ボックスの向きを反転させて、再度、前記包装硬貨収納ボックスを取り付けるように、オペレータに促すメッセージおよび／または前記少なくとも１つの上部包装硬貨収納ボックス内に収納された包装硬貨ロールを取り出すように、オペレータに促すメッセージを表示させるように構成されたことを特徴とする請求項７に記載の硬貨包装機。
【請求項９】
さらに、硬貨包装機の本体の上部に、それぞれ、開口部を備えた２つの上部包装硬貨収納ボックスを備えたことを特徴とする請求項７または８に記載の硬貨包装機。
【請求項１０】
さらに、前記硬貨通路に設けられ、硬貨の特性を検出して、硬貨検出信号を出力するセンサ手段と、前記硬貨通路に設けられ、硬貨を回収可能な硬貨回収手段と、前記硬貨回収手段によって回収された硬貨を収容可能な下部ホッパと、前記下部ホッパに収容された硬貨を、前記上部ホッパ内に移送する硬貨リフトを備え、前記入力手段が、包装すべき硬貨の金種を指定する指示信号を入力可能に構成されるとともに、前記制御手段が、前記センサ手段から出力された硬貨検出信号に基づいて、前記センサ手段によって検出された硬貨の金種が、前記入力手段に入力された指示信号により指定された包装すべき硬貨の金種と一致するか否かを判別し、前記センサ手段によって検出された硬貨の金種が、前記入力手段に入力された指示信号により指定された包装すべき硬貨の金種と一致しないと判別したときに、前記硬貨回収手段を駆動して、その金種が、前記入力手段に入力された指示信号により指定された包装すべき硬貨の金種と一致しないと判別した硬貨を、前記下部ホッパに導いて、収容させるように構成されたことを特徴とする請求項１ないし９のいずれか１項に記載の硬貨包装機。
【請求項１１】
前記制御手段が、前記硬貨包装手段に、前記上部ホッパに投入された硬貨を、金種別に、順次、包装させて、包装硬貨ロールを生成させ、前記硬貨包装手段によって生成された包装硬貨ロールが、前記複数の包装硬貨収納サブボックスのうち、包装された硬貨の金種別に、異なる包装硬貨収納サブボックス内に収納されるように、前記包装硬貨分配手段を制御するように構成されたことを特徴とする請求項１０に記載の硬貨包装機。
【請求項１２】
前記制御手段が、前記硬貨包装手段によって生成された包装硬貨ロールを、前記複数の包装硬貨収納サブボックスのうち、異なる包装硬貨収納ボックス内に収納するのに先立って、前記アラーム手段にアラームを発生させ、および／または、前記表示手段に、前記硬貨包装手段によって生成された包装硬貨ロールを、異なる包装硬貨収納サブボックス内に収納する旨のメッセージを表示させるように構成されたことを特徴とする請求項１１に記載の硬貨包装機。
【請求項１３】
さらに、前記硬貨包装手段によって生成され、前記包装硬貨分配手段から分配された包装硬貨ロールを、前記少なくとも１つの上部包装硬貨収納ボックスに向けて、移送する包装硬貨リフトを備えたことを特徴とする請求項７ないし１３のいずれか１項に記載の硬貨包装機。
【発明の詳細な説明】
【技術分野】
【０００１】
本発明は、硬貨包装機に関するものであり、さらに詳細には、硬貨包装機の作動を頻繁に停止させることなく、効率よく、硬貨を包装して、包装硬貨ロールを生成することができる硬貨包装機に関するものである。
【背景技術】
【０００２】
投入された硬貨を、１枚ずつ、搬送して、所定の金種を有する硬貨のみを選別し、所定の金種を有する所定枚数の硬貨を集積した後、包装シートによって巻回し、ロール状の包装硬貨ロールを生成する硬貨包装機が知られている。
【０００３】
このようにして生成された包装硬貨ロールは、硬貨包装機の下部に着脱可能に取り付けられた包装硬貨回収ボックス内に収納され、オペレータによって回収される。
【０００４】
この場合、包装硬貨回収ボックス内が、生成された包装硬貨ロールによって満たされたか否かは、生成された包装硬貨ロールを包装硬貨回収ボックス内に送り込むために、硬貨包装機に設けられた開口部に、センサを設け、センサによって、開口部内に、生成された包装硬貨ロールが存在するか否かを判定することによって、判定され、包装硬貨回収ボックス内が、生成された包装硬貨ロールによって満たされたと判定したときは、硬貨包装機の作動を停止させて、包装硬貨収納ボックスを硬貨包装機から取り出し、包装硬貨収納ボックス内に収納されている包装硬貨ロールを回収するように構成されている。
【発明の開示】
【発明が解決しようとする課題】
【０００５】
しかしながら、硬貨包装機の下部に着脱可能に取り付けられた包装硬貨収納ボックス内に、生成された包装硬貨ロールを収納し、回収する硬貨包装機にあっては、包装硬貨収納ボックス内に収納された包装硬貨ロールが、硬貨包装機の開口部の下方で、積み重ねられて、盛り上がり、包装硬貨収納ボックス内に、さらに、包装硬貨ロールを収納させることが可能であるにもかかわらず、センサによって、包装硬貨ロールが検出され、包装硬貨収納ボックス内が、生成された包装硬貨ロールによって満たされたと判定されやすく、したがって、硬貨包装機の作動を頻繁に停止させて、包装硬貨収納ボックス内に収納されている包装硬貨ロールを回収することが必要であり、きわめて不効率であるという問題があった。
【０００６】
したがって、本発明は、硬貨包装機の作動を頻繁に停止させることなく、効率よく、硬貨を包装して、包装硬貨ロールを生成することができる硬貨包装機を提供することを目的とするものである。
【課題を解決するための手段】
【０００７】
本発明のかかる目的は、硬貨を投入可能な上部ホッパ手段と、前記上部ホッパ手段を介して、投入された硬貨を受け、回転によって生じた遠心力によって、１枚ずつ、送り出す回転円板と、前記回転円板から送り出された硬貨を、１枚ずつ、搬送する硬貨通路と、前記硬貨通路の終端部に接続され、包装すべき所定枚数の硬貨を集積して、集積硬貨を生成する硬貨集積手段と、前記硬貨集積手段によって生成された集積硬貨の周囲に、包装用フイルムを巻回して、集積硬貨を包装し、包装すべき所定枚数の硬貨を含む包装硬貨ロールを生成する硬貨包装手段とを備えた硬貨包装機であって、さらに、前記硬貨包装機に着脱可能に取り付けられた包装硬貨収納ボックスと、前記包装硬貨収納ボックスに対向するように設けられた第一の開口部および第二の開口部と、前記硬貨包装手段によって生成された包装硬貨ロールを、前記第一の開口部あるいは前記第二の開口部に選択的に送る包装硬貨分配手段と、前記第一の開口部および前記第二の開口部に付随して設けられ、前記第一の開口部および前記第二の開口部内に、前記包装硬貨ロールが存在するか否かを検出して、包装硬貨検出信号を出力する第一の包装硬貨センサおよび第二の包装硬貨センサと、前記回転円板、前記硬貨集積手段、前記硬貨包装手段および前記包装硬貨分配手段を制御する制御手段を備え、前記包装硬貨収納ボックスが、前記硬貨包装機内の第一の位置に取り付け可能で、かつ、その向きが反転されて、前記硬貨包装機内の第二の位置に取り付け可能に構成されるとともに、前記包装硬貨収納ボックスが、第一の包装硬貨収納サブボックスおよび第二の包装硬貨収納サブボックスを備えた第一の包装硬貨収納サブボックスグループと、第三の包装硬貨収納サブボックスおよび第四の包装硬貨収納サブボックスを備えた第二の包装硬貨収納サブボックスグループとに物理的に分割され、前記包装硬貨収納ボックスが前記硬貨包装機内の前記第一の位置に取り付けられたときに、前記第一の開口部および前記第二の開口部の下方に、それぞれ、前記第一の包装硬貨収納サブボックスおよび前記第二の包装硬貨収納サブボックスが位置し、前記包装硬貨収納ボックスが前記硬貨包装機内の前記第二の位置に取り付けられたときに、前記第一の開口部および前記第二の開口部の下方に、それぞれ、前記第三の包装硬貨収納サブボックスおよび前記第四の包装硬貨収納サブボックスが位置するように、前記包装硬貨収納ボックスが前記硬貨包装機内に取り付けられ、さらに、硬貨包装機が、前記包装硬貨収納ボックスが前記硬貨包装機内の前記第一の位置に取り付けられているか、前記第二の位置に取り付けられているかを検出して、包装ボックス位置検出信号を出力する包装ボックスセンサを備え、前記制御手段が、前記第一の包装硬貨センサおよび前記第二の包装硬貨センサから入力される包装硬貨検出信号および前記包装ボックスセンサから入力される包装ボックス位置検出信号に基づいて、前記第一の包装硬貨収納サブボックス、第二の包装硬貨収納サブボックス、第三の包装硬貨収納サブボックスおよび前記第四の包装硬貨収納サブボックスの中から、前記硬貨包装手段によって生成された包装硬貨ロールを収納すべき包装硬貨収納サブボックスを決定し、前記包装硬貨分配手段を制御して、こうして決定した前記包装硬貨収納サブボックス内に、前記硬貨包装手段によって生成された包装硬貨ロールを収納させるように構成されたことを特徴とする硬貨包装機によって達成される。
【０００８】
硬貨包装機に着脱可能に取り付けられた包装硬貨収納ボックス内に、生成された包装硬貨ロールを収納し、回収する硬貨包装機にあっては、包装硬貨収納ボックス内に収納された包装硬貨ロールが、硬貨包装機の開口部の下方で、積み重ねられて、盛り上がり、包装硬貨収納ボックス内に、さらに、包装硬貨ロールを収納させることが可能であるにもかかわらず、センサによって、包装硬貨ロールが検出され、包装硬貨収納ボックス内が、生成された包装硬貨ロールによって満たされたと判定されやすく、したがって、硬貨包装機の作動を頻繁に停止させて、包装硬貨収納ボックス内に収納されている包装硬貨ロールを回収することが必要であり、きわめて不効率であるという問題があるが、本発明によれば、包装硬貨収納ボックスが、硬貨包装機内の第一の位置に取り付け可能で、かつ、その向きが反転されて、硬貨包装機内の第二の位置に取り付け可能に構成されるとともに、包装硬貨収納ボックスが、第一の包装硬貨収納サブボックスおよび第二の包装硬貨収納サブボックスを備えた第一の包装硬貨収納サブボックスグループと、第三の包装硬貨収納サブボックスおよび第四の包装硬貨収納サブボックスを備えた第二の包装硬貨収納サブボックスグループとに物理的に分割され、包装硬貨収納ボックスが硬貨包装機内の第一の位置に取り付けられたときに、第一の開口部および第二の開口部の下方に、それぞれ、第一の包装硬貨収納サブボックスおよび第二の包装硬貨収納サブボックスが位置し、包装硬貨収納ボックスが硬貨包装機内の第二の位置に取り付けられたときに、第一の開口部および第二の開口部の下方に、それぞれ、第三の包装硬貨収納サブボックスおよび第四の包装硬貨収納サブボックスが位置するように、包装硬貨収納ボックスが硬貨包装機内に取り付けられるから、包装硬貨ロールは、第一の包装硬貨収納サブボックス、第二の包装硬貨収納サブボックス、第三の包装硬貨収納サブボックスあるいは第四の包装硬貨収納サブボックス内に、別個に収納され、したがって、第一の包装硬貨収納サブボックス、第二の包装硬貨収納サブボックス、第三の包装硬貨収納サブボックスあるいは第四の包装硬貨収納サブボックス内に収納された包装硬貨ロールが、第一の開口部あるいは第二の開口部の下方に、積み重ねられて、盛り上がり、第一の包装硬貨センサあるいは第二の包装硬貨センサから入力される包装硬貨検出信号に基づいて、第一の包装硬貨収納サブボックス、第二の包装硬貨収納サブボックス、第三の包装硬貨収納サブボックスあるいは第四の包装硬貨収納サブボックス内に、これ以上、包装硬貨ロールを収納させることができないと判定されても、サブボックスに分割されていない同じ内容積の包装硬貨収納ボックス内に、包装硬貨ロールを収納する場合に比して、より多くの包装硬貨ロールを収納させることが可能になるから、硬貨包装機の作動を頻繁に停止させることなく、効率よく、硬貨を包装して、包装硬貨ロールを生成することが可能になる。
【０００９】
また、本発明によれば、硬貨包装機は、包装硬貨ロールを収納する第一の包装硬貨収納サブボックス、第二の包装硬貨収納サブボックス、第三の包装硬貨収納サブボックスおよび第四の包装硬貨収納サブボックスを備え、制御手段が、第一の包装硬貨センサおよび第二の包装硬貨センサから入力される包装硬貨検出信号および包装ボックスセンサから入力される包装ボックス位置検出信号に基づいて、第一の包装硬貨収納サブボックス、第二の包装硬貨収納サブボックス、第三の包装硬貨収納サブボックスおよび第四の包装硬貨収納サブボックスの中から、硬貨包装手段によって生成された包装硬貨ロールを収納すべき包装硬貨収納サブボックスを決定し、包装硬貨分配手段を制御して、こうして決定した前記包装硬貨収納サブボックス内に、硬貨包装手段によって生成された包装硬貨ロールを収納させるように構成されているから、生成された包装硬貨ロールを、確実に、包装硬貨ロールを収納する余裕がある包装硬貨収納サブボックス内に収納させることができ、硬貨包装機の作動を頻繁に停止させることなく、効率よく、硬貨を包装して、包装硬貨ロールを生成することが可能になる。
【００１０】
本発明の好ましい実施態様においては、硬貨包装機は、さらに、アラームを発するアラーム手段および／またはメッセージを表示する表示手段を備え、前記制御手段が、前記第一の包装硬貨センサおよび前記第二の包装硬貨センサから、包装硬貨検出信号が入力されたときに、前記アラーム手段にアラームを発生させ、および／または、前記表示手段に、前記硬貨包装手段によって生成された包装硬貨ロールを収納することができる包装硬貨収納サブボックスがない旨のメッセージを表示させるように構成されている。
【００１１】
本発明のさらに好ましい実施態様においては、硬貨包装機は、さらに、オペレータによって操作され、信号を入力可能な入力手段を備え、前記制御手段が、前記包装ボックスセンサから出力された包装ボックス位置検出信号に基づいて、前記包装硬貨収納ボックスが前記第一の位置に取り付けられているか、あるいは、前記第二の位置に取り付けられているかを判定し、前記包装硬貨収納ボックスが前記第一の位置に取り付けられていると判定したときは、生成されるべき包装硬貨ロールが、前記第一の包装硬貨収納サブボックスおよび前記第二の包装硬貨収納サブボックスの一方に収納可能である旨を、前記表示手段に表示し、前記包装硬貨収納ボックスが前記第二の位置に取り付けられていると判定したときは、生成されるべき包装硬貨ロールが、前記第三の包装硬貨収納サブボックスおよび前記第四の包装硬貨収納サブボックスの一方に収納可能である旨を、前記表示手段に表示するように構成され、さらに、オペレータが前記入力手段に入力した包装硬貨収納サブボックス指定信号により、前記硬貨包装手段によって生成された包装硬貨ロールを収納すべき包装硬貨収納サブボックスが指定されたときに、前記第一の包装硬貨センサおよび前記第二の包装硬貨センサのいずれから、包装硬貨検出信号が入力されているかに基づいて、前記入力手段に入力された包装硬貨収納サブボックス指定信号により指定された包装硬貨収納サブボックス内に、前記硬貨包装手段によって生成された包装硬貨ロールを収納することができるか否かを判定し、前記入力手段に入力された包装硬貨収納サブボックス指定信号により指定された包装硬貨収納サブボックス内に、前記硬貨包装手段によって生成された包装硬貨ロールを収納することができると判定したときは、前記入力手段に入力された包装硬貨収納サブボックス指定信号により指定された包装硬貨収納サブボックスを、前記硬貨包装手段によって生成された包装硬貨ロールを収納すべき包装硬貨収納サブボックスとして決定し、一方、前記入力手段に入力された包装硬貨収納サブボックス指定信号により指定された包装硬貨収納サブボックス内に、前記硬貨包装手段によって生成された包装硬貨ロールを収納することができないと判定したときは、同じ包装硬貨収納サブボックスグループに属する他の包装硬貨収納ボックスで、対応する包装硬貨センサから包装硬貨検出信号が入力されていない包装硬貨収納ボックスを、前記硬貨包装手段によって生成された包装硬貨ロールを収納すべき包装硬貨収納ボックスとして、決定するように構成されている。
【００１２】
本発明のさらに好ましい実施態様においては、さらに、前記制御手段が、前記入力手段に入力された包装硬貨収納サブボックス指定信号により指定された包装硬貨収納ボックス内に、前記硬貨包装手段によって生成された包装硬貨ロールを収納することができると判定したときは、前記表示手段に、決定された包装硬貨収納サブボックスを表示させ、一方、前記入力手段に入力された包装硬貨収納サブボックス指定信号により指定された包装硬貨収納サブボックス内に、前記硬貨包装手段によって生成された包装硬貨ロールを収納することができないと判定したときは、前記アラーム手段にアラームを発生させ、および／または、前記表示手段に、前記入力手段に入力された指示信号により指定された包装硬貨収納サブボックス内に、包装硬貨ロールを収納することができない旨を報知するメッセージおよび同じ包装硬貨収納サブボックスグループに属する他の包装硬貨収納ボックスを指定するように、オペレータに促すメッセージを表示させるように構成されている。
【００１３】
本発明のさらに好ましい実施態様においては、生成されるべき包装硬貨ロールが、前記第一の包装硬貨収納サブボックスおよび前記第二の包装硬貨収納サブボックスの一方に収納可能である旨を、前記表示手段に表示し、あるいは、生成されるべき包装硬貨ロールが、前記第三の包装硬貨収納サブボックスおよび前記第四の包装硬貨収納サブボックスの一方に収納可能である旨を、前記表示手段に表示した後、所定時間にわたって、オペレータによって、前記入力手段に、包装硬貨収納サブボックス指定信号が入力されないときに、前記制御手段が、前記第一の包装硬貨センサおよび前記第二の包装硬貨センサから入力される包装硬貨検出信号に基づき、あらかじめ定められた順序にしたがって、前記硬貨包装手段によって生成された包装硬貨ロールを収納すべき包装硬貨収納サブボックスを決定するように構成されている。
【００１４】
本発明のさらに好ましい実施態様においては、さらに、前記制御手段が、前記第一の包装硬貨センサおよび前記第二の包装硬貨センサの双方から、包装硬貨検出信号が入力されているときは、前記アラーム手段にアラームを発生させ、および／または、前記表示手段に、前記包装硬貨収納ボックスを取り外し、前記包装硬貨収納ボックスの向きを反転させて、再度、前記包装硬貨収納ボックスを取り付けるように、オペレータに促すメッセージを表示させるように構成されている。
【００１５】
本発明のさらに好ましい実施態様によれば、制御手段が、第一の包装硬貨センサおよび第二の包装硬貨センサの双方から、包装硬貨検出信号が入力され、第一の開口部および第二の開口部の下方に位置している第一の包装硬貨収納サブボックスおよび第二の包装硬貨収納サブボックスあるいは第三の包装硬貨収納サブボックスおよび第四の包装硬貨収納サブボックス内に、生成されるべき包装硬貨ロールを収納させることができないと判定したときに、アラーム手段にアラームを発生させ、および／または、表示手段に、包装硬貨収納ボックスを取り外し、包装硬貨収納ボックスの向きを反転させて、再度、包装硬貨収納ボックスを取り付けるように、オペレータに促すメッセージを表示させるように構成されているから、包装硬貨ロールを収納させることができる包装硬貨収納サブボックスがなくなり、硬貨包装機の作動を停止させる必要がある場合にのみ、硬貨包装機の作動を停止させればよく、硬貨包装機の作動を頻繁に停止させることなく、効率よく、硬貨を包装して、包装硬貨ロールを生成することが可能になる。
【００１６】
本発明のさらに好ましい実施態様においては、前記包装硬貨収納ボックスが、硬貨包装機の本体の下部に取り付けられ、さらに、硬貨包装機の本体の上部に、上部開口部を有する少なくとも１つの上部包装硬貨収納ボックスを備えている。
【００１７】
本発明のさらに好ましい実施態様によれば、包装硬貨収納ボックスが、硬貨包装機の本体の下部に取り付けられ、さらに、硬貨包装機の本体の上部に、少なくとも１つの上部包装硬貨収納ボックスを備えているから、オペレータは、包装硬貨ロールを回収しやすい包装硬貨収納ボックスを選択して、包装硬貨ロールを収納させることが可能になる。
【００１８】
本発明のさらに好ましい実施態様においては、硬貨包装機は、さらに、上部開口部内に、前記包装硬貨ロールが存在するか否かを検出して、包装硬貨検出信号を出力する上部包装硬貨センサを備え、前記制御手段が、前記第一の包装硬貨センサおよび前記第二の包装硬貨センサから入力される包装硬貨検出信号に基づき、前記第一の開口部あるいは前記第二の開口部の下方に位置している前記第一の包装硬貨収納サブボックスおよび前記第二の包装硬貨収納サブボックスあるいは前記第三の包装硬貨収納サブボックスおよび前記第四の包装硬貨収納サブボックス内に、生成されるべき包装硬貨ロールを収納させることができないと判定し、前記上部包装硬貨センサから入力される包装硬貨検出信号に基づき、前記少なくとも１つの上部包装硬貨収納ボックス内に、生成されるべき包装硬貨ロールを収納させることができると判定したときは、前記少なくとも１つの上部包装硬貨収納ボックス内に、生成されるべき包装硬貨ロールを収納させるべき旨を決定し、前記表示手段に、前記少なくとも１つの上部包装硬貨収納ボックス内に、生成されるべき包装硬貨ロールを収納させるべき旨を、前記表示手段に表示させ、一方、前記少なくとも１つの上部包装硬貨収納ボックス内にも、生成されるべき包装硬貨ロールを収納させることができないと判定したときは、前記アラーム手段にアラームを発生させ、および／または、前記表示手段に、生成されるべき包装硬貨ロールを収納させることができない旨を表示させるとともに、前記包装硬貨収納ボックスを取り外し、前記包装硬貨収納ボックスの向きを反転させて、再度、前記包装硬貨収納ボックスを取り付けるように、オペレータに促すメッセージおよび／または前記少なくとも１つの上部包装硬貨収納ボックス内に収納された包装硬貨ロールを取り出すように、オペレータに促すメッセージを表示させるように構成されている。
【００１９】
本発明のさらに好ましい実施態様においては、硬貨包装機は、さらに、硬貨包装機の本体の上部に、それぞれ、開口部を備えた２つの上部包装硬貨収納ボックスを備えている。
【００２０】
本発明のさらに好ましい実施態様においては、硬貨包装機は、さらに、前記硬貨通路に設けられ、硬貨の特性を検出して、硬貨検出信号を出力するセンサ手段と、前記硬貨通路に設けられ、硬貨を回収可能な硬貨回収手段と、前記硬貨回収手段によって回収された硬貨を収容可能な下部ホッパと、前記下部ホッパに収容された硬貨を、前記上部ホッパ内に移送する硬貨リフトを備え、前記入力手段が、包装すべき硬貨の金種を指定する指示信号を入力可能に構成されるとともに、前記制御手段が、前記センサ手段から出力された硬貨検出信号に基づいて、前記センサ手段によって検出された硬貨の金種が、前記入力手段に入力された指示信号により指定された包装すべき硬貨の金種と一致するか否かを判別し、前記センサ手段によって検出された硬貨の金種が、前記入力手段に入力された指示信号により指定された包装すべき硬貨の金種と一致しないと判別したときに、前記硬貨回収手段を駆動して、その金種が、前記入力手段に入力された指示信号により指定された包装すべき硬貨の金種と一致しないと判別した硬貨を、前記下部ホッパに導いて、収容させるように構成されている。
【００２１】
本発明のさらに好ましい実施態様によれば、硬貨包装機は、さらに、硬貨通路に設けられ、硬貨の特性を検出して、硬貨検出信号を出力するセンサ手段と、硬貨通路に設けられ、硬貨を回収可能な硬貨回収手段と、硬貨回収手段によって回収された硬貨を収容可能な下部ホッパと、下部ホッパに収容された硬貨を、上部ホッパ内に移送する硬貨リフトを備え、入力手段が、包装すべき硬貨の金種を指定する指示信号を入力可能に構成されるとともに、制御手段が、センサ手段から出力された硬貨検出信号に基づいて、センサ手段によって検出された硬貨の金種が、入力手段に入力された指示信号により指定された包装すべき硬貨の金種と一致するか否かを判別し、センサ手段によって検出された硬貨の金種が、入力手段に入力された指示信号により指定された包装すべき硬貨の金種と一致しないと判別したときに、硬貨回収手段を駆動して、その金種が、入力手段に入力された指示信号により指定された包装すべき硬貨の金種と一致しないと判別した硬貨を、下部ホッパに導いて、収容させるように構成されているから、硬貨包装機内に投入された硬貨のうち、入力手段に入力された指示信号により指定された包装すべき硬貨の金種と異なる金種の硬貨を、硬貨回収手段によって、下部ホッパ内に回収し、硬貨リフトによって、上部ホッパ内に送ることによって、入力手段に入力された指示信号により指定された包装すべき金種の硬貨の包装に引き続き、入力手段に入力された指示信号により指定された包装すべき金種以外の硬貨を包装して、包装硬貨ロールを生成し、包装硬貨ボックス内に収納させることができ、したがって、入力手段に入力された指示信号により指定された包装すべき金種以外の硬貨を、一旦、回収し、改めて、上部ホッパに投入することなく、硬貨包装機の投入されたすべての金種の硬貨を包装して、包装硬貨ロールを生成し、包装硬貨ボックス内に収納させることが可能になる。
【００２２】
本発明のさらに好ましい実施態様においては、前記制御手段が、前記硬貨包装手段に、前記上部ホッパに投入された硬貨を、金種別に、順次、包装させて、包装硬貨ロールを生成させ、前記硬貨包装手段によって生成された包装硬貨ロールが、前記複数の包装硬貨収納サブボックスのうち、包装された硬貨の金種別に、異なる包装硬貨収納サブボックス内に収納されるように、前記包装硬貨分配手段を制御するように構成されている。
【００２３】
本発明のさらに好ましい実施態様によれば、制御手段が、硬貨包装手段によって生成された包装硬貨ロールが、複数の包装硬貨収納サブボックスのうち、包装された硬貨の金種別に、異なる包装硬貨収納サブボックス内に収納されるように構成されているから、きわめて容易に、包装硬貨ロールを、金種別に回収することが可能になる。
【００２４】
本発明のさらに好ましい実施態様においては、前記制御手段が、前記硬貨包装手段によって生成された包装硬貨ロールを、前記複数の包装硬貨収納サブボックスのうち、異なる包装硬貨収納サブボックス内に収納するのに先立って、前記アラーム手段にアラームを発生させ、および／または、前記表示手段に、前記硬貨包装手段によって生成された包装硬貨ロールを、異なる包装硬貨収納サブボックス内に収納する旨のメッセージを表示させるように構成されている。
【００２５】
本発明のさらに好ましい実施態様においては、硬貨包装機は、さらに、前記硬貨包装手段によって生成され、前記包装硬貨分配手段から分配された包装硬貨ロールを、前記少なくとも１つの上部包装硬貨収納ボックスに向けて、移送する包装硬貨リフトを備えている。
【発明の効果】
【００２６】
本発明によれば、硬貨包装機の作動を頻繁に停止させることなく、効率よく、硬貨を包装して、包装硬貨ロールを生成することができる硬貨包装機を提供することが可能になる。
【発明を実施するための最良の形態】
【００２７】
以下、添付図面に基づいて、本発明の好ましい実施態様につき、詳細に説明を加える。
【００２８】
図１は、本発明の好ましい実施態様にかかる硬貨包装機の略平面図であり、図２は、図１のＡ−Ａ線に沿った略断面図、図３は、図１のＢ−Ｂ線に沿った略断面図である。
【００２９】
図１ないし図３に示されるように、本実施態様にかかる硬貨包装機は、硬貨が投入される上部ホッパ１と、上部ホッパ１の開口部１ａの下方に配置され、上部ホッパ１に投入された硬貨を、上部ホッパ１の開口部１ａを介して、その上面で受け取る第一の回転円板２と、第一の回転円板２に隣接して設けられ、その上面で、第一の回転円板２から送られた硬貨を受け取る第二の回転円板３と、第二の回転円板３に接続された硬貨通路４を備えている。
【００３０】
第一の回転円板２および第二の回転円板３は、駆動手段（図示せず）によって、水平面内で回転可能に構成され、硬貨包装機内の上部ホッパ１内に投入され、上部ホッパ１の開口部１ａを介して、第一の回転円板２上に送られた硬貨は、第一の回転円板２の回転によって生じた遠心力によって、１枚ずつ、第二の回転円板３上に送られる。
【００３１】
第二の回転円板３の周囲には、環状のガイド（図示せず）が設けられており、第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【００３２】
図１ないし図３に示されるように、硬貨通路４には、硬貨通路４の上面と所定の間隔を隔てて、プーリ５ａに巻回されたエンドレスの搬送ベルト５が設けられており、第二の回転円板３から硬貨通路４に送り出された硬貨は、硬貨通路４の上面と搬送ベルト５との間に挟持されつつ、硬貨通路４内を移送される。図３においては、搬送ベルト５は省略されている。
【００３３】
硬貨通路４の両側部には、互いに平行に、一対のガイドレール６ａ、６ｂが設けられており、一対のガイドレール６ａ、６ｂの間隔は、処理すべき最大径の硬貨の径より大きくなるように設定されている。本実施態様においては、ガイドレール６ａは、基準ガイドレールとして機能し、硬貨は、ガイドレール６ａに沿って、硬貨通路４内を搬送されるように、構成されている。
【００３４】
図１に示されるように、硬貨通路４は、方向転換部４ａにおいて、硬貨包装機の本体に沿って、略９０度にわたって、その方向を変えるように配置されており、方向転換部４ａの下流側の硬貨通路４には、硬貨の径、表面パターンなどの光学的データを検出するとともに、硬貨の材質を検出する硬貨検出部７が設けられている。図２および図３においては、硬貨検出部７は省略されている。
【００３５】
図１に示されるように、硬貨検出部７の下流側の硬貨通路４には、少なくとも偽造硬貨や外国硬貨などの受け入れ不能な硬貨を選択的に落下させて、回収する第一の硬貨回収口８が形成され、第一の硬貨回収口８の下流側の硬貨通路４には、所定の金種の硬貨を選択的に落下させて、回収する第二の硬貨回収口９が形成されている。
【００３６】
図１ないし図３に示されるように、硬貨通路４には、一対の集積ドラム１０ａ、１０ｂを備えた硬貨集積部１０が接続され、図１に示されるように、硬貨通路４の終端部には、硬貨が、硬貨集積部１０に送られるのを防止するためのストッパ１１が設けられている。
【００３７】
図４は、ストッパ１１の略斜視図である。
【００３８】
図４に示されるように、ストッパ１１は、円筒を、その軸に平行な平面に沿って、底部が残るように切り欠いて形成され、突出部１１ａと底部１１ｂとを有している。ストッパ１１は、その底部１１ｂの上面が、硬貨通路４の通路上面と同一平面になるように設けられており、通常は、底部１１ｂのみが、硬貨通路４内に位置し、突出部１１ａの底部１１ｂ側の面が、一方のガイドレールの内面と同一平面になるように位置しており、駆動手段（図示せず）によって駆動されたときに、ストッパ１１の回転軸１１ｃが回転され、ストッパ１１の突出部１１ａが、硬貨通路４内に位置して、硬貨が硬貨集積部１０に送られることを妨げるように構成されている。
【００３９】
図１および図３に示されるように、硬貨集積部１０は、回転可能な一対の集積ドラム１０ａ、１０ｂを備え、図２に示されるように、一対の集積ドラム１０ａ、１０ｂの外周には、螺線状の突起１２が形成されている。一対の集積ドラム１０ａ、１０ｂの間隔は、調整可能であり、包装すべき金種の硬貨の径に応じて、あらかじめ、その間隔が調整されている。硬貨集積部１０に送り込まれた硬貨は、一対の集積ドラム１０ａ、１０ｂの外周に形成された螺線状突起１２によって、その周縁部が支持される。
【００４０】
一対の集積ドラム１０ａ、１０ｂは、包装すべき金種の硬貨が、硬貨集積部１０に送り込まれるたびに、所定量だけ、回転するように制御されており、したがって、硬貨集積部１０に送り込まれた硬貨は、一対の集積ドラム１０ａ、１０ｂが回転することによって、次々に、下方に移動される。
【００４１】
図２および図３に示されるように、一対の集積ドラム１０ａ、１０ｂの下方には、シャッタ１３が設けられている。
【００４２】
一対の集積ドラム１０ａ、１０ｂは、包装すべき枚数の硬貨が、硬貨集積部１０に送り込まれ、ストッパ１１が駆動されて、後続する硬貨の搬送が阻止された後も、回転され、シャッタ１３の上面に、所定枚数の集積硬貨が載置された時点で停止される。本実施態様においては、一対の集積ドラム１０ａ、１０ｂが一回転したとき、所定枚数の集積硬貨が、シャッタ１３の上面に載置されるように構成されている。
【００４３】
図１ないし図３に示されるように、硬貨集積部１０の下方には、硬貨集積部１０によって集積された所定枚数の集積硬貨の周囲に、包装用フイルムを巻回して、円筒状の包装硬貨ロールを生成する硬貨包装部２０が設けられている。本実施態様において、硬貨包装部２０は、公知の構成を有している。
【００４４】
図５は、硬貨包装部２０の詳細を示す略平面図である。
【００４５】
図５に示されるように、硬貨包装部２０は、３本の包装ローラ２１、２１、２１と、硬貨集積部１０において集積された所定枚数の集積硬貨を、その上面で支持する硬貨支持ポスト２２と、包装用フイルムロール２３から包装用フイルムを包装ローラ２１、２１、２１に供給する供給ローラ２４と、所定長さの包装用フイルムが、包装ローラ２１、２１、２１に供給された時点で、包装用フイルムを切断するカッタ２５と、集積硬貨に包装用フイルムが巻回された後、包装用フイルムの上下部分を加締める上下一対の加締爪２６、２６（便宜上、図５において、上方に位置する一方の加締爪２６のみが図示されている。）を備えている。
【００４６】
図２に示されるように、硬貨支持ポスト２２は、硬貨の包装時以外は、３本の包装ローラ２１、２１、２１の下方で、かつ、側方に退避しており、所定枚数の包装すべき金種の硬貨が硬貨集積部１０に送られると、移動を開始し、３本の包装ローラ２１、２１、２１の間を上昇し、集積ドラム１０ａ、１０ｂが一回転した時点で、シャッタ１３の直下に位置させられる。
【００４７】
次いで、シャッタ１３が開かれ、シャッタ１３の上面に載置されていた集積硬貨は、硬貨支持ポスト２２の上面に移送される。集積硬貨を受けた後、硬貨支持ポスト２２は、下降を開始し、これと同期して、３本の包装ローラ２１、２１、２１は、回転しつつ、互いに近接するように移動するとともに、供給ローラ２４は、包装用フイルムを包装用フイルムロール２３から引き出して、包装ローラ２１、２１、２１と、集積硬貨との間に供給し、集積硬貨は、包装用フイルムを介して、包装ローラ２１、２１、２１により挟持される。
【００４８】
こうして、集積硬貨の周囲に、所定長さの包装用フイルムが巻回されると、供給ローラ２４の回転が停止され、包装ローラ２１、２１、２１の回転により包装用フイルムに生ずる張力によって、包装用フイルムが、カッタ２５に押し付けられ、切断される。その後、包装用フイルムの上下部分が、加締爪２６、２６により、加締められて、包装硬貨ロールが生成される。
【００４９】
図３に示されるように、第一の硬貨回収口８には、第一の硬貨回収通路３０が接続されており、第一の硬貨回収口８内に落下した硬貨は、第一の硬貨回収通路３０を介して、硬貨回収ボックス３１内に回収されるように構成されている。
【００５０】
硬貨回収ボックス３１は、硬貨包装機から、引き出し可能に構成され、硬貨回収ボックス３１内に回収された硬貨は、硬貨回収ボックス３１を硬貨包装機から引き出すことによって、硬貨包装機から、回収されるように構成されている。
【００５１】
一方、図３に示されるように、第二の硬貨回収口９には、第二の硬貨回収通路３２が接続されており、第二の硬貨回収口９内に落下した硬貨は、第二の硬貨回収通路３２を介して、下部ホッパ３５内に回収されるように構成されている。
【００５２】
下部ホッパ３５は、処理すべき硬貨を下部ホッパ３５内に投入し、下部ホッパ３５内に回収された硬貨を、硬貨包装機から取り出すことが可能なように、硬貨包装機の外部から、アクセス可能に構成されている。
【００５３】
下部ホッパ３５の底部は、図３において、右に向かって、徐々に、その高さが高くなるように配置されたエンドレスの搬送ベルト３６によって形成されており、下部ホッパ３５と上部ホッパ１との間には、搬送ベルト３６から、硬貨を受け取り可能に設けられたエンドレスの硬貨リフトベルト３７が設けられている。図３に示されるように、硬貨リフトベルト３７には、複数の櫛歯状の突起３７ａが形成されている。
【００５４】
搬送ベルト３６は、間欠的に駆動可能であり、搬送ベルト３６を間欠的に駆動することによって、下部ホッパ３５内に収容され、搬送ベルト３６上に保持された硬貨は、１枚づつ、包装硬貨リフトベルト３７に送られ、硬貨リフトベルト３７の櫛歯状の突起３７ａによって、その下縁が係止され、硬貨リフトベルト３７の面に、硬貨面が沿った状態で、下部ホッパ３５から上部ホッパ１に向けて搬送されるように構成されている。
【００５５】
硬貨リフトベルト３７の上端部近傍には、硬貨リフトベルト３７の櫛歯状の突起３７ａにより係止されつつ、搬送される硬貨の上縁と当接可能な位置に、スクレイパープレート（図示せず）が設けられており、下部ホッパ３５から、上部ホッパ１に向けて、搬送されてきた硬貨は、スクレイパープレートによって、硬貨リフトベルト３７から掻き落とされる。
【００５６】
図１ないし図３に示されるように、硬貨リフトベルト３７の上部近傍には、上部ホッパ１の硬貨投入口の上方にまで延びるエンドレスの供給ベルト３８が設けられており、スクレイパープレートによって、硬貨リフトベルト３７から掻き落とされた硬貨は、供給ベルト３８上に落下し、上部ホッパ１内に供給されるように構成されている。
【００５７】
さらに、図１ないし図３に示されるように、硬貨包装機の下部には、硬貨包装部２０によって生成された包装硬貨ロールを収納する包装硬貨収納ボックス４０が、着脱可能に取り付けられている。
【００５８】
図２および図３において、４６は、床面であり、４７は、硬貨包装機を支持するキャスターである。
【００５９】
図６は、包装硬貨収納ボックス４０の略斜視図である。
【００６０】
図１および図６に示されるように、本実施態様においては、包装硬貨収納ボックス４０は、互いに直角に交差する２つの板状部材４５ａ、４５ｂを備えた仕切り部材４５によって、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄに分割されている。
【００６１】
本実施態様においては、第一の包装硬貨収納サブボックス４０ａおよび第二の包装硬貨収納サブボックス４０ｂによって、第一の包装硬貨収納サブボックスグループを構成し、第三の包装硬貨収納サブボックス４０ｃおよび第四の包装硬貨収納サブボックス４０ｄが、第二の包装硬貨収納サブボックスグループを構成している。
【００６２】
包装硬貨収納ボックス４０は、向きを変えて、硬貨包装機に取り付けることができ、図１に示されるように、第一の包装硬貨収納サブボックスグループを構成する第一の包装硬貨収納サブボックス４０ａおよび第二の包装硬貨収納サブボックス４０ｂが、硬貨包装機内に位置するように、硬貨包装機に取り付け、あるいは、第二の包装硬貨収納サブボックスグループを構成する第三の包装硬貨収納サブボックス４０ｃおよび第四の包装硬貨収納サブボックス４０ｄが、硬貨包装機内に位置するように、硬貨包装機に取り付けることができるように構成されている。
【００６３】
したがって、本実施態様においては、第一の包装硬貨収納サブボックスグループが、硬貨包装機内に位置するように、硬貨包装機に取り付けられているときは、生成された包装硬貨ロールが、第一の包装硬貨収納サブボックス４０ａあるいは第二の包装硬貨収納サブボックス４０ｂ内に、選択的に収納され、第二の包装硬貨収納サブボックスグループが、硬貨包装機内に位置するように、硬貨包装機に取り付けられているときは、生成された包装硬貨ロールが、第三の包装硬貨収納サブボックス４０ｃあるいは第四の包装硬貨収納サブボックス４０ｄ内に、選択的に収納される。
【００６４】
本実施態様においては、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄは、それぞれの内部空間が、略同一の容積を有し、硬貨包装機に、包装硬貨収納ボックス４０をセットする方向の長さが、生成すべき包装硬貨ロールのうち、最大の長さを有する包装硬貨ロールよりもわずかに大きくなるように、仕切り部材４５によって形成されている。
【００６５】
さらに、本実施態様においては、図１に示されるように、第一の包装硬貨収納サブボックスグループを構成する第一の包装硬貨収納サブボックス４０ａおよび第二の包装硬貨収納サブボックス４０ｂが、硬貨包装機内に位置するように、包装硬貨収納ボックス４０が硬貨包装機に取り付けられているときは、第二の包装硬貨収納サブボックスグループを構成する第三の包装硬貨収納サブボックス４０ｃおよび第四の包装硬貨収納サブボックス４０ｄの内部空間が、硬貨包装機の外部に、アクセス可能に露出し、オペレータが、第三の包装硬貨収納サブボックス４０ｃおよび／または第四の包装硬貨収納サブボックス４０ｄ内に収納されている包装硬貨ロールを取り出すことができ、一方、第二の包装硬貨収納サブボックスグループを構成する第三の包装硬貨収納サブボックス４０ｃおよび第四の包装硬貨収納サブボックス４０ｄが、硬貨包装機内に位置するように、包装硬貨収納ボックス４０が硬貨包装機に取り付けられているときは、第一の包装硬貨収納サブボックスグループを構成する第一の包装硬貨収納サブボックス４０ａおよび第二の包装硬貨収納サブボックス４０ｂの内部空間が、硬貨包装機の外部に、アクセス可能に露出し、オペレータが、第一の包装硬貨収納サブボックス４０ａおよび／または第二の包装硬貨収納サブボックス４０ｂ４０ｄ内に収納されている包装硬貨ロールを取り出すことができるように、硬貨硬貨収納ボックス４０のサイズおよび硬貨包装機内の取り付け位置が決定されている。
【００６６】
図６に示されるように、包装硬貨収納ボックス４０の第一の包装硬貨収納サブボックス４０ａおよび第二の包装硬貨収納サブボックス４０ｂ側の外壁面には、硬貨包装機に設けられた光学センサ（図示せず）によって検出可能な第一の識別子４８ａが取り付けられ、包装硬貨収納ボックス４０の第三の包装硬貨収納サブボックス４０ｃおよび第四の包装硬貨収納サブボックス４０ｄ側の外壁面には、光学センサによって検出可能な第二の識別子４８ｂが取り付けられている。
【００６７】
したがって、包装硬貨収納ボックス４０が、第一の取り付け位置に位置し、第一の包装硬貨収納サブボックスグループを構成する第一の包装硬貨収納サブボックス４０ａおよび第二の包装硬貨収納サブボックス４０ｂが硬貨包装機内に位置しているときは、光学センサによって、第一の識別子４８ａが検出され、包装硬貨収納ボックス４０が、第二の取り付け位置に位置し、第二の包装硬貨収納サブボックスグループを構成する第三の包装硬貨収納サブボックス４０ｃおよび第四の包装硬貨収納サブボックス４０ｄが硬貨包装機内に位置しているときは、光学センサによって、第二の識別子４８ｂが検出されるから、光学センサの識別子検出信号に基づいて、包装硬貨収納ボックス４０が、第一の取り付け位置に位置しているか、第二の取り付け位置に位置しているかを判定することができる。
【００６８】
本実施態様においては、第一の識別子４８ａおよび第二の識別子４８ｂは、たとえば、バーコードによって構成されている。
【００６９】
また、本実施態様においては、包装硬貨収納ボックス４０が、第一の取り付け位置に位置するように、硬貨包装機に取り付けられたときは、図１において、第一の包装硬貨収納サブボックス４０ａが右側に位置し、一方、包装硬貨収納ボックス４０が、第二の取り付け位置に位置するように、硬貨包装機に取り付けられたときは、図１において、第三の包装硬貨収納サブボックス４０ｃが右側に位置するように構成され、第一の包装硬貨収納サブボックス４０ａと第三の包装硬貨収納サブボックス４０ｃが互いに対応する位置に位置し、第二の包装硬貨収納サブボックス４０ｂと第四の包装硬貨収納サブボックス４０ｄが互いに対応する位置に位置するように、包装硬貨収納ボックス４０が硬貨包装機にセットされるように構成されている。
【００７０】
さらに、図２に示されるように、包装ローラ２１、２１、２１の下方には、硬貨包装部２０によって生成された包装硬貨ロールが供給されるシュート５０が設けられ、シュート５０の下端部には、シュート５０を介して、硬貨包装部２０によって生成された包装硬貨ロールを受け、包装硬貨ロールを、第一の包装硬貨収納サブボックス４０ａおよび第二の包装硬貨収納サブボックス４０ｂの一方あるいは第三の包装硬貨収納サブボックス４０ｃおよび第四の包装硬貨収納サブボックス４０ｄの一方に向けて、選択的に供給する包装硬貨分配手段（図示せず）が設けられている。
【００７１】
図７は、第一の硬貨回収口８および第二の硬貨回収口９の近傍の硬貨通路４の略平面図である。
【００７２】
図７に示されるように、第一の硬貨回収口８の直上流側の硬貨通路４には、硬貨Ｃの通過を検出するセンサ８ａが設けられ、第一の硬貨回収口８の直下流側の硬貨通路４には、その上を通過した硬貨Ｃの枚数を計数するセンサ８ｂが設けられている。
【００７３】
また、センサ８ａの直下流側で、第一の硬貨回収口８の上流端部に対応するのガイドレール６ａの部分には、切欠き部８ｃが形成され、切欠き部８ｃ内には、四分円状の断面を有する第一の突出部材８ｄが設けられている。
【００７４】
第一の突出部材８ｄは、その平面状の側面が、ガイドレール６ａの内壁と滑らかに連なる退避位置と、その円形壁面が、硬貨通路４内に突出した突出位置との間で、第一のソレノイド（図示せず）によって、略９０度の範囲で、回動可能に構成されている。図７においては、第一の突出部材８ｄが突出位置に回動された状態が示されている。
【００７５】
図７に示されるように、第二の硬貨回収口９の直上流側の硬貨通路４には、硬貨Ｃの通過を検出するセンサ９ａが設けられ、第二の硬貨回収口９の直下流側の硬貨通路４には、その上を通過した硬貨Ｃの枚数を計数するセンサ９ｂが設けられている。
【００７６】
また、センサ９ａの直下流側で、第二の硬貨回収口９の上流端部に対応するガイドレール６ａの部分には、切欠き部９ｃが形成され、切欠き部９ｃ内には、四分円状の断面を有する第二の突出部材９ｄが設けられている。
【００７７】
第二の突出部材９ｄは、その平面状の側面が、ガイドレール６ａの内壁と滑らかに連なる退避位置と、その円形壁面が、硬貨通路４内に突出した突出位置との間で、第二のソレノイド（図示せず）によって、略９０度の範囲で、回動可能に構成されている。図７においては、第二の突出部材９ｄが突出位置に回動された状態が示されている。
【００７８】
図７に示されるように、第一の硬貨回収口８は、ガイドレール６ａの内壁と、第一の硬貨回収口８のガイドレール６ｂ側の縁部との距離Ｌ１が、処理すべき最小径の硬貨の径よりもわずかに小さく、ガイドレール６ａの内壁と突出位置にある第一の突出部材８ｄの先端部との距離Ｌ２が、ガイドレール６ａの内壁と第一の硬貨回収口８のガイドレール６ａ側の縁部との距離Ｌ３よりもわずかに大きくなるように、形成されている。
【００７９】
また、図７に示されるように、第二の硬貨回収口９は、ガイドレール６ａの内壁と、第二の硬貨回収口９のガイドレール６ｂ側の縁部との距離Ｌ４が、処理すべき最小径の硬貨の径よりもわずかに小さく、ガイドレール６ａの内壁と突出位置にある第二の突出部材９ｄの先端部との距離Ｌ５が、ガイドレール６ａの内壁と第二の硬貨回収口９のガイドレール６ａ側の縁部との距離Ｌ６よりもわずかに大きくなるように、形成されている。
【００８０】
図８は、生成された包装硬貨ロールを、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄに選択的に収納させる包装硬貨ロール分配収納機構近傍の略断面図である。
【００８１】
図８に示されるように、シュート５０の下方には、シュート５０を介して、硬貨包装部２０によって生成された包装硬貨ロールを受け、包装硬貨ロールを、第一の包装硬貨収納サブボックス４０ａおよび第二の包装硬貨収納サブボックス４０ｂの一方あるいは第三の包装硬貨収納サブボックス４０ｃおよび第四の包装硬貨収納サブボックス４０ｄの一方に向けて、選択的に送る包装硬貨分配手段５１が設けられ、包装硬貨分配手段５１は、モータ（図示せず）の出力軸に連結された支軸５２に固定された第一の包装硬貨支持部材５３と、硬貨包装機に固定された第二の包装硬貨支持部材５４を備えている。
【００８２】
第一の包装硬貨支持部材５３は、平板を鈍角に折り曲げた構造を有し、支軸５２まわりに揺動可能に構成されており、通常は、図８に示されるように、シュート５０から供給された包装硬貨ロールＣを、支持部５３ａの上面と第二の包装硬貨支持部材５４との間で保持可能な包装硬貨支持位置に保持されている。
【００８３】
図８に示されるように、包装硬貨分配手段５１の下方には、硬貨集積部１０に送られた包装すべき硬貨で、１本の包装硬貨ロールＣに包装すべき枚数に満たない端数硬貨を回収する端数硬貨回収ボックス５５が設けられており、端数硬貨は、包装硬貨分配手段５１から、ガイド板５６を介して、端数硬貨回収ボックス５５内に回収されるように構成されている。
【００８４】
図８に示されるように、包装硬貨収納ボックス４０は、端数硬貨回収ボックス５５の下方において、硬貨包装機に着脱可能に取り付けられており、第一の包装硬貨収納サブボックス４０ａあるいは第三の包装硬貨収納サブボックス４０ｃの上方の硬貨包装機には、包装硬貨ロールＣが通過可能な第一の開口部４１が形成され、第二の包装硬貨収納サブボックス４０ｂあるいは第四の包装硬貨収納サブボックス４０ｄの上方の硬貨包装機には、包装硬貨ロールＣが通過可能な第二の開口部４２が形成されている。
【００８５】
さらに、図８に示されるように、第一の開口部４１には、発光素子と受光素子を備えた第一の包装硬貨センサ４３が設けられ、第一の包装硬貨センサ４２は、第一の包装硬貨収納サブボックス４０ａあるいは第三の包装硬貨収納サブボックス４０ｃ内に収納され、積み重ねられた包装硬貨ロールＣの一部が第一の開口部４１内に存在し、発光素子から発せられた光を、包装硬貨ロールＣが遮り、所定の時間にわたって、受光素子が検出しなくなったときに、すなわち、それ以上、第一の包装硬貨収納サブボックス４０ａあるいは第三の包装硬貨収納サブボックス４０ｃ内に、包装硬貨ロールＣを収納することができなくなったときに、包装硬貨検出信号を出力するように構成されている。
【００８６】
同様に、第二の開口部４２には、発光素子と受光素子を備えた第二の包装硬貨センサ４４が設けられ、第二の包装硬貨センサ４３は、第二の包装硬貨収納サブボックス４０ｂあるいは第四の包装硬貨収納サブボックス４０ｄ内に収納され、積み重ねられた包装硬貨ロールＣの一部が第二の開口部４２内に存在し、発光素子から発せられた光を、包装硬貨ロールＣが遮り、所定の時間にわたって、受光素子が検出しなくなったときに、すなわち、それ以上、第二の包装硬貨収納サブボックス４０ｂあるいは第四の包装硬貨収納サブボックス４０ｄ内に、包装硬貨ロールＣを収納することができなくなったときに、包装硬貨検出信号を出力するように構成されている。
【００８７】
図８に示されるように、包装硬貨分配手段５１と、第一の開口部４１および第二の開口部４２の間には、逆Ｖ字状の板部材によって形成され、包装硬貨ロールＣを、第一の開口部４１あるいは第二の開口部４２に、選択的に導くガイド部材５７が設けられている。ガイド部材５７は、包装硬貨ロールＣを、第一の開口部４１に向けて、ガイドする第一のガイド面５７ａと、包装硬貨ロールＣを、包装硬貨ロールＣを、第二の開口部４２に向けて、ガイドする第二のガイド面５７ｂを備えている。
【００８８】
図９は、硬貨包装部２０によって生成され、シュート５０を介して、包装硬貨分配手段５１に供給された包装硬貨ロールＣを、第一の包装硬貨収納サブボックス４０ａあるいは第三の包装硬貨収納サブボックス４０ｃ内に収納させる場合における包装硬貨分配手段５１を示す略断面図である。
【００８９】
図９に示されるように、硬貨包装部２０によって生成され、シュート５０を介して、包装硬貨分配手段５１に供給された包装硬貨ロールＣを、第一の包装硬貨収納サブボックス４０ａあるいは第三の包装硬貨収納サブボックス４０ｃ内に回収するときは、包装硬貨分配手段５１の第一の包装硬貨支持部材５３が、図８に示された包装硬貨支持位置から、図８および図９において、支軸５２まわりに、時計方向に約１００度ないし１１０度にわたって、揺動される。
【００９０】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【００９１】
こうして、ガイド部材５７の第一のガイド面５７ａ上に導かれた包装硬貨ロールＣは、第一の開口部４１を介して、第一の包装硬貨収納サブボックス４０ａあるいは第三の包装硬貨収納サブボックス４０ｃ内に落下し、第一の包装硬貨収納サブボックス４０ａあるいは第三の包装硬貨収納サブボックス４０ｃ内に収納される。
【００９２】
図１０は、硬貨包装部２０によって生成され、シュート５０を介して、包装硬貨分配手段５１に供給された包装硬貨ロールＣを、第二の包装硬貨収納サブボックス４０ｂあるいは第四の包装硬貨収納サブボックス４０ｄ内に収納させる場合における包装硬貨分配手段５１を示す略断面図である。
【００９３】
図１０に示されるように、硬貨包装部２０によって生成され、シュート５０を介して、包装硬貨分配手段５１に供給された包装硬貨ロールＣを、第二の包装硬貨収納サブボックス４０ｂあるいは第四の包装硬貨収納サブボックス４０ｄ内に回収するときは、まず、図１０において、破線で示されるように、包装硬貨分配手段５１の第一の包装硬貨支持部材５３が、図８に示された包装硬貨支持位置から、図８および図１０において、支軸５２まわりに、時計方向に約６０度ないし７０度にわたって、揺動される。
【００９４】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【００９５】
こうして、包装硬貨ロールＣが、第一の包装硬貨支持部材５３の分配部５３ｂ上に保持されると、図１０において、実線で示されるように、包装硬貨分配手段５１の第一の包装硬貨支持部材５３が、さらに、図８および図１０において、支軸５２まわりに、時計方向に約９０度にわたって、揺動される。
【００９６】
その結果、第一の包装硬貨支持部材５３の分配部５３ｂ上に保持されていた包装硬貨ロールＣは、ガイド部材５７の第二のガイド面５７ｂ上に導かれ、第二の開口部４３を介して、第二の包装硬貨収納サブボックス４０ｂあるいは第四の包装硬貨収納サブボックス４０ｄ内に落下して、第二の包装硬貨収納サブボックス４０ｂあるいは第四の包装硬貨収納サブボックス４０ｄ内に収納される。
【００９７】
図１１は、図１ないし図１０に示された硬貨包装機の制御系、検出系、駆動系、入力系および表示系のブロックダイアグラムである。
【００９８】
図１１に示されるように、本実施態様にかかる硬貨包装機の制御系は、ＣＰＵ７０、硬貨の基準光学データおよび基準材質データを金種別に記憶するとともに、種々の制御プログラムを格納したＲＯＭ７１、オペレータからの指示信号および各検出手段の検出信号を一時的に記憶するＲＡＭ７２、バス７３および種々の信号を入出力するＩ／Ｏポート７４を備えている。
【００９９】
さらに、本実施態様にかかる硬貨包装機の検出系は、図１１に示されるように、硬貨の径、表面パターンなどの光学的データを検出する光学センサ（図示せず）および硬貨の磁気的性質などの材質データを検出する磁気センサ（図示せず）を含む硬貨判別部７と、第一の硬貨回収口８の直上流側の硬貨通路４に設けられた硬貨Ｃの通過を検出するセンサ８ａと、第一の硬貨回収口８の直下流側の硬貨通路４に設けられ、その上を通過した硬貨Ｃの枚数を計数するセンサ８ｂと、第二の硬貨回収口９の直上流側の硬貨通路４に設けられた硬貨Ｃの通過を検出するセンサ９ａと、第二の硬貨回収口９の直下流側の硬貨通路４に設けられ、その上を通過した硬貨Ｃの枚数を計数するセンサ９ｂと、第一の開口部４１に存在する包装硬貨ロールＣを検出する第一の包装硬貨センサ４３と、第二の開口部４２に存在する包装硬貨ロールＣを検出する第二の包装硬貨センサ４４と、包装硬貨収納ボックス４０の外壁面に形成された第一の識別子４８ａあるいは第二の識別子４８ｂを検出する光学センサ６０とを備えている。
【０１００】
ここに、本実施態様においては、第一の包装硬貨収納サブボックス４０ａあるいは第三の包装硬貨収納サブボックス４０ｃ内に収納された包装硬貨ロールＣの一部が、第一の開口部４１内に存在し、それ以上、第一の包装硬貨収納サブボックス４０ａあるいは第三の包装硬貨収納サブボックス４０ｃ内に、包装硬貨ロールＣを収納することができないときには、第一の開口部４１に設けられた第一の包装硬貨センサ４３から、ＣＰＵ７０に包装硬貨検出信号が入力され、第二の包装硬貨収納サブボックス４０ｂあるいは第四の包装硬貨収納サブボックス４０ｄ内に収納された包装硬貨ロールＣの一部が、第二の開口部４２内に存在し、それ以上、第二の包装硬貨収納サブボックス４０ｂあるいは第四の包装硬貨収納サブボックス４０ｄ内に、包装硬貨ロールＣを収納することができないときには、第二の開口部４２に設けられた第二の包装硬貨センサ４４から、ＣＰＵ７０に包装硬貨検出信号が入力されるように構成されている。
【０１０１】
また、本実施態様にかかる硬貨包装機の駆動系は、図１１に示されるように、第一の回転円板２を回転させる第一の回転円板モータ８０と、第二の回転円板３を回転させる第二の回転円板モータ８１と、搬送ベルト５を駆動する搬送ベルトモータ８２と、第一の硬貨回収口８の近傍に設けられた第一の突出部材８ｄを退避位置と突出位置との間で回動させる第一のソレノイド８３と、第二の硬貨回収口９の近傍に設けられた第二の突出部材９ｄを退避位置と突出位置との間で回動させる駆動する第二のソレノイド８４と、硬貨通路４の終端部に設けられたストッパ１１を駆動するストッパソレノイド８５と、一対の集積ドラム１０ａ、１０ｂを回転させる集積ドラムモータ８６と、シャッタ１３を駆動するシャッタソレノイド８７と、硬貨支持ポスト２２を移動させるポスト移動機構８８と、包装ローラ２１、２１、２１を駆動する包装ローラ駆動機構８９と、供給ローラ２４を駆動する供給ローラモータ９０と、一対の加締爪を駆動する加締爪駆動機構９１と、包装硬貨分配手段５１の第一の第一の包装硬貨支持部材５３を駆動する分配手段モータ９２と、下部ホッパ３５の底部を形成する搬送ベルト３６を駆動する下部搬送ベルトモータ９４と、硬貨リフトベルト３７を駆動するリフトモータ９５と、供給ベルト３８を駆動する供給ベルトモータ９６とを備えている。
【０１０２】
さらに、本実施態様にかかる硬貨包装機の入力系は、図１１に示されるように、オペレータにより操作される複数のキーをを含む操作部１００を備え、硬貨包装機の表示系は、液晶ディスプレイパネルや有機ＥＬディスプレイパネルなどによって形成されたディスプレイパネル１０５と、所定の条件が満たされたときに、アラームを発するアラーム手段１０６を備えている。
【０１０３】
以上のように構成された本実施態様にかかる硬貨包装機においては、オペレータが、操作部１００の所定のキーを操作することにより、硬貨包装機に投入された硬貨が、受け入れ可能な硬貨か、偽造硬貨や外国硬貨などの受け入れ不能な硬貨かを判別して、受け入れ不能な硬貨を受け入れ可能な硬貨と別個に回収し、オペレータによって指定された金種の硬貨を包装して、所定枚数の硬貨を含む包装硬貨ロールを生成するとともに、オペレータによって指定された金種以外の金種の硬貨を回収する第一の包装処理モードと、オペレータによって指定された金種の硬貨を包装して、所定枚数の硬貨を含む包装硬貨ロールを生成した後に、オペレータによって指定された金種以外の金種の硬貨を、順次、包装して、所定枚数の硬貨を含む包装硬貨ロールを生成する第二の包装処理モードが選択されるように、構成されており、以下のようにして、硬貨が包装される。
【０１０４】
まず、オペレータによって、包装硬貨回収ボックス４０が、第一の位置あるいは第二の位置に位置するように、第一の包装硬貨収納サブボックスグループを構成する第一の包装硬貨収納サブボックス４０ａおよび第二の包装硬貨収納サブボックス４０ｂあるいは第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置するように、硬貨包装機に取り付けられる。ここに、包装硬貨回収ボックス４０が硬貨包装機に取り付けられるのに先立って、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄ内に収納された包装硬貨ロールＣはすべて取り出される。
【０１０５】
包装硬貨回収ボックス４０が硬貨包装機に取り付けられると、光学センサ６０により、包装硬貨回収ボックス４０の向きに応じて、包装硬貨収納ボックス４０の外壁面に形成された第一の識別子４８ａあるいは第二の識別子４８ｂが検出され、識別子検出信号がＣＰＵ７０に出力される。
【０１０６】
ＣＰＵ７０は、光学センサ６０から、検出信号を受けると、検出信号に基づいて、包装硬貨収納ボックス４０が第一の位置に位置するように、包装硬貨収納ボックス４０が硬貨包装機にセットされているか、あるいは、硬貨収納ボックス４０が第二の位置に位置するように、包装硬貨収納ボックス４０が硬貨包装機にセットされているかを判定して、判定結果をＲＡＭ７２に記憶させるとともに、包装硬貨収納ボックス４０が第一の位置に位置し、第一の包装硬貨収納サブボックスグループを構成する第一の包装硬貨収納サブボックス４０ａおよび第二の包装硬貨収納サブボックス４０ｂが、硬貨包装機内にセットされていると判定したときには、生成された包装硬貨ロールＣを、第一の包装硬貨収納サブボックス４０ａあるいは第二の包装硬貨収納サブボックス４０ｂ内に収納可能である旨を、包装硬貨収納ボックス４０が第二の位置に位置し、第二の包装硬貨収納サブボックスグループを構成する第三の包装硬貨収納サブボックス４０ｃおよび第四の包装硬貨収納サブボックス４０ｄが、硬貨包装機内にセットされていると判定したときは、生成された包装硬貨ロールＣは、第三の包装硬貨収納サブボックス４０ｃあるいは第四の包装硬貨収納サブボックス４０ｄ内に収納可能である旨を、ディスプレイパネル１０５に表示させる。
【０１０７】
本実施態様においては、硬貨の包装処理に際して、まず、包装硬貨収納ボックス４０が第一の位置に位置し、第一の包装硬貨収納サブボックスグループを構成する第一の包装硬貨収納サブボックス４０ａおよび第二の包装硬貨収納サブボックス４０ｂが、硬貨包装機内に位置するように、包装硬貨収納ボックス４０が硬貨包装機にセットされるものと仮定する。
【０１０８】
したがって、オペレータによって、電源スイッチ（図示せず）が操作されて、硬貨包装機の電源がオンされ、さらに、包装硬貨収納ボックス４０が硬貨包装機内にセットされると、光学センサ６０によって、第一の識別子４８ａが検出されて、識別子検出信号がＣＰＵ７０に入力され、ディスプレイパネル１０５には、生成された包装硬貨ロールＣは、第一の包装硬貨収納サブボックスグループを構成する第一の包装硬貨収納サブボックス４０ａあるいは第二の包装硬貨収納サブボックス４０ｂ内に収納可能である旨が表示される。
【０１０９】
次いで、さらに、操作部１００の所定のキーが操作されて、包装すべき硬貨の金種が指定される。
【０１１０】
オペレータによって、操作部１００の所定のキーが操作され、包装すべき硬貨の金種が指定されると、指定された金種を示す金種指定信号が、操作部１００から、ＣＰＵ７０に出力される。
【０１１１】
金種指定信号を受けると、ＣＰＵ７０は、指定された包装すべき硬貨の金種を、ＲＡＭ７２に書き込む。
【０１１２】
次いで、オペレータによって、操作部１００の所定のキーが操作されて、硬貨包装機が処理すべき処理を指定するため、処理モードが指定される。
【０１１３】
オペレータが、操作部１００の所定のキーを操作して、第一の包装処理モードを選択した場合には、第一の包装モード選択信号が、ＣＰＵ７０に出力され、一方、オペレータが、操作部１００の所定のキーを操作して、第二の包装処理モードを選択した場合には、第二の包装モード選択信号が、ＣＰＵ７０に出力される。
【０１１４】
第一の包装モード選択信号あるいは第二の包装モード選択信号を受けると、ＣＰＵ７０は、第一の包装モード選択信号によって指定された第一の包装処理モードあるいは第二の包装モード選択信号によって指定された第二の包装処理モードをＲＡＭ７２に書き込むとともに、オペレータによって、指定された包装すべき硬貨の金種と、指定された包装処理モードを、ディスプレイパネル１０５に表示させる。
【０１１５】
次いで、オペレータによって、操作部１００の所定のキーが操作され、所定枚数の硬貨が包装されて、生成される包装硬貨ロールＣを、第一の包装硬貨収納サブボックス４０ａおよび第二の包装硬貨収納サブボックス４０ｂのいずれに収納すべきかが指示される。
【０１１６】
ここに、硬貨包装機の電源がオンされたときには、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄのいずれにも、包装硬貨ロールＣは収納されていないから、ＣＰＵ７０は、オペレータによって指定された第一の包装硬貨収納サブボックス４０ａあるいは第二の包装硬貨収納サブボックス４０ｂを、包装硬貨ロールＣを収納すべき包装硬貨収納サブボックスとして、決定し、その包装硬貨収納サブボックスについてのデータを格納するＲＡＭ７２のメモリ領域に、その包装硬貨収納サブボックス内に、オペレータによって指定された金種の硬貨の包装硬貨ロールＣを収納する旨を、包装硬貨ロール収納データとして、書き込む。
【０１１７】
本実施態様にかかる硬貨包装機は、オペレータによって、包装硬貨ロールＣを収納すべき包装硬貨収納サブボックスが指定されない場合には、硬貨包装機内に位置している包装硬貨収納サブボックスグループを構成する包装硬貨収納サブボックスの中から、自動的に、包装硬貨ロールＣを収納すべき包装硬貨収納サブボックスを選択して、生成された包装硬貨ロールを収納させるように構成され、したがって、あらかじめ、各包装硬貨収納サブボックスグループごとに、包装硬貨ロールＣを収納する包装硬貨収納サブボックスの順序が決定されて、包装硬貨収納サブボックス選択用データとして、ＲＯＭ７１に記憶されており、オペレータによって、包装硬貨ロールＣを収納すべき包装硬貨収納サブボックスが指定されない場合には、ＣＰＵ７０は、ＲＯＭ７１に記憶された包装硬貨収納サブボックス選択用データにしたがって、第一の包装硬貨収納サブボックスグループを構成する第一の包装硬貨収納サブボックス４０ａおよび第二の包装硬貨収納サブボックス４０ｂの中から、包装硬貨ロールＣを収納すべき包装硬貨収納サブボックスを決定し、その包装硬貨収納サブボックスについてのデータを格納するＲＡＭ７２のメモリ領域に、オペレータによって指定された金種の硬貨の包装硬貨ロールＣが収納される旨を、包装硬貨ロール収納データとして、書き込む。
【０１１８】
こうして、第一の包装硬貨収納サブボックスグループを構成する第一の包装硬貨収納サブボックス４０ａおよび第二の包装硬貨収納サブボックス４０ｂの中から、包装すべき金種の硬貨および生成された包装硬貨ロールを収納すべき包装硬貨収納サブボックスが決定されると、ＣＰＵ７０は、包装すべき硬貨の金種および第一の包装硬貨収納サブボックスグループを構成する第一の包装硬貨収納サブボックス４０ａおよび第二の包装硬貨収納サブボックス４０ｂのうち、生成された包装硬貨ロールを収納すべき包装硬貨収納サブボックスを、ディスプレイパネル１０５に表示させる。
【０１１９】
次いで、オペレータによって、操作部１００の所定のキーが操作されて、スタート信号が入力される。
【０１２０】
スタート信号を受けると、ＣＰＵ７０は、同時に、第一の回転円板モータ８０、第二の回転円板モータ８１および搬送ベルトモータ８２に、それぞれ、駆動信号を出力して、第一の回転円板１および第二の回転円板２を回転させるとともに、搬送ベルト５を駆動させる。
【０１２１】
次いで、ＣＰＵ７０は、硬貨を投入すべき旨を、オペレータに促すメッセージを、ディスプレイパネル１０５に表示させる。
【０１２２】
硬貨を投入すべき旨のメッセージが、ディスプレイパネル１０５に表示されると、オペレータによって、硬貨が硬貨包装機に投入される。
【０１２３】
本実施態様にかかる硬貨包装機は、上部ホッパ１および下部ホッパ３５のいずれかを介して、硬貨包装機に、硬貨を投入することができるように構成されており、硬貨が、上部ホッパ１に投入された場合には、硬貨は、上部ホッパ１の開口部１ａを介して、第一の回転円板２上に落下する。
【０１２４】
これに対して、硬貨が、下部ホッパ３５に投入された場合には、下部ホッパ３５に設けられたセンサ（図示せず）によって、硬貨が、下部ホッパ３５に投入されたことが検出され、硬貨検出信号が、センサから、ＣＰＵ７０に出力される。
【０１２５】
ＣＰＵ７０は、下部ホッパ３５に設けられたセンサから、硬貨検出信号を受け、硬貨が、下部ホッパ３５に投入されたと判定すると、下部搬送ベルトモータ９４、リフトモータ９５および供給ベルトモータ９６に駆動信号を出力して、搬送ベルト３６、硬貨リフトベルト３７および供給ベルト３８を駆動させる。
【０１２６】
その結果、下部ホッパ３５内に投入された硬貨は、下部ホッパ３５の底部を形成する搬送ベルト３６によって、硬貨リフトベルト３７に受け渡される。
【０１２７】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０１２８】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０１２９】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０１３０】
第一の回転円板２上に落下した硬貨は、第一の回転円板２の回転によって生じた遠心力によって、第二の回転円板３上に送られる。
【０１３１】
第二の回転円板３の周囲には、環状のガイド（図示せず）が設けられており、第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【０１３２】
第二の回転円板３から硬貨通路４に送り出された硬貨は、硬貨通路４の上面と搬送ベルト５との間に挟持されつつ、硬貨通路４内を移送される。
【０１３３】
硬貨は、方向転換部４ａにおいて、硬貨包装機の本体に沿って、略９０度にわたって、その搬送方向を変えた後、方向転換部４ａの下流側の硬貨通路４に設けられた硬貨検出部７に送られる。
【０１３４】
図１には図示されていないが、硬貨判別部７は、硬貨の径、表面パターンなどの光学データを検出する光学センサ（図示せず）と、硬貨の磁気的性質などの材質データを検出する磁気センサ（図示せず）を備えており、硬貨判別部７によって、硬貨の光学データおよび材質データが検出され、硬貨判別部７によって、検出された硬貨の光学データおよび材質データは、硬貨判別部７から、ＣＰＵ７０に出力される。
【０１３５】
ＣＰＵ７０は、硬貨判別部７から、硬貨の光学データおよび材質データを受けると、ＲＯＭ７１に、金種別に記憶されている硬貨の基準光学データおよび基準材質データを読み出して、硬貨判別部７から入力された硬貨の光学データおよび材質データと比較し、その硬貨が、受け入れ可能な硬貨か、偽造硬貨や外国硬貨などの受け入れ不能な硬貨かを判別し、受け入れ可能な硬貨であると判別したときは、さらに、その硬貨の金種を判別し、判別結果をＲＡＭ７２に書き込む。
【０１３６】
硬貨が、さらに、硬貨通路４内を下流側に向けて搬送され、センサ８ａによって、その硬貨が検出されると、センサ８ａから、硬貨検出信号がＣＰＵ７０に出力される。
【０１３７】
ＣＰＵ７０は、センサ８ａから、硬貨検出信号を受けると、ＲＡＭ７２に記憶されたその硬貨の判別結果を読み出す。
【０１３８】
その硬貨が、偽造硬貨や外国硬貨などの受け入れ不能な硬貨であると判別され、その旨がＲＡＭ７２に書き込まれていたときは、ＣＰＵ７０は、第一のソレノイド８３に駆動信号を出力して、第一の突出部材８ｄを、ガイドレール６ａ内に退避した退避位置から、硬貨通路４内に突出した突出位置に回動させる。
【０１３９】
その結果、受け入れ不能な硬貨であると判別された硬貨は、第一の突出部材８ｄによって、ガイドレール６ｂに向けて押され、ガイドレール６ａの内壁から離れ、ガイドレール６ａの内壁によってガイドされない状態で、第一の硬貨回収口８に送られる。
【０１４０】
したがって、第一の硬貨回収口８は、ガイドレール６ａの内壁と、突出位置にある第一の突出部材８ｄの先端部との距離Ｌ２が、ガイドレール６ａの内壁と、第一の硬貨回収口８のガイドレール６ａ側の縁部との距離Ｌ３よりもわずかに大きくなるように、形成されているから、偽造硬貨や外国硬貨などの受け入れ能な硬貨であると判別された硬貨は、そのガイドレール６ａ側の縁部が、ガイドレール６ａと第一の硬貨回収口８との間の硬貨通路４の上面で支持されなくなり、第一の硬貨回収口８内に落下し、第一の硬貨回収口８に接続された第一の硬貨回収通路３０を介して、硬貨回収ボックス３１内に回収される。
【０１４１】
これに対して、センサ８ａによって検出された硬貨が、受け入れ可能な硬貨であると判別されていたときは、ＣＰＵ７０は何の信号も出力しない。
【０１４２】
その結果、受け入れ可能な硬貨であると判別された硬貨は、両縁部が、ガイドレール６ａと第一の硬貨回収口８との間の硬貨通路４の上面および第一の硬貨回収口８とガイドレール６ｂとの間の硬貨通路４の上面によって支持されつつ、第一の硬貨回収口８に送られ、第一の硬貨回収口８は、ガイドレール６ａの内壁と、第一の硬貨回収口８のガイドレール６ｂ側の縁部との距離Ｌ１が、処理すべき最小径の硬貨の径よりもわずかに小さくなるように形成されているから、硬貨は、第一の硬貨回収口８内に落下することなく、第一の硬貨回収口８を通過する。
【０１４３】
第一の硬貨回収口８を通過した硬貨は、センサ８ｂ上を通過する。
【０１４４】
その結果、センサ８ｂからＣＰＵ７０に、硬貨検出信号が出力される。
【０１４５】
ＣＰＵ７０は、センサ８ｂから、硬貨検出信号を受けると、ＲＡＭ７２に書き込まれたその硬貨の判別結果を読み出し、その硬貨の金種に対応するＲＡＭ７２のメモリ領域に、センサ８ｂによって検出された硬貨の枚数を書き込む。
【０１４６】
受け入れ可能な硬貨と判別された硬貨は、さらに、硬貨通路４内を下流側に向けて搬送され、センサ９ａによって、その硬貨が検出されると、センサ９ａから、硬貨検出信号がＣＰＵ７０に出力される。
【０１４７】
ＣＰＵ７０は、センサ９ａから、硬貨検出信号を受けると、ＲＡＭ７２に記憶されたその硬貨の判別結果を読み出すとともに、ＲＡＭ７２に記憶された包装すべき硬貨の金種を読み出す。
【０１４８】
ＣＰＵ７０は、ＲＡＭ７２に記憶されたその硬貨の判別結果と、ＲＡＭ７２に記憶された包装すべき硬貨の金種とに基づき、その硬貨の金種が、包装すべき硬貨の金種と一致するか否かを判定する。
【０１４９】
その硬貨の金種が、包装すべき硬貨の金種と一致するか否かを判定した結果、その硬貨の金種が、包装すべき硬貨の金種と一致しないと判定したときは、ＣＰＵ７０は、第二のソレノイド８４に駆動信号を出力して、第二の突出部材９ｄを、ガイドレール６ａ内に退避した退避位置から、硬貨通路４内に突出した突出位置に回動させる。
【０１５０】
その結果、その金種が、包装すべき硬貨の金種と一致しないと判定された硬貨は、第二の突出部材９ｄによって、ガイドレール６ｂに向けて押され、ガイドレール６ａの内壁から離れ、ガイドレール６ａの内壁によってガイドされない状態で、第二の硬貨回収口９に送られる。
【０１５１】
したがって、第二の硬貨回収口９は、ガイドレール６ａの内壁と、突出位置にある第二の突出部材９ｄの先端部との距離Ｌ５が、ガイドレール６ａの内壁と、第二の硬貨回収口９のガイドレール６ａ側の縁部との距離Ｌ６よりもわずかに大きくなるように、形成されているから、その金種が、包装すべき硬貨の金種と一致しないと判定された硬貨は、そのガイドレール６ａ側の縁部が、ガイドレール６ａと第二の硬貨回収口９との間の硬貨通路４の上面で支持されなくなり、第二の硬貨回収口９内に落下し、第二の硬貨回収口９に接続された第二の硬貨回収通路３２を介して、下部ホッパ３５内に回収される。
【０１５２】
これに対して、センサ８ａによって検出された硬貨の金種が、包装すべき硬貨の金種と一致している判別されていたときは、ＣＰＵ７０は何の信号も出力しない。
【０１５３】
その結果、その金種が、包装すべき硬貨の金種と一致していると判定された硬貨は、両縁部が、ガイドレール６ａと第二の硬貨回収口９との間の硬貨通路４の上面および第二の硬貨回収口９とガイドレール６ｂとの間の硬貨通路４の上面によって支持されつつ、第二の硬貨回収口９に送られ、第二の硬貨回収口９は、ガイドレール６ａの内壁と、第二の硬貨回収口９のガイドレール６ｂ側の縁部との距離Ｌ４が、処理すべき最小径の硬貨の径よりもわずかに小さくなるように形成されているから、硬貨は、第二の硬貨回収口９内に落下することなく、第二の硬貨回収口９を通過する。
【０１５４】
硬貨回収口９を通過した硬貨Ｃは、センサ９ｂ上を通過する。
【０１５５】
その結果、センサ９ｂからＣＰＵ７０に、硬貨検出信号が出力される。
【０１５６】
ＣＰＵ７０は、センサ９ｂから、硬貨検出信号を受けると、ＲＡＭ７２に書き込まれたその硬貨の判別結果を読み出して、その硬貨の金種、すなわち、包装すべき硬貨の金種に対応するＲＡＭ７２のメモリ領域に、センサ９ｂによって検出された硬貨の枚数を書き込む。
【０１５７】
包装すべき金種の硬貨は、さらに、硬貨通路４内を、硬貨通路４の終端部に向けて、下流側に送られる。
【０１５８】
硬貨通路４の終端部に達した包装すべき金種の硬貨は、硬貨通路４の終端部に接続された硬貨集積部１０に送られる。
【０１５９】
硬貨集積部１０に送られた包装すべき金種の硬貨は、回転可能な一対の集積ドラム１０ａ、１０ｂの外周に形成された螺線状の突起１２により、その周縁部が支持される。
【０１６０】
ＣＰＵ７０は、包装すべき金種の硬貨が硬貨集積部１０に送り込まれるタイミングで、集積ドラムモータ８６に駆動信号を出力し、一対の集積ドラム１０ａ、１０ｂを所定量だけ、回転させ、硬貨を下方に移動させる。
【０１６１】
同様にして、包装すべき金種の硬貨は、第一の回収口８および第二の回収口９を通過し、センサ９ｂを通過するたびに、ＣＰＵ７０によって、ＲＡＭ７２に記憶された包装すべき金種の硬貨の枚数が更新されて、次々に、硬貨通路４から、硬貨集積部１０内に送り込まれる。
【０１６２】
一対の集積ドラム１０ａ、１０ｂは、ＣＰＵ７０によって、包装すべき金種の硬貨が、硬貨集積部１０に送り込まれるたびに、所定量だけ、回転するように制御されており、したがって、回転可能な一対の集積ドラム１０ａ、１０ｂの外周に形成された螺線状の突起１２により、その周縁部が支持された硬貨は、一対の集積ドラム１０ａ、１０ｂが回転することによって、次々に、下方に移動され、一対の集積ドラム１０ａ、１０ｂの間に、包装すべき金種の硬貨が集積される。
【０１６３】
こうして、次々に、包装すべき金種の硬貨が、硬貨集積部１０内に送り込まれた結果、ＲＡＭ７２内に記憶された包装すべき金種の硬貨の枚数が、包装すべき枚数に等しくなったと判定すると、ＣＰＵ７０は、ＲＡＭ７２に書き込まれた包装すべき金種の硬貨の枚数をゼロにセットするとともに、ＣＰＵ７０は、ストッパソレノイド８５に駆動信号を出力して、硬貨通路４の終端部に設けられたストッパ１１の回転軸１１ｃを回転させ、ストッパ１１の突出部１１ａを硬貨通路４内に位置させる。
【０１６４】
同時に、ＣＰＵ７０は、第一の回転円板モータ８０、第二の回転円板モータ８１および搬送ベルトモータ８２に駆動停止信号を出力し、第一の回転円板２および第二の回転円板３の回転を停止させるとともに、搬送ベルト５を停止させる。
【０１６５】
その結果、後続する硬貨が硬貨集積部１０に送られることが防止される。
【０１６６】
こうして、包装すべき所定枚数の硬貨が、一対の集積ドラム１０ａ、１０ｂの間に集積された後も、ＣＰＵ７０から、集積ドラムモータ８５に駆動信号が出力され、一対の集積ドラム１０ａ、１０ｂが一回転し、シャッタ１３の上面に、所定枚数の集積硬貨が載置された時点で、一対の集積ドラム１０ａ、１０ｂの回転が停止される。
【０１６７】
所定枚数の包装すべき金種の硬貨が硬貨集積部１０に送られると、ＣＰＵ７０は、ポスト移動機構８８に駆動信号を出力して、硬貨支持ポスト２２を、一対の集積ドラム１０ａ、１０ｂが一回転した時点で、シャッタ１３の直下の待機位置に位置するように、３本の包装ローラ２１、２１、２１の間を上昇させ、硬貨支持ポスト２２がシャッタ１３の直下の待機位置に達すると、ポスト移動機構８８に駆動停止信号を出力する。
【０１６８】
ポスト移動機構８８に駆動停止信号を出力すると、ＣＰＵ７０は、シャッタソレノイド８７に駆動信号を出力して、シャッタ１３を開き、シャッタ１３の上面に載置されていた集積硬貨は、硬貨支持ポスト２２の上面に移送される。
【０１６９】
次いで、ＣＰＵ７０は、再び、ポスト移動機構８８に駆動信号を出力して、硬貨支持ポスト２２を、３本の包装ローラ２１、２１、２１の間を下降させるとともに、包装ローラ駆動機構８９に駆動信号を出力して、３本の包装ローラ２１、２１、２１を、回転させつつ、互いに近接するように移動させる。
【０１７０】
硬貨支持ポスト２２が、包装用フイルムを、集積硬貨の周囲に巻回して、集積硬貨を包装可能な包装位置に達すると、ＣＰＵ７０は、ポスト移動機構８８に駆動停止信号を出力するとともに、供給ローラモータ９０に駆動信号を出力して、供給ローラ２４に、包装用フイルムを包装用フイルムロール２３から引き出させ、包装ローラ２１、２１、２１と、集積硬貨との間に供給させる。
【０１７１】
その結果、集積硬貨は、包装用フイルムを介して、包装ローラ２１、２１、２１により挟持される。
【０１７２】
さらに、包装ローラ２１、２１、２１および供給ローラ２４が回転されて、集積硬貨の周囲に、所定長さの包装用フイルムが巻回されると、ＣＰＵ７０は、供給ローラモータ９０に駆動停止信号を出力して、供給ローラ２４の回転を停止させる。
【０１７３】
供給ローラ２４の回転が停止された後も、包装ローラ２１、２１、２１は回転され、包装ローラ２１、２１、２１の回転により包装用フイルムに生ずる張力によって、包装用フイルムが、カッタ２５に押し付けられて、切断される。
【０１７４】
次いで、ＣＰＵ７０は、加締爪駆動機構９１に駆動信号を出力して、一対の加締爪（図示せず）によって、集積硬貨の周囲に巻回された包装用フイルムの上下端部を加締め、所定枚数の包装すべき金種の硬貨が、包装用フイルムによって、円筒状に包装された包装硬貨ロールＣを生成する。
【０１７５】
包装硬貨ロールＣが生成されると、ＣＰＵ７０は、加締爪駆動機構９１に駆動信号を出力して、一対の加締爪を、包装ローラ２１、２１、２１の間から、退避した退避位置に移動させるとともに、ポスト移動機構８８に駆動信号を出力して、硬貨支持ポスト２２を、包装ローラ２１、２１、２１の間から、退避した退避位置に移動させ、次いで、包装ローラ駆動機構８９に駆動信号を出力して、３本の包装ローラ２１、２１、２１の回転を停止させるとともに、３本の包装ローラ２１、２１、２１を互いに離間させる。
【０１７６】
その結果、包装硬貨ロールＣは、包装ローラ２１、２１、２１の下方に設けられたシュート５０内に落下し、第一の包装硬貨支持部材５３の支持部５３ａの上面と第二の包装硬貨支持部材５４との間に保持される。
【０１７７】
次いで、包装硬貨ロールＣは、オペレータの指示あるいはＣＰＵ７０の選択にしたがって、包装硬貨分配手段５１により、第一の包装硬貨収納サブボックス４０ａおよび第二の包装硬貨収納サブボックス４０ｂのいずれかに向けて、送られる。
【０１７８】
オペレータが、包装硬貨ロールＣを収納すべき包装硬貨収納サブボックスとして、第一の包装硬貨収納サブボックス４０ａを指定し、あるいは、ＲＯＭ７１に記憶された包装硬貨収納サブボックス選択用データにしたがって、ＣＰＵ７０が、包装硬貨ロールＣを収納すべき包装硬貨収納サブボックスとして、第一の包装硬貨収納サブボックス４０ａを選択し、その旨が、ＲＡＭ７２に書き込まれている場合には、包装硬貨ロールＣが生成されると、ＣＰＵ７０は、分配手段モータ９２に第一の駆動信号を出力して、包装硬貨分配手段５１の第一の包装硬貨支持部材５３を、図８に示された包装硬貨支持位置から、図８および図９において、支軸５２まわりに、時計方向に約１００度ないし１１０度にわたって、揺動させる。
【０１７９】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【０１８０】
ガイド部材５７の第一のガイド面５７ａ上に導かれた包装硬貨ロールＣは、第一の開口部４１を介して、第一の包装硬貨収納サブボックス４０ａ内に落下し、第一の包装硬貨収納サブボックス４０ａ内に収納される。
【０１８１】
これに対して、オペレータが、包装硬貨ロールＣを収納すべき包装硬貨収納サブボックスとして、第二の包装硬貨収納サブボックス４０ｂを指定し、あるいは、ＲＯＭ７１に記憶された包装硬貨収納ボックス選択用データにしたがって、ＣＰＵ７０が、包装硬貨ロールＣを収納すべき包装硬貨収納サブボックスとして、第二の包装硬貨収納サブボックス４０ｂを選択し、その旨が、ＲＡＭ７２に書き込まれている場合には、包装硬貨ロールＣが生成されると、ＣＰＵ７０は、分配手段モータ９２に第二の駆動信号を出力して、図１０において、破線で示されるように、包装硬貨分配手段５１の第一の包装硬貨支持部材５３を、図８に示された包装硬貨支持位置から、図８および図１０において、支軸５２まわりに、時計方向に約６０度ないし７０度にわたって、揺動させる。
【０１８２】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【０１８３】
こうして、包装硬貨ロールＣが、第一の包装硬貨支持部材５３の分配部５３ｂ上に保持されると、ＣＰＵ７０は、分配手段モータ９２に第三の駆動信号を出力して、図１０において、破線で示されるように、包装硬貨分配手段５１の第一の包装硬貨支持部材５３を、さらに、図８および図１０において、支軸５２まわりに、時計方向に約９０度にわたって、揺動させる。
【０１８４】
その結果、第一の包装硬貨支持部材５３の分配部５３ｂ上に保持されていた包装硬貨ロールＣは、ガイド部材５７の第二のガイド面５７ｂ上に導かれる。
【０１８５】
ガイド部材５７の第二のガイド面５７ｂ上に導かれた包装硬貨ロールＣは、第二の開口部４２を介して、第二の包装硬貨収納サブボックス４０ｂ内に落下して、第二の包装硬貨収納サブボックス４０ｂ内に収納される。
【０１８６】
同様にして、硬貨包装機に投入され、オペレータによって、包装すべき金種の硬貨として指定された所定枚数の硬貨が、包装されて、包装硬貨ロールＣが生成され、オペレータの指示あるいはＣＰＵ７０の選択にしたがって、第一の包装硬貨収納サブボックスグループを構成する第一の包装硬貨収納サブボックス４０ａあるいは第二の包装硬貨収納サブボックス４０ｂ内に、選択的に収納される。
【０１８７】
こうして、次々に、包装すべき金種の硬貨が包装され、所定枚数の包装すべき金種の硬貨を含む包装硬貨ロールＣが生成されて、第一の包装硬貨収納サブボックスグループを構成する第一の包装硬貨収納サブボックス４０ａおよび第二の包装硬貨収納サブボックス４０ｂのうち、オペレータが指示した包装硬貨収納サブボックスあるいはＣＰＵ７０が選択した包装硬貨収納サブボックス内に収納され、硬貨包装機内に投入されたすべての硬貨が、硬貨回収ボックス３１、下部ホッパ４５および硬貨集積部１０内に送られた時点で、ＲＡＭ７２に書き込まれた硬貨集積部１０に送られた硬貨の枚数が、包装すべき所定枚数に満たないと判定したときは、硬貨集積部１０で集積された硬貨が、硬貨包装部２０に移送されるのに先立って、ＣＰＵ７０は、分配手段モータ９２に第一の駆動信号を出力して、包装硬貨分配手段５１の第一の包装硬貨支持部材５３を、図８に示された包装硬貨支持位置から、図８および図９において、支軸５２まわりに、時計方向に約１００度ないし１１０度にわたって、揺動させる。
【０１８８】
その結果、包装すべき所定枚数に満たない端数硬貨は、硬貨包装部２０から、シュート５０に送られ、包装硬貨分配手段５１の第一の包装硬貨支持部材５３によって支持されることなく、包装硬貨分配手段５１を通過し、ガイド板５６を介して、包装硬貨分配手段５１の下方に設けられた端数硬貨回収ボックス５５内に回収される。
【０１８９】
一方、次々に、包装すべき金種の硬貨を包装し、包装硬貨ロールＣを生成して、オペレータが指示した包装硬貨収納サブボックスあるいはＣＰＵ７０が選択した包装硬貨収納サブボックス内に収納した結果、オペレータの指示にしたがって、あるいは、ＣＰＵ７０の選択にしたがって、それまで、包装硬貨ロールＣを収納させていた第一の包装硬貨収納サブボックス４０ａあるいは第二の包装硬貨収納サブボックス４０ｂ内に収納された包装硬貨ロールＣの一部が、第一の開口部４１あるいは第二の開口部４２内に存在するようになり、第一の開口部４１に設けられた第一の包装硬貨収納サブボックス４０ａに対応する第一の包装硬貨センサ４３あるいは第二の開口部４２に設けられた第二の包装硬貨収納サブボックス４０ｂに対応する第二の包装硬貨センサ４４から、包装硬貨検出信号がＣＰＵ７０に入力されたときは、第一の包装硬貨収納サブボックスグループの対応する包装硬貨収納サブボックス内に、さらに、包装硬貨ロールＣを収納させると、包装硬貨ロールＣのジャミングが生じ、これ以上、その包装硬貨収納サブボックス内に、包装硬貨ロールＣを収納させることができないと判定されるから、ＣＰＵ７０は、ＲＯＭ７１に記憶された包装硬貨収納サブボックス選択用データにしたがって、それまで、包装硬貨ロールＣを収納させていた第一の包装硬貨収納サブボックス４０ａあるいは第二の包装硬貨収納サブボックス４０ｂに代えて、第一の包装硬貨収納サブボックスグループを構成する第二の包装硬貨収納サブボックス４０ｂあるいは第一の包装硬貨収納サブボックス４０ａを、新たに、包装硬貨ロールＣを収納させるべき包装硬貨収納サブボックスとして選択し、選択した包装硬貨収納サブボックスに対応する包装硬貨センサから、包装硬貨検出信号が入力されているか否かを判定する。この時点では、それまで、包装硬貨ロールＣを収納させていた第一の包装硬貨収納サブボックス４０ａあるいは第二の包装硬貨収納サブボックス４０ｂ以外の第一の包装硬貨収納サブボックスグループを構成する包装硬貨収納サブボックス、すなわち、第二の包装硬貨収納サブボックス４０ｂあるいは第一の包装硬貨収納サブボックス４０ａ内には、包装硬貨ロールＣは収納されていないから、選択した包装硬貨収納サブボックスに対応する包装硬貨センサからは、包装硬貨検出信号は入力されておらず、したがって、第一の包装硬貨収納サブボックスグループを構成するサブボックスの中から、選択した包装硬貨収納サブボックス内に、包装硬貨ロールＣを収納させることが可能であるから、ＣＰＵ７０は、アラーム手段１０６にアラームを発生させるとともに、それまで、包装硬貨ロールＣを収納させていた包装硬貨収納サブボックスに、これ以上、包装硬貨ロールＣを収納させることは不可能で、それまで、包装硬貨ロールＣを収納させていた第一の包装硬貨収納サブボックス４０ａあるいは第二の包装硬貨収納サブボックス４０ｂに代えて、第一の包装硬貨収納サブボックスグループを構成するサブボックスの中から、選択した第二の包装硬貨収納サブボックス４０ｂあるいは第一の包装硬貨収納サブボックス４０ａに、包装硬貨ロールＣを収納すべき旨を提案するメッセージを、ディスプレイパネル１０５に表示させる。
【０１９０】
ディスプレイパネル１０５に表示されたメッセージに基づいて、オペレータが、操作部１００の所定のキーを操作して、ＣＰＵ７０の提案に同意する旨を入力したとき、あるいは、ディスプレイパネル１０５に表示されたメッセージに対して、オペレータが、所定時間内に、操作部１００に何の信号も入力しなかったときは、ＣＰＵ７０は、第一の包装硬貨収納サブボックスグループを構成するサブボックスの中から、選択し、提案した第二の包装硬貨収納サブボックス４０ｂあるいは第一の包装硬貨収納サブボックス４０ａを、新たに、包装硬貨ロールＣを収納すべき包装硬貨収納サブボックスとして、決定し、選択した包装硬貨収納サブボックスについてのデータを記憶するＲＡＭ７２のメモリ領域に、オペレータによって指定された金種の硬貨の包装硬貨ロールＣが収納される旨を、包装硬貨ロール収納データとして、書き込む。
【０１９１】
これに対して、オペレータが、操作部１００の所定のキーを操作して、ＣＰＵ７０から提案された第二の包装硬貨収納サブボックス４０ｂあるいは第一の包装硬貨収納サブボックス４０ａ内に、包装硬貨ロールＣを収納することに同意しない旨を、操作部１００に入力したときは、硬貨包装機内に位置している第一の包装硬貨収納サブボックスグループには、さらに、包装硬貨ロールＣを収納することができる包装硬貨収納サブボックスは残されておらず、硬貨の包装処理を続行することは不可能であるから、ＣＰＵ７０は、アラーム手段１０６にアラームを発生させ、さらに、第二の包装硬貨収納サブボックス４０ｂあるいは第一の包装硬貨収納サブボックス４０ａの他には、包装硬貨ロールＣを収納することができる包装硬貨収納サブボックスが存在しない旨を、ディスプレイパネル１０５に表示させるとともに、オペレータに再考を求めるメッセージを、ディスプレイパネル１０５に表示させる。
【０１９２】
その結果、オペレータが、操作部１００の所定のキーを操作して、ＣＰＵ７０により再提案された第二の包装硬貨収納サブボックス４０ｂあるいは第一の包装硬貨収納サブボックス４０ａ内に、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、第二の包装硬貨収納サブボックス４０ｂあるいは第一の包装硬貨収納サブボックス４０ａについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、第二の包装硬貨収納サブボックス４０ｂあるいは第一の包装硬貨収納サブボックス４０ａ内に、包装硬貨ロールＣを収納すべき旨のメッセージを、改めて、ディスプレイパネル１０５に表示させる。
【０１９３】
こうして、それまで、包装硬貨ロールＣを収納させていた第一の包装硬貨収納サブボックス４０ａあるいは第二の包装硬貨収納サブボックス４０ｂに代えて、第一の包装硬貨収納サブボックスグループを構成する第二の包装硬貨収納サブボックス４０ｂあるいは第一の包装硬貨収納サブボックス４０ａが、新たに、包装硬貨ロールＣを収納させるべき包装硬貨収納サブボックスとして決定されると、ＣＰＵ７０は、包装硬貨ロールＣを生成して、第一の包装硬貨収納サブボックスグループを構成する第一の包装硬貨収納サブボックス４０ａあるいは第二の包装硬貨収納サブボックス４０ｂ内に収納したのと同様にして、硬貨の包装および包装硬貨ロールＣの第一の包装硬貨収納サブボックスグループを構成する他の包装硬貨収納サブボックス内への収納を再開し、生成した包装硬貨ロールＣを、第二の包装硬貨収納サブボックス４０ｂあるいは第一の包装硬貨収納サブボックス４０ａ内に収納させる。
【０１９４】
その結果、第一の包装硬貨収納サブボックスグループを構成する第二の包装硬貨収納サブボックス４０ｂあるいは第一の包装硬貨収納サブボックス４０ａ内に収納された包装硬貨ロールＣの一部が、第二の開口部４２あるいは第一の開口部４１内に存在するようになり、第二の開口部４２に設けられた第二の包装硬貨収納サブボックス４０ｂに対応する第二の包装硬貨センサ４４あるいは第一の開口部４１に設けられた第一の包装硬貨収納サブボックス４０ａに対応する第一の包装硬貨センサ４３から、包装硬貨検出信号がＣＰＵ７０に入力されたときは、対応する包装硬貨収納サブボックス内に、さらに、包装硬貨ロールＣを収納させると、包装硬貨ロールＣのジャミングが生じ、これ以上、その包装硬貨収納サブボックス内に、包装硬貨ロールＣを収納させることはできない。しかしながら、この時点では、第一の包装硬貨収納サブボックスグループを構成する第一の包装硬貨収納サブボックス４０ａおよび第二の包装硬貨収納サブボックス４０ｂ内は、すでに、包装硬貨ロールＣによって満たされ、第一の開口部４１に設けられた第一の包装硬貨収納サブボックス４０ａに対応する第一の包装硬貨センサ４３あるいは第二の開口部４２に設けられた第二の包装硬貨収納サブボックス４０ｂに対応する第二の包装硬貨センサ４４から、包装硬貨検出信号が、ＣＰＵ７０に入力されているから、硬貨包装機内に位置している包装硬貨収納ボックス４０の第一の包装硬貨収納サブボックスグループには、包装硬貨ロールＣを収納するスペースが残されておらず、したがって、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨の包装処理を中断させて、アラーム手段１０６にアラームを発生させるとともに、包装硬貨収納ボックス４０を硬貨包装機から取り外し、包装硬貨収納ボックス４０の向きを反転させて、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させる。
【０１９５】
一方、第一の包装硬貨収納サブボックスグループを構成する第一の包装硬貨収納サブボックス４０ａあるいは第二の包装硬貨収納サブボックス４０ｂ内には、これ以上、包装硬貨ロールＣを収納させることはできないと判定し、ＣＰＵ７０が、アラーム手段１０６にアラームを発生させ、さらに、第二の包装硬貨収納サブボックス４０ｂあるいは第一の包装硬貨収納サブボックス４０ａの他には、包装硬貨ロールＣを収納することができる包装硬貨収納サブボックスが存在しない旨を、ディスプレイパネル１０５に表示させるとともに、オペレータに再考を求めるメッセージを、ディスプレイパネル１０５に表示させたにもかかわらず、オペレータが、操作部１００の所定のキーを操作して、依然として、ＣＰＵ７０により再提案された第一の包装硬貨収納サブボックスグループを構成する第二の包装硬貨収納サブボックス４０ｂあるいは第一の包装硬貨収納サブボックス４０ａに、包装硬貨ロールＣを収納することに同意しない旨を、操作部１００に入力したときは、硬貨包装機にセットされた包装硬貨収納ボックス４０の第一の包装硬貨収納サブボックスグループには、第二の包装硬貨収納サブボックス４０ｂあるいは第一の包装硬貨収納サブボックス４０ａ以外に、包装硬貨ロールＣを収納する包装硬貨収納サブボックスが存在せず、その一方で、第二の包装硬貨収納サブボックスグループを構成する第三の包装硬貨収納サブボックス４０ｃおよび第四の包装硬貨収納サブボックス４０ｄ内には、包装硬貨ロールＣは収納されていないから、硬貨の包装処理を続けるためには、第二の包装硬貨収納サブボックスグループを構成する第三の包装硬貨収納サブボックス４０ｃあるいは第四の包装硬貨収納サブボックス４０ｄ内に、包装硬貨ロールＣを収納可能なように、包装硬貨収納ボックス４０を硬貨包装機に取り付けることが必要であり、したがって、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨の包装処理を中断させて、アラーム手段１０６にアラームを発生させるとともに、包装硬貨収納ボックス４０を硬貨包装機から取り外し、包装硬貨収納ボックス４０の向きを反転させて、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させる。
【０１９６】
その結果、オペレータが、包装硬貨収納ボックス４０を硬貨包装機から取り外し、包装硬貨収納ボックス４０の向きを反転させて、再度、包装硬貨収納ボックス４０を硬貨包装機にセットしないまま、所定時間が経過したと判定したときは、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０１９７】
これに対して、オペレータが、包装硬貨収納ボックス４０を硬貨包装機から取り外し、包装硬貨収納ボックス４０の向きを反転させて、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置するように、再度、包装硬貨収納ボックス４０を硬貨包装機にセットしたときは、包装硬貨収納ボックス４０の外壁面に形成された第一の識別子４８ａあるいは第二の識別子４８ｂが検出されて、識別子検出信号が、ＣＰＵ７０に出力される。したがって、光学センサ６０から入力される識別子検出信号に基づいて、ＣＰＵ７０は、包装硬貨収納ボックス４０が硬貨包装機から取り外され、その向きが反転されて、再度、硬貨包装機にセットされたか否かを判定することができる。
【０１９８】
光学センサ６０から入力される識別子検出信号に基づき、ＣＰＵ７０が、包装硬貨収納ボックス４０が硬貨包装機から取り外され、その向きが反転されて、再度、硬貨包装機にセットされたと判定したときは、ＣＰＵ７０は、第一の包装硬貨収納サブボックス４０ａおよび第二の包装硬貨収納サブボックス４０ｂについてのデータを記憶するＲＡＭ７２のメモリ領域に書き込まれた包装硬貨ロール収納データを消去するとともに、硬貨の包装処理を再開し、包装硬貨ロールＣの第二の包装硬貨収納サブボックスグループを構成する第三の包装硬貨収納サブボックス４０ｃあるいは第四の包装硬貨収納サブボックス４０ｄ内への収納処理を実行する。
【０１９９】
すなわち、まず、ＣＰＵ７０は、第二の包装硬貨収納サブボックスグループを構成する第三の包装硬貨収納サブボックス４０ｃおよび第四の包装硬貨収納サブボックス４０ｄが硬貨包装機内にセットされており、生成された包装硬貨ロールＣを、第三の包装硬貨収納サブボックス４０ｃあるいは第四の包装硬貨収納サブボックス４０ｄ内に収納可能である旨を、ディスプレイパネル１０５に表示させるとともに、生成された包装硬貨ロールＣを、第二の包装硬貨収納サブボックスグループを構成する第三の包装硬貨収納サブボックス４０ｃおよび第四の包装硬貨収納サブボックス４０ｄのいずれに収納させるべきかの指定を促すメッセージをディスプレイパネル１０５に表示させる。
【０２００】
その結果、オペレータによって、操作部１００の所定のキーが操作されて、第二の包装硬貨収納サブボックスグループを構成するサブボックスの中から、包装硬貨ロールＣを収納すべき包装硬貨収納サブボックスとして、第三の包装硬貨収納サブボックス４０ｃあるいは第四の包装硬貨収納サブボックス４０ｄが指定されたときは、この時点では、第二の包装硬貨収納サブボックスグループを構成する第三の包装硬貨収納サブボックス４０ｃおよび第四の包装硬貨収納サブボックス４０ｄのいずれにも、包装硬貨ロールＣは収納されていないから、ＣＰＵ７０は、オペレータによって指定された第三の包装硬貨収納サブボックス４０ｃあるいは第四の包装硬貨収納サブボックス４０ｄを、包装硬貨ロールＣを収納すべき包装硬貨収納サブボックスとして、決定し、その包装硬貨収納サブボックスについてのデータを格納するＲＡＭ７２のメモリ領域に、その包装硬貨収納サブボックス内に、オペレータによって指定された金種の硬貨の包装硬貨ロールＣを収納する旨を、包装硬貨ロール収納データとして、書き込む。
【０２０１】
これに対して、所定時間にわたって、オペレータが、包装硬貨ロールＣを収納すべき包装硬貨収納サブボックスを指定しない場合には、ＣＰＵ７０は、ＲＯＭ７１に記憶された包装硬貨収納サブボックス選択用データにしたがって、第二の包装硬貨収納サブボックスグループを構成するサブボックスの中から、第三の包装硬貨収納サブボックス４０ｃあるいは第四の包装硬貨収納サブボックス４０ｄを、包装硬貨ロールＣを収納すべき包装硬貨収納サブボックスとして、決定し、第三の包装硬貨収納サブボックス４０ｃあるいは第四の包装硬貨収納サブボックス４０ｄについてのデータを格納するＲＡＭ７２のメモリ領域に、オペレータによって指定された金種の硬貨の包装硬貨ロールＣが収納される旨を、包装硬貨ロール収納データとして、書き込む。
【０２０２】
こうして、第二の包装硬貨収納サブボックスグループを構成するサブボックスの中から、第三の包装硬貨収納サブボックス４０ｃあるいは第四の包装硬貨収納サブボックス４０ｄが、生成された包装硬貨ロールを収納すべき包装硬貨収納サブボックスとして、決定されると、ＣＰＵ７０は、包装すべき硬貨の金種および生成された包装硬貨ロールを収納すべき包装硬貨収納サブボックスを、ディスプレイパネル１０５に表示させる。
【０２０３】
次いで、オペレータによって、操作部１００の所定のキーが操作されて、スタート信号が入力される。
【０２０４】
スタート信号を受けると、ＣＰＵ７０は、包装硬貨ロールＣを生成し、生成した包装硬貨ロールＣを、第一の包装硬貨収納サブボックスグループを構成する第一の包装硬貨収納サブボックス４０ａあるいは第二の包装硬貨収納サブボックス４０ｂに収納させたのと同様にして、包装硬貨ロールＣを生成する。
【０２０５】
ここに、第一の包装硬貨収納サブボックス４０ａおよび／または第二の包装硬貨収納サブボックス４０ｂ内に収納された包装硬貨ロールＣは、包装硬貨ロールＣの生成が開始された後に、オペレータによって、回収される。
【０２０６】
したがって、オペレータが、単に、包装硬貨収納ボックス４０を、硬貨包装機から取り外し、包装硬貨収納ボックス４０の向きを反転させて、再度、包装硬貨収納ボックス４０を硬貨包装機にセットするだけで、硬貨の包装処理を再開することが可能になる。
【０２０７】
生成された包装硬貨ロールＣは、シュート５０内を落下して、第一の包装硬貨支持部材５３の支持部５３ａの上面と第二の包装硬貨支持部材５４との間に保持される。
【０２０８】
次いで、包装硬貨ロールＣは、オペレータの指示あるいはＣＰＵ７０の選択にしたがって、包装硬貨分配手段５１により、第三の包装硬貨収納サブボックス４０ｃおよび第四の包装硬貨収納サブボックス４０ｄのいずれかに向けて、送られる。
【０２０９】
ここに、この時点では、硬貨包装機の第一の開口部４１の下方に、第三の包装硬貨収納サブボックス４０ｃが位置し、第二の開口部４２の下方には、第四の包装硬貨収納サブボックス４０ｄが位置しているから、オペレータが、包装硬貨ロールＣを収納すべき包装硬貨収納サブボックスとして、第三の包装硬貨収納サブボックス４０ｃを指定し、あるいは、ＲＯＭ７１に記憶された包装硬貨収納サブボックス選択用データにしたがって、ＣＰＵ７０が、包装硬貨ロールＣを収納すべき包装硬貨収納サブボックスとして、第三の包装硬貨収納サブボックス４０ｃを選択し、その旨が、ＲＡＭ７２に書き込まれている場合には、包装硬貨ロールＣが生成されると、ＣＰＵ７０は、分配手段モータ９２に第一の駆動信号を出力して、包装硬貨分配手段５１の第一の包装硬貨支持部材５３を、図８に示された包装硬貨支持位置から、図８および図９において、支軸５２まわりに、時計方向に約１００度ないし１１０度にわたって、揺動させる。
【０２１０】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれ、第一の開口部４１を介して、第三の包装硬貨収納サブボックス４０ｃ内に落下し、第三の包装硬貨収納サブボックス４０ｃ内に収納される。
【０２１１】
これに対して、オペレータが、包装硬貨ロールＣを収納すべき包装硬貨収納サブボックスとして、第四の包装硬貨収納サブボックス４０ｄを指定し、あるいは、ＲＯＭ７１に記憶された包装硬貨収納ボックス選択用データにしたがって、ＣＰＵ７０が、包装硬貨ロールＣを収納すべき包装硬貨収納サブボックスとして、第四の包装硬貨収納サブボックス４０ｄを選択し、その旨が、ＲＡＭ７２に書き込まれている場合には、包装硬貨ロールＣが生成されると、ＣＰＵ７０は、分配手段モータ９２に第二の駆動信号を出力して、図１０において、破線で示されるように、包装硬貨分配手段５１の第一の包装硬貨支持部材５３を、図８に示された包装硬貨支持位置から、図８および図１０において、支軸５２まわりに、時計方向に約６０度ないし７０度にわたって、揺動させる。
【０２１２】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【０２１３】
こうして、包装硬貨ロールＣが、第一の包装硬貨支持部材５３の分配部５３ｂ上に保持されると、ＣＰＵ７０は、分配手段モータ９２に第三の駆動信号を出力して、図１０において、破線で示されるように、包装硬貨分配手段５１の第一の包装硬貨支持部材５３を、さらに、図８および図１０において、支軸５２まわりに、時計方向に約９０度にわたって、揺動させる。
【０２１４】
その結果、第一の包装硬貨支持部材５３の分配部５３ｂ上に保持されていた包装硬貨ロールＣは、ガイド部材５７の第二のガイド面５７ｂ上に導かれ、第二の開口部４２を介して、第四の包装硬貨収納サブボックス４０ｄ内に落下して、第四の包装硬貨収納サブボックス４０ｄ内に収納される。
【０２１５】
同様にして、硬貨包装機に投入され、オペレータによって、包装すべき金種の硬貨として指定された所定枚数の硬貨が、包装されて、包装硬貨ロールＣが生成され、オペレータの指示にしたがって、第二の包装硬貨収納サブボックスグループを構成する第三の包装硬貨収納サブボックス４０ｃあるいは第四の包装硬貨収納サブボックス４０ｄ内に、選択的に収納される。
【０２１６】
こうして、次々に、包装すべき金種の硬貨を包装し、包装硬貨ロールＣを生成して、第二の包装硬貨収納サブボックスグループを構成するサブボックスの中から、オペレータが指示した包装硬貨収納サブボックスあるいはＣＰＵ７０が選択した包装硬貨収納サブボックス内に収納した結果、オペレータの指示にしたがって、あるいは、ＣＰＵ７０の選択にしたがって、それまで、包装硬貨ロールＣを収納させていた第三の包装硬貨収納サブボックス４０ｃあるいは第四の包装硬貨収納サブボックス４０ｄ内に収納された包装硬貨ロールＣの一部が、第一の開口部４１あるいは第二の開口部４２内に存在するようになり、第三の包装硬貨収納サブボックス４０ｃに対応する第一の包装硬貨センサ４３あるいは第四の包装硬貨収納サブボックス４０ｄに対応する第二の包装硬貨センサ４４から、包装硬貨検出信号がＣＰＵ７０に入力されたときは、対応する包装硬貨収納サブボックス内に、さらに、包装硬貨ロールＣを収納させると、包装硬貨ロールＣのジャミングが生じ、これ以上、その包装硬貨収納サブボックス内に、包装硬貨ロールＣを収納させることができないと判定されるから、ＣＰＵ７０は、ＲＯＭ７１に記憶された包装硬貨収納サブボックス選択用データにしたがって、それまで、包装硬貨ロールＣを収納させていた第三の包装硬貨収納サブボックス４０ｃあるいは第四の包装硬貨収納サブボックス４０ｄに代えて、第二の包装硬貨収納サブボックスグループを構成するサブボックスの中から、第四の包装硬貨収納サブボックス４０ｄあるいは第三の包装硬貨収納サブボックス４０ｃを、新たに、包装硬貨ロールＣを収納させるべき包装硬貨収納サブボックスとして、選択し、選択した包装硬貨収納サブボックスに対応する包装硬貨センサから、包装硬貨検出信号が入力されているか否かを判定する。
【０２１７】
この時点では、生成された包装硬貨ロールＣは、第三の包装硬貨収納サブボックス４０ｃあるいは第四の包装硬貨収納サブボックス４０ｄ内に収納され、第四の包装硬貨収納サブボックス４０ｄあるいは第三の包装硬貨収納サブボックス４０ｃ以外の第二の包装硬貨収納サブボックスグループを構成する包装硬貨収納サブボックス、すなわち、第四の包装硬貨収納サブボックス４０ｄあるいは第三の包装硬貨収納サブボックス４０ｃ内には、包装硬貨ロールＣは収納されていないから、選択した包装硬貨収納サブボックスに対応する包装硬貨センサから、包装硬貨検出信号は入力されておらず、したがって、ＣＰＵ７０は、第二の包装硬貨収納サブボックスグループを構成するサブボックスの中から、選択した包装硬貨収納サブボックス内に、包装硬貨ロールＣを収納させることが可能であると判定して、アラーム手段１０６にアラームを発生させるとともに、それまで、包装硬貨ロールＣを収納させていた包装硬貨収納サブボックスに、これ以上、包装硬貨ロールＣを収納させることは不可能で、それまで、包装硬貨ロールＣを収納させていた第三の包装硬貨収納サブボックス４０ｃあるいは第四の包装硬貨収納サブボックス４０ｄに代えて、第二の包装硬貨収納サブボックスグループを構成するサブボックスの中から、選択した第四の包装硬貨収納サブボックス４０ｄあるいは第三の包装硬貨収納サブボックス４０ｃに、包装硬貨ロールＣを収納すべき旨を提案するメッセージを、ディスプレイパネル１０５に表示させる。
【０２１８】
ディスプレイパネル１０５に表示されたメッセージに基づいて、オペレータが、操作部１００の所定のキーを操作して、ＣＰＵ７０の提案に同意する旨を入力したとき、あるいは、ディスプレイパネル１０５に表示されたメッセージに対して、オペレータが、所定時間内に、操作部１００に何の信号も入力しなかったときは、ＣＰＵ７０は、第二の包装硬貨収納サブボックスグループを構成するサブボックスの中から、選択し、提案した第四の包装硬貨収納サブボックス４０ｄあるいは第三の包装硬貨収納サブボックス４０ｃを、新たに、包装硬貨ロールＣを収納すべき包装硬貨収納サブボックスとして、決定し、選択した包装硬貨収納サブボックスについてのデータを記憶するＲＡＭ７２のメモリ領域に、オペレータによって指定された金種の硬貨の包装硬貨ロールＣが収納される旨を、包装硬貨ロール収納データとして、書き込む。
【０２１９】
これに対して、オペレータが、操作部１００の所定のキーを操作して、ＣＰＵ７０から提案された第四の包装硬貨収納サブボックス４０ｄあるいは第三の包装硬貨収納サブボックス４０ｃ内に、包装硬貨ロールＣを収納することに同意しない旨を、操作部１００に入力したときは、硬貨包装機内に位置している第二の包装硬貨収納サブボックスグループには、さらに、包装硬貨ロールＣを収納することができる包装硬貨収納サブボックスは残されておらず、硬貨の包装処理を続行することは不可能であるから、ＣＰＵ７０は、アラーム手段１０６にアラームを発生させ、さらに、第四の包装硬貨収納サブボックス４０ｄあるいは第三の包装硬貨収納サブボックス４０ｃの他には、包装硬貨ロールＣを収納することができる包装硬貨収納サブボックスが存在しない旨を、ディスプレイパネル１０５に表示させるとともに、オペレータに再考を求めるメッセージを、ディスプレイパネル１０５に表示させる。
【０２２０】
その結果、オペレータが、操作部１００の所定のキーを操作して、ＣＰＵ７０により再提案された第四の包装硬貨収納サブボックス４０ｄあるいは第三の包装硬貨収納サブボックス４０ｃ内に、包装硬貨ロールＣを収納することに同意する旨を、操作部１００に入力したとき、あるいは、ＣＰＵ７０の再提案に対して、オペレータが、所定時間内に、操作部１００に何の信号も入力しなかったときは、ＣＰＵ７０は、第四の包装硬貨収納サブボックス４０ｄあるいは第三の包装硬貨収納サブボックス４０ｃについてのデータを記憶するＲＡＭ７２のメモリ領域に、オペレータによって指定された金種の硬貨の包装硬貨ロールＣが収納される旨を、包装硬貨ロール収納データとして、書き込み、アラーム手段１０６にアラームを発生させるとともに、第四の包装硬貨収納サブボックス４０ｄあるいは第三の包装硬貨収納サブボックス４０ｃ内に、包装硬貨ロールＣを収納すべき旨のメッセージを、改めて、ディスプレイパネル１０５に表示させる。
【０２２１】
こうして、それまで、包装硬貨ロールＣを収納させていた第三の包装硬貨収納サブボックス４０ｃあるいは第四の包装硬貨収納サブボックス４０ｄに代えて、第二の包装硬貨収納サブボックスグループを構成する第四の包装硬貨収納サブボックス４０ｄあるいは第三の包装硬貨収納サブボックス４０ｃが、新たに、包装硬貨ロールＣを収納させるべき包装硬貨収納サブボックスとして決定されると、ＣＰＵ７０は、包装硬貨ロールＣを生成して、第二の包装硬貨収納サブボックスグループを構成する第三の包装硬貨収納サブボックス４０ｃあるいは第四の包装硬貨収納サブボックス４０ｄ内に収納したのと同様にして、硬貨の包装および包装硬貨ロールＣの第二の包装硬貨収納サブボックスグループを構成する他の包装硬貨収納サブボックス内への収納を再開し、生成した包装硬貨ロールＣを、第四の包装硬貨収納サブボックス４０ｄあるいは第三の包装硬貨収納サブボックス４０ｃ内に収納させる。
【０２２２】
その結果、第二の包装硬貨収納サブボックスグループを構成する第四の包装硬貨収納サブボックス４０ｄあるいは第三の包装硬貨収納サブボックス４０ｃ内に収納された包装硬貨ロールＣの一部が、第二の開口部４２あるいは第一の開口部４１内に存在するようになり、第二の開口部４２に設けられた第四の包装硬貨収納サブボックス４０ｄに対応する第二の包装硬貨センサ４４あるいは第一の開口部４１に設けられた第三の包装硬貨収納サブボックス４０ｃに対応する第一の包装硬貨センサ４３から、包装硬貨検出信号がＣＰＵ７０に入力されたときは、対応する包装硬貨収納サブボックス内に、さらに、包装硬貨ロールＣを収納させると、包装硬貨ロールＣのジャミングが生じ、これ以上、その包装硬貨収納サブボックス内に、包装硬貨ロールＣを収納させることはできない。しかしながら、この時点では、第二の包装硬貨収納サブボックスグループを構成する第三の包装硬貨収納サブボックス４０ｃおよび第四の包装硬貨収納サブボックス４０ｄ内は、すでに、包装硬貨ロールＣによって満たされ、第一の開口部４１に設けられた第三の包装硬貨収納サブボックス４０ｃに対応する第一の包装硬貨センサ４３あるいは第二の開口部４２に設けられた第四の包装硬貨収納サブボックス４０ｄに対応する第二の包装硬貨センサ４４から、包装硬貨検出信号が、ＣＰＵ７０に入力されているから、硬貨包装機内に位置している包装硬貨収納ボックス４０の第二の包装硬貨収納サブボックスグループには、包装硬貨ロールＣを収納するスペースが残されておらず、その一方で、第一の包装硬貨収納サブボックス４０ａおよび第二の包装硬貨収納サブボックス４０ｂ内に収納された包装硬貨ロールＣは、オペレータによって、すでに回収され、第一の包装硬貨収納サブボックスグループを構成する第一の包装硬貨収納サブボックス４０ａおよび第二の包装硬貨収納サブボックス４０ｂ内には、包装硬貨ロールＣは収納されていないから、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨の包装処理を中断させて、アラーム手段１０６にアラームを発生させるとともに、包装硬貨収納ボックス４０を硬貨包装機から取り外し、包装硬貨収納ボックス４０の向きを反転させて、第一の包装硬貨収納サブボックス４０ａおよび第二の包装硬貨収納サブボックス４０ｂが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させる。
【０２２３】
一方、第二の包装硬貨収納サブボックスグループを構成する第三の包装硬貨収納サブボックス４０ｃあるいは第四の包装硬貨収納サブボックス４０ｄ内に、これ以上、包装硬貨ロールＣを収納させることができないと判定し、ＣＰＵ７０が、アラーム手段１０６にアラームを発生させ、さらに、第四の包装硬貨収納サブボックス４０ｄあるいは第三の包装硬貨収納サブボックス４０ｃの他には、包装硬貨ロールＣを収納することができる包装硬貨収納サブボックスが存在しない旨を、ディスプレイパネル１０５に表示させるとともに、オペレータに再考を求めるメッセージを、ディスプレイパネル１０５に表示させたにもかかわらず、オペレータが、操作部１００の所定のキーを操作して、依然として、ＣＰＵ７０により再提案された第二の包装硬貨収納サブボックスグループを構成する第四の包装硬貨収納サブボックス４０ｄあるいは第三の包装硬貨収納サブボックス４０ｃに、包装硬貨ロールＣを収納することに同意しない旨を、操作部１００に入力したときは、硬貨包装機にセットされた包装硬貨収納ボックス４０の第二の包装硬貨収納サブボックスグループには、第四の包装硬貨収納サブボックス４０ｄあるいは第三の包装硬貨収納サブボックス４０ｃ以外に、包装硬貨ロールＣを収納可能な包装硬貨収納サブボックスは残されておらず、その一方で、第一の包装硬貨収納サブボックスグループを構成する第一の包装硬貨収納サブボックス４０ａおよび第二の包装硬貨収納サブボックス４０ｂ内に収納された包装硬貨ロールＣは、オペレータによって、すでに回収され、第一の包装硬貨収納サブボックスグループを構成する第一の包装硬貨収納サブボックス４０ａおよび第二の包装硬貨収納サブボックス４０ｂ内には、包装硬貨ロールＣは収納されていないから、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨の包装処理を中断させて、アラーム手段１０６にアラームを発生させるとともに、包装硬貨収納ボックス４０の向きを反転させて、第一の包装硬貨収納サブボックスグループを構成する第一の包装硬貨収納サブボックス４０ａおよび第二の包装硬貨収納サブボックス４０ｂが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させる。
【０２２４】
その結果、オペレータが、包装硬貨収納ボックス４０を硬貨包装機から取り外し、包装硬貨収納ボックス４０の向きを反転させて、再度、包装硬貨収納ボックス４０を硬貨包装機にセットしないまま、所定時間が経過したと判定したときは、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０２２５】
これに対して、オペレータが、包装硬貨収納ボックス４０を硬貨包装機から取り外し、包装硬貨収納ボックス４０の向きを反転させて、第一の包装硬貨収納サブボックスグループを構成する第一の包装硬貨収納サブボックス４０ａおよび第二の包装硬貨収納サブボックス４０ｃが、それぞれ、第一の開口部４１および第二の開口部４２の下方に位置するように、再度、包装硬貨収納ボックス４０を硬貨包装機にセットしたときは、包装硬貨収納ボックス４０の外壁面に形成された第一の識別子４８ａが検出され、識別子検出信号が、ＣＰＵ７０に出力される。したがって、光学センサ６０から入力される識別子検出信号に基づき、ＣＰＵ７０は、包装硬貨収納ボックス４０が硬貨包装機から取り外され、その向きが反転されて、再度、硬貨包装機にセットされたか否かを判定することができる。
【０２２６】
光学センサ６０から入力される識別子検出信号に基づき、ＣＰＵ７０が、包装硬貨収納ボックス４０が硬貨包装機から取り外され、その向きが反転されて、再度、硬貨包装機にセットされたと判定したときは、ＣＰＵ７０は、第二の包装硬貨収納サブボックスグループを構成する第三の包装硬貨収納サブボックス４０ｃおよび第四の包装硬貨収納サブボックス４０ｄについてのデータを記憶するＲＡＭ７２のメモリ領域に書き込まれた包装硬貨ロール収納データを消去するとともに、硬貨の包装処理を再開し、硬貨の包装処理を開始したときと同様にして、包装硬貨ロールＣの第二の包装硬貨収納サブボックスグループを構成する第一の包装硬貨収納サブボックス４０ａおよび第二の包装硬貨収納サブボックス４０ｃの一方への収納処理を実行する。
【０２２７】
第三の包装硬貨収納サブボックス４０ｃおよび／または第四の包装硬貨収納サブボックス４０ｄ内に収納された包装硬貨ロールＣは、包装硬貨ロールＣの生成が開始された後に、オペレータによって、回収される。
【０２２８】
このように、包装硬貨収納ボックス４０が、交互に、第一の位置と第二の位置に位置するように、硬貨包装機に取り付けて、第一の包装硬貨収納サブボックスグループを構成する第一の包装硬貨収納サブボックス４０ａもしくは第二の包装硬貨収納サブボックス４０ｂまたは第二の包装硬貨収納サブボックスグループを構成する第三の包装硬貨収納サブボックス４０ｃもしくは第四の包装硬貨収納サブボックス４０ｄ内に、生成された包装硬貨ロールＣを、次々に収納させ、硬貨包装機内に投入された硬貨がすべて、硬貨回収ボックス３１、下部ホッパ４５、硬貨集積部１０および端数硬貨回収ボックス５５内に送られたと判定すると、ＣＰＵ７０は、ＲＡＭ７２にアクセスして、オペレータによって、第一の包装処理モードが指定されていると判定した場合には、オペレータが指定した金種の硬貨の包装が完了した旨のメッセージを、ディスプレイパネル１０５に表示させ、同時に、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０２２９】
硬貨の包装処理が終了すると、オペレータによって、包装硬貨収納ボックス４０が、硬貨包装機から引き出されて、包装硬貨収納ボックス４０内に収納された包装硬貨ロールＣが、オペレータによって取り出され、端数硬貨回収ボックス５５が、硬貨包装機から引き出されて、端数硬貨回収ボックス５５内に回収された包装すべき金種の端数硬貨は、オペレータによって回収される。
【０２３０】
さらに、オペレータによって、下部ホッパ４５が、硬貨包装機から引き出されて、下部ホッパ４５内に回収された包装すべき金種以外の金種の受け入れ可能な硬貨が回収され、硬貨回収ボックス３１が、硬貨包装機から引き出され、硬貨回収ボックス３１内に回収された偽装硬貨や外国硬貨などの受け入れ不能な硬貨が、受け入れ可能な硬貨と別個に回収される。
【０２３１】
これに対して、オペレータによって、第二の包装処理モードが指定されている場合には、硬貨包装機によって、さらに、オペレータが、包装すべき金種の硬貨として指定した以外の金種の硬貨が包装され、生成された包装硬貨ロールＣが、包装硬貨収納ボックス４０内に収納される。
【０２３２】
すなわち、ＣＰＵ７０は、ＲＡＭ７２にアクセスして、まず、オペレータによって包装すべき金種として指定された金種以外の金種の受け入れ可能な硬貨で、検出された枚数が最も多かった金種の硬貨を選択して、次に、包装すべき金種の硬貨として決定し、ＲＡＭ７２に書き込み、アラーム手段１０６にアラームを発生させるとともに、二番目に包装すべき硬貨の金種を、ディスプレイパネル１０５に表示させる。
【０２３３】
異なる金種の包装硬貨ロールＣは、別個に回収されることが好ましいため、本実施態様においては、異なる金種の包装硬貨ロールＣは、異なる包装硬貨収納サブボックス内に収納されるように構成されており、したがって、ＣＰＵ７０は、次いで、アラーム手段１０６にアラームを発生させるとともに、包装硬貨収納ボックス４０を硬貨包装機から取り外し、包装硬貨収納ボックス４０の向きを反転させて、再度、包装硬貨収納ボックス４０を硬貨包装機にセットすべき旨をオペレータに促すメッセージを、ディスプレイパネル１０５に表示させる。
【０２３４】
すなわち、オペレータが指定した金種の硬貨の包装が完了した時点で、包装硬貨収納ボックス４０が第一の位置にセットされ、第一の包装硬貨収納サブボックスグループを構成する第一の包装硬貨収納サブボックス４０ａおよび第二の包装硬貨収納サブボックス４０ｂが、それぞれ、第一の開口部４１および第二の開口部４２の下方に位置していたときは、ＣＰＵ７０は、包装硬貨収納ボックス４０を硬貨包装機から取り外し、包装硬貨収納ボックス４０の向きを反転させて、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させ、一方、オペレータが指定した金種の硬貨の包装が完了した時点で、包装硬貨収納ボックス４０が第二の位置にセットされ、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置していたときは、ＣＰＵ７０は、包装硬貨収納ボックス４０を硬貨包装機から取り外し、包装硬貨収納ボックス４０の向きを反転させて、第一の包装硬貨収納サブボックスグループを構成する第一の包装硬貨収納サブボックス４０ａおよび第二の包装硬貨収納サブボックス４０ｂが、それぞれ、第一の開口部４１および第二の開口部４２の下方に位置するように、再度、包装硬貨収納ボックス４０を硬貨包装機にセットすべき旨をオペレータに促すメッセージを、ディスプレイパネル１０５に表示させる。
【０２３５】
以下においては、オペレータが指定した金種の硬貨の包装が完了した時点で、包装硬貨収納ボックス４０が第二の位置にセットされ、第二の包装硬貨収納サブボックスグループを構成する第三の包装硬貨収納サブボックス４０ｃおよび第四の包装硬貨収納サブボックス４０ｄが、それぞれ、第一の開口部４１および第二の開口部４２の下方に位置していたと仮定する。
【０２３６】
したがって、ディスプレイパネル１０５には、包装硬貨収納ボックス４０を硬貨包装機から取り外し、包装硬貨収納ボックス４０の向きを反転させて、第一の包装硬貨収納サブボックスグループを構成する第一の包装硬貨収納サブボックス４０ａおよび第二の包装硬貨収納サブボックス４０ｂが、それぞれ、第一の開口部４１および第二の開口部４２の下方に位置するように、再度、包装硬貨収納ボックス４０を硬貨包装機にセットすべき旨をオペレータに促すメッセージが表示される。
【０２３７】
その結果、ＣＰＵ７０が、光学センサ６０から入力される識別子検出信号に基づいて、オペレータが、包装硬貨収納ボックス４０を硬貨包装機から取り外し、包装硬貨収納ボックス４０の向きを反転させて、再度、包装硬貨収納ボックス４０を硬貨包装機にセットしないまま、所定時間が経過したと判定したときは、二番目に包装すべき金種の硬貨を包装して、包装硬貨ロールＣを生成しても、硬貨包装機内には、包装硬貨ロールＣを収納するスペースが存在しないから、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０２３８】
これに対して、オペレータが、包装硬貨収納ボックス４０を硬貨包装機から取り外し、包装硬貨収納ボックス４０の向きを反転させて、第一の包装硬貨収納サブボックスグループを構成する第一の包装硬貨収納サブボックス４０ａおよび第二の包装硬貨収納サブボックス４０ｂが、それぞれ、第一の開口部４１および第二の開口部４２の下方に位置するように、再度、包装硬貨収納ボックス４０を硬貨包装機にセットしたときは、光学センサ６０によって、第一の識別子４８ａが検出され、識別子検出信号がＣＰＵ７０に入力される。
【０２３９】
光学センサ６０によって、第一の識別子４８ａが検出されて、識別子検出信号がＣＰＵ７０に入力されると、ＣＰＵ７０は、生成された包装硬貨ロールＣを、第一の包装硬貨収納サブボックスグループを構成する第一の包装硬貨収納サブボックス４０ａあるいは第二の包装硬貨収納サブボックス４０ｂ内に収納可能である旨を、ディスプレイパネル１０５に表示させる。
【０２４０】
次いで、オペレータによって、操作部１００の所定のキーが操作され、二番目に包装すべき金種の硬貨が包装されて、生成される包装硬貨ロールＣを、第一の包装硬貨収納サブボックスグループを構成する第一の包装硬貨収納サブボックス４０ａおよび第二の包装硬貨収納サブボックス４０ｂのいずれに収納すべきかが指示される。
【０２４１】
ここに、第一の包装硬貨収納サブボックスグループを構成する第一の包装硬貨収納サブボックス４０ａおよび第二の包装硬貨収納サブボックス４０ｂ内に収納されていたオペレータによって指定された金種の包装硬貨ロールＣは、第二の包装硬貨収納サブボックスグループを構成する第三の包装硬貨収納サブボックス４０ｃあるいは第四の包装硬貨収納サブボックス４０ｄへの包装硬貨ロールＣの収納開始後に、オペレータによって回収され、第一の包装硬貨収納サブボックス４０ａおよび第二の包装硬貨収納サブボックス４０ｂ内には、包装硬貨ロールＣは収納されていないから、ＣＰＵ７０は、第一の包装硬貨収納サブボックスグループを構成するサブボックスのうち、オペレータによって指定された第一の包装硬貨収納サブボックス４０ａあるいは第二の包装硬貨収納サブボックス４０ｂを、包装硬貨ロールＣを収納すべき包装硬貨収納サブボックスとして、決定し、その包装硬貨収納サブボックスについてのデータを格納するＲＡＭ７２のメモリ領域に、その包装硬貨収納サブボックス内に、オペレータによって指定された金種の硬貨の包装硬貨ロールＣを収納する旨を、包装硬貨ロール収納データとして、書き込む。
【０２４２】
一方、オペレータによって、包装硬貨ロールＣを収納すべき包装硬貨収納サブボックスが指定されない場合には、ＣＰＵ７０は、ＲＯＭ７１に記憶された包装硬貨収納サブボックス選択用データにしたがって、第一の包装硬貨収納サブボックスグループを構成する第一の包装硬貨収納サブボックス４０ａおよび第二の包装硬貨収納サブボックス４０ｂの中から、包装硬貨ロールＣを収納すべき包装硬貨収納サブボックスを決定し、その包装硬貨収納サブボックスについてのデータを格納するＲＡＭ７２のメモリ領域に、オペレータによって指定された金種の硬貨の包装硬貨ロールＣが収納される旨を、包装硬貨ロール収納データとして、書き込む。
【０２４３】
こうして、第一の包装硬貨収納サブボックスグループを構成する第一の包装硬貨収納サブボックス４０ａあるいは第二の包装硬貨収納サブボックス４０ｂが、二番目に包装すべき金種の硬貨が包装されて、生成される包装硬貨ロールを収納すべき包装硬貨収納サブボックスが決定されると、ＣＰＵ７０は、包装すべき硬貨の金種および第一の包装硬貨収納サブボックスグループを構成する第一の包装硬貨収納サブボックス４０ａあるいは第二の包装硬貨収納サブボックス４０ｂを、ディスプレイパネル１０５に表示させる。
【０２４４】
こうして、第一の包装硬貨収納サブボックスグループを構成する第一の包装硬貨収納サブボックス４０ａあるいは第二の包装硬貨収納サブボックス４０ｂが、二番目に包装すべき金種の硬貨の包装硬貨ロールＣを収納すべき包装硬貨収納サブボックスとして、決定されると、二番目に包装すべき金種の硬貨の包装処理が開始される。
【０２４５】
第二の包装硬貨収納サブボックスグループを構成する第三の包装硬貨収納サブボックス４０ｃおよび／または第四の包装硬貨収納サブボックス４０ｄ内に収納されているオペレータが指定した金種の硬貨の包装硬貨ロールＣは、二番目に包装すべき金種の硬貨の包装開始後、オペレータによって、回収される。
【０２４６】
ＣＰＵ７０は、まず、下部搬送ベルトモータ９４、リフトモータ９５および供給ベルトモータ９６に駆動信号を出力して、搬送ベルト３６、硬貨リフトベルト３７および供給ベルト３８を駆動させる。
【０２４７】
その結果、オペレータが、包装すべき金種の硬貨として指定した以外の金種の硬貨で、下部ホッパ３５内に回収された硬貨は、下部ホッパ３５の底部を形成する搬送ベルト３６によって、硬貨リフトベルト３７に受け渡される。
【０２４８】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０２４９】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０２５０】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０２５１】
第一の回転円板２上に落下した硬貨は、第一の回転円板２の回転によって生じた遠心力によって、第二の回転円板３上に送られる。
【０２５２】
第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出される。
【０２５３】
第二の回転円板３から硬貨通路４に送り出された硬貨は、硬貨通路４の上面と搬送ベルト５との間に挟持されつつ、硬貨通路４内を移送される。
【０２５４】
硬貨は、方向転換部４ａにおいて、硬貨包装機の本体に沿って、略９０度にわたって、その搬送方向を変えた後、方向転換部４ａの下流側の硬貨通路４に設けられた硬貨検出部７に送られる。
【０２５５】
硬貨判別部７によって、硬貨の光学データおよび材質データが検出され、硬貨判別部７によって、検出された硬貨の光学データおよび材質データは、硬貨判別部７から、ＣＰＵ７０に出力される。
【０２５６】
ＣＰＵ７０は、硬貨判別部７から、硬貨の光学データおよび材質データを受けると、ＲＯＭ７１に、金種別に記憶されている硬貨の基準光学データおよび基準材質データを読み出して、硬貨判別部７から入力された硬貨の光学データおよび材質データと比較し、その硬貨が、受け入れ可能な硬貨か、偽造硬貨や外国硬貨などの受け入れ不能な硬貨かを判別し、受け入れ可能な硬貨であると判別したときは、さらに、その硬貨の金種を判別し、判別結果をＲＡＭ７２に書き込む。
【０２５７】
二番目に包装すべき金種の硬貨の包装硬貨ロールＣを生成する場合には、硬貨包装機に投入された硬貨のうち、偽造硬貨や外国硬貨などの受け入れ不能な硬貨は、すでに硬貨回収ボックスに回収されているので、ＣＰＵ７０によって、その硬貨は、受け入れ可能な硬貨と判別され、その硬貨の金種が判別されて、判別結果がＲＡＭ７２に書き込まれる。
【０２５８】
硬貨が、さらに、硬貨通路４内を下流側に向けて搬送され、センサ８ａによって、その硬貨が検出されると、センサ８ａから、硬貨検出信号がＣＰＵ７０に出力される。
【０２５９】
二番目に包装すべき金種の硬貨の包装硬貨ロールＣを生成する場合には、硬貨包装機に投入された硬貨のうち、偽造硬貨や外国硬貨などの受け入れ不能な硬貨は、すでに硬貨回収ボックスに回収されているので、ＣＰＵ７０は、センサ８ａから、硬貨検出信号が入力されても、何の信号も出力せず、硬貨は、第一の硬貨回収口８を通過して、センサ８ｂによって、検出される。
【０２６０】
センサ８ｂが、硬貨を検出すると、硬貨検出信号がＣＰＵ７０に出力される。
【０２６１】
ＣＰＵ７０は、センサ８ｂから、硬貨検出信号を受けると、ＲＡＭ７２に書き込まれたその硬貨の判別結果を読み出し、その硬貨の金種に対応するＲＡＭ７２のメモリ領域に、センサ８ｂによって検出された硬貨の枚数を書き込む。
【０２６２】
硬貨は、さらに、硬貨通路４内を下流側に向けて搬送され、センサ９ａによって、その硬貨が検出されると、センサ９ａから、硬貨検出信号がＣＰＵ７０に出力される。
【０２６３】
ＣＰＵ７０は、センサ９ａから、硬貨検出信号を受けると、ＲＡＭ７２に記憶されたその硬貨の判別結果を読み出すとともに、ＲＡＭ７２に記憶された包装すべき硬貨の金種を読み出す。
【０２６４】
ＣＰＵ７０は、ＲＡＭ７２に記憶されたその硬貨の判別結果と、ＲＡＭ７２に記憶された包装すべき硬貨の金種とに基づき、その硬貨の金種が、二番目に包装すべき硬貨の金種と一致するか否かを判定する。
【０２６５】
その硬貨の金種が、二番目に包装すべき硬貨の金種と一致するか否かを判定した結果、その硬貨の金種が、包装すべき硬貨の金種と一致しないと判定したときは、ＣＰＵ７０は、第二のソレノイド８４に駆動信号を出力して、第二の突出部材９ｄを、ガイドレール６ａ内に退避した退避位置から、硬貨通路４内に突出した突出位置に回動させる。
【０２６６】
その結果、その金種が、二番目に包装すべき硬貨の金種と一致しないと判定された硬貨は、第二の突出部材９ｄによって、ガイドレール６ｂに向けて押され、ガイドレール６ａの内壁から離れ、ガイドレール６ａの内壁によってガイドされない状態で、第二の硬貨回収口９に送られる。
【０２６７】
第二の硬貨回収口９は、ガイドレール６ａの内壁と、突出位置にある第二の突出部材９ｄの先端部との距離Ｌ５が、ガイドレール６ａの内壁と、第二の硬貨回収口９のガイドレール６ａ側の縁部との距離Ｌ６よりもわずかに大きくなるように、形成されているから、その金種が、二番目に包装すべき硬貨の金種と一致しないと判定された硬貨は、そのガイドレール６ａ側の縁部が、ガイドレール６ａと第二の硬貨回収口９との間の硬貨通路４の上面で支持されなくなり、第二の硬貨回収口９内に落下し、第二の硬貨回収口９に接続された第二の硬貨回収通路３２を介して、下部ホッパ３５内に回収される。
【０２６８】
これに対して、センサ８ａによって検出された硬貨の金種が、二番目に包装すべき硬貨の金種と一致している判別されていたときは、ＣＰＵ７０は何の信号も出力しない。
【０２６９】
その結果、その金種が、二番目に包装すべき硬貨の金種と一致していると判定された硬貨は、両縁部が、ガイドレール６ａと第二の硬貨回収口９との間の硬貨通路４の上面および第二の硬貨回収口９とガイドレール６ｂとの間の硬貨通路４の上面によって支持されつつ、第二の硬貨回収口９に送られ、第二の硬貨回収口９は、ガイドレール６ａの内壁と、第二の硬貨回収口９のガイドレール６ｂ側の縁部との距離Ｌ４が、処理すべき最小径の硬貨の径よりもわずかに小さくなるように形成されているから、硬貨は、第二の硬貨回収口９内に落下することなく、第二の硬貨回収口９を通過する。
【０２７０】
硬貨回収口９を通過した硬貨Ｃは、センサ９ｂ上を通過して、センサ９ｂによって、検出される。
【０２７１】
センサ９ｂが、硬貨を検出すると、硬貨検出信号がＣＰＵ７０に出力される。
【０２７２】
ＣＰＵ７０は、センサ９ｂから、硬貨検出信号を受けると、ＲＡＭ７２に書き込まれたその硬貨の判別結果を読み出して、その硬貨の金種、すなわち、二番目に包装すべき硬貨の金種に対応するＲＡＭ７２のメモリ領域に、センサ９ｂによって検出された硬貨の枚数を書き込む。
【０２７３】
二番目に包装すべき金種の硬貨は、さらに、硬貨通路４内を、硬貨通路４の終端部に向けて、下流側に送られる。
【０２７４】
硬貨通路４の終端部に達した二番目に包装すべき金種の硬貨は、硬貨通路４の終端部に接続された硬貨集積部１０に送られる。
【０２７５】
硬貨集積部１０に送られた二番目に包装すべき金種の硬貨は、オペレータによって、包装すべき金種の硬貨として指定された硬貨と同様にして、集積されて、所定枚数の集積硬貨が生成される。
【０２７６】
生成された集積硬貨は、オペレータによって、包装すべき金種の硬貨として指定された硬貨と同様にして、硬貨包装部２０に送られて、包装ローラ２１、２１、２１によって、その周囲に包装用フイルムが巻回され、集積硬貨に巻回された包装用フイルムの上下端部が加締められて、二番目に包装すべき金種の硬貨の包装硬貨ロールＣが生成される。
【０２７７】
こうして、生成された包装硬貨ロールＣは、オペレータによって指定された金種の硬貨を包装して、生成された包装硬貨ロールＣを、第一の包装硬貨収納サブボックス４０ａあるいは第二の包装硬貨収納サブボックス４０ｂ内に収納したのと同様にして、第一の包装硬貨収納サブボックスグループを構成する第一の包装硬貨収納サブボックス４０ａあるいは第二の包装硬貨収納サブボックス４０ｂ内に収納される。
【０２７８】
以下、オペレータによって指定された金種の硬貨を包装して、生成された包装硬貨ロールＣを、第一の包装硬貨収納サブボックスグループを構成する第一の包装硬貨収納サブボックス４０ａあるいは第二の包装硬貨収納サブボックス４０ｂ内に収納したのと同様にして、二番目に包装すべき金種の硬貨を包装して、生成された包装硬貨ロールＣが、包装硬貨収納ボックス４０内の第一の包装硬貨収納サブボックス４０ａ、第二の包装硬貨収納サブボックス４０ｂ、第三の包装硬貨収納サブボックス４０ｃあるいは第四の包装硬貨収納サブボックス４０ｄ内に、選択的に収納される。
【０２７９】
こうして、次々に、二番目に包装すべき金種の硬貨が包装され、所定枚数の硬貨を含む包装硬貨ロールＣが生成されて、所定の包装硬貨収納サブボックス内に収納され、オペレータによって指定された包装すべき金種の硬貨の包装完了後に、下部ホッパ４５から、上部ホッパ１を介して、第二の回転円板３に送られたすべての硬貨が、下部ホッパ４５、硬貨集積部１０および端数硬貨回収ボックス５５内に送られると、オペレータによって包装すべき金種として指定された金種の硬貨を包装して、包装硬貨ロールＣを生成した際に、下部ホッパ４５内に回収された受け入れ可能な硬貨で、検出された枚数が最も多かった金種の硬貨の包装および包装硬貨ロールＣの生成が完了する。
【０２８０】
オペレータによって、第二の包装処理モードが選択されている場合には、オペレータによって包装すべき金種として指定された金種の硬貨を包装して、包装硬貨ロールＣを生成した際に、下部ホッパ４５内に回収された受け入れ可能な硬貨で、検出された枚数が最も多かった金種の硬貨の包装および包装硬貨ロールＣの生成が完了すると、オペレータによって包装すべき金種として指定された金種の硬貨を包装して、包装硬貨ロールＣを生成した際に、下部ホッパ４５内に回収された受け入れ可能な硬貨で、検出された枚数が二番目に多かった金種の硬貨の包装処理が開始される。
【０２８１】
すなわち、ＣＰＵ７０は、まず、ＲＡＭ７２にアクセスして、オペレータによって包装すべき金種として指定された金種の硬貨を包装して、包装硬貨ロールＣを生成した際に、下部ホッパ４５内に回収された受け入れ可能な硬貨で、検出された枚数が二番目に多かった金種の硬貨を選択して、三番目に、包装すべき金種の硬貨として決定し、ＲＡＭ７２に書き込み、アラーム手段１０６にアラームを発生させるとともに、三番目に包装すべき硬貨の金種を、ディスプレイパネル１０５に表示させる。
【０２８２】
次いで、ＣＰＵ７０は、三番目に包装すべき金種の硬貨が包装されて、生成される包装硬貨ロールＣが、二番目に包装すべき金種の硬貨が包装されて、生成された包装硬貨ロールＣとは、異なる包装硬貨収納サブボックス内に収納されるように、アラーム手段１０６にアラームを発生させるとともに、包装硬貨収納ボックス４０を硬貨包装機から取り外し、包装硬貨収納ボックス４０の向きを反転させて、再度、包装硬貨収納ボックス４０を硬貨包装機にセットすべき旨をオペレータに促すメッセージを、ディスプレイパネル１０５に表示させる。
【０２８３】
ここに、三番目に包装すべき金種の硬貨の包装硬貨ロールＣを収納すべき包装硬貨収納サブボックスは、二番目に包装をした金種の硬貨の包装を開始する場合と同様にして、決定される。
【０２８４】
こうして、三番目に包装すべき金種の硬貨の包装硬貨ロールＣを収納すべき包装硬貨収納サブボックスが決定されると、ＣＰＵ７０は、下部搬送ベルトモータ９４、リフトモータ９５および供給ベルトモータ９６に駆動信号を出力して、搬送ベルト３６、硬貨リフトベルト３７および供給ベルト３８を駆動させる。
【０２８５】
その結果、下部ホッパ３５内に回収されたオペレータが、包装すべき金種の硬貨として指定した以外の金種の硬貨は、下部ホッパ３５の底部を形成する搬送ベルト３６によって、硬貨リフトベルト３７に受け渡される。
【０２８６】
搬送ベルト３６から、硬貨リフトベルト３７に受け渡された硬貨は、それぞれ、硬貨リフトベルト３７に設けられた櫛歯状の突起３７ａによって、その下縁が係止され、硬貨リフトベルト３７の面に、硬貨面が沿った状態で、下部ホッパ３５から上部ホッパ１に向けて搬送される。
【０２８７】
硬貨リフトベルト３７が駆動されるのにともなって、硬貨リフトベルト３７に受け渡された硬貨は、それぞれ、上方に送られ、硬貨リフトベルト３７の上端部近傍に設けられたスクレイパープレート（図示せず）によって、硬貨リフトベルト３７から掻き落とされ、供給ベルト３８上に落下する。
【０２８８】
こうして、供給ベルト３８上に落下した硬貨は、供給ベルト３８によって、それぞれ、上部ホッパ１内に供給され、上部ホッパ１の開口部１ａを介して、第一の回転円板２上に落下する。
【０２８９】
第一の回転円板２上に落下した硬貨は、第一の回転円板２の回転によって生じた遠心力によって、第二の回転円板３上に送られる。
【０２９０】
第二の回転円板３内に送り込まれた硬貨は、第二の回転円板３の回転により生じた遠心力により、環状のガイドに沿って移動し、環状のガイドに設けられた送出口（図示せず）から、硬貨通路４内に、１枚ずつ、送り出され、三番目に包装すべき金種の硬貨が、二番目に包装された金種の硬貨と同様にして、選択的に、硬貨集積部１０に送られて、所定枚数の硬貨が集積された集積硬貨が生成される。
【０２９１】
生成された集積硬貨は、二番目に包装された金種の硬貨と同様にして、硬貨包装部２０に送られ、包装ローラ２１、２１、２１によって、その周囲に包装用フイルムが巻回され、集積硬貨に巻回された包装用フイルムの上下端部が加締められて、三番目に包装すべき金種の硬貨の包装硬貨ロールＣが生成される。
【０２９２】
こうして生成された包装硬貨ロールＣは、二番目にすべき金種の硬貨を包装して、生成された包装硬貨ロールＣと同様にして、第一の包装硬貨収納サブボックス４０ａ、第二の包装硬貨収納サブボックス４０ｂ、第三の包装硬貨収納サブボックス４０ｃあるいは第四の包装硬貨収納サブボックス４０ｄ内に、選択的に収納される。
【０２９３】
同様にして、硬貨包装機に投入されたすべての受け入れ可能な硬貨が、オペレータによって指定された包装すべき金種の硬貨の包装完了後に、下部ホッパ４５に収納されている硬貨の枚数が多い順に、順次、包装され、包装硬貨ロールＣが生成されて、所定の包装硬貨収納サブボックス内に収納される。
【０２９４】
こうして、硬貨包装機に投入されたすべての受け入れ可能な硬貨の包装処理ならびに包装硬貨ロールＣの生成処理および包装硬貨収納ボックスへの収納処理が完了すると、ＣＰＵ７０は、第一の回転円板モータ８０、第二の回転円板モータ８１および搬送ベルトモータ８２に、それぞれ、駆動停止信号を出力して、第一の回転円板２および第二の回転円板３の回転を停止させるとともに、搬送ベルト５の駆動を停止させて、硬貨包装機に投入された硬貨の包装処理を終了させる。
【０２９５】
硬貨の包装処理が終了すると、オペレータによって、包装硬貨収納ボックス４０が、硬貨包装機から引き出されて、包装硬貨収納ボックス４０内に収納された包装硬貨ロールＣが、オペレータによって取り出され、端数硬貨回収ボックス５５が、硬貨包装機から引き出されて、端数硬貨回収ボックス５５内に回収された包装すべき金種の端数硬貨は、オペレータによって回収される。
【０２９６】
さらに、オペレータによって、下部ホッパ４５が、硬貨包装機から引き出されて、下部ホッパ４５内に回収された包装すべき金種以外の金種の受け入れ可能な硬貨が回収され、硬貨回収ボックス３１が、硬貨包装機から引き出され、硬貨回収ボックス３１内に回収された偽装硬貨や外国硬貨などの受け入れ不能な硬貨が、受け入れ可能な硬貨と別個に回収される。
【０２９７】
本実施態様によれば、包装硬貨収納ボックス４０が、同じ内容積を有する第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄに分割されているから、同じ内容積の包装硬貨収納ボックスを用いる場合においても、複数のサブボックスに分割されていない包装硬貨収納ボックス内に、所定の金種の硬貨が包装されて、生成された包装硬貨ロールＣを収納させる場合に比して、数多くの包装硬貨ロールＣを収納させることができ、効率よく、硬貨を包装して、包装硬貨ロールを生成することが可能になる。
【０２９８】
すなわち、複数のサブボックスに分割されていない包装硬貨収納ボックス内に、生成された包装硬貨ロールを収納する場合には、包装硬貨収納ボックス内に収納された包装硬貨ロールが、硬貨包装機の開口部の下方で、積み重ねられて、盛り上がり、包装硬貨収納ボックス内に、さらに、包装硬貨ロールを収納させることが可能であるにもかかわらず、硬貨包装機の開口部に設けられたセンサによって、包装硬貨ロールが検出され、包装硬貨回収ボックス内が、生成された包装硬貨ロールによって満たされたと判定されやすく、したがって、硬貨包装機の作動を頻繁に停止させて、包装硬貨収納ボックス内に収納されている包装硬貨ロールを回収することが必要であり、きわめて不効率であるという問題があったが、本実施態様によれば、包装硬貨収納ボックス４０が、同じ内容積を有する第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄに分割されているから、第一の開口部４１あるいは第二の開口部４２の下方の包装硬貨収納サブボックス内で、包装硬貨ロールＣが積み重ねられて、盛り上がっても、複数のサブボックスに分割されていない包装硬貨収納ボックス内に収納可能な包装硬貨ロールＣよりも、より多くの包装硬貨ロールＣを、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄ内に収納することが可能になり、したがって、包装硬貨収納ボックス４０の内容積を有効に活用することができるから、効率よく、硬貨を包装して、包装硬貨ロールを生成することが可能になる。
【０２９９】
また、本実施態様によれば、第一の包装硬貨収納サブボックスグループを構成する第一の包装硬貨収納サブボックス４０ａおよび第二の包装硬貨収納サブボックス４０ｂが硬貨包装機内にセットされているときは、それまで、包装硬貨ロールＣを収納させていた第一の包装硬貨収納サブボックス４０ａあるいは第二の包装硬貨収納サブボックス４０ｂに、これ以上、包装硬貨ロールＣを収納させることができなくなっても、第一の包装硬貨収納サブボックスグループを構成するサブボックスの中から、自動的に、包装硬貨ロールＣが収納されていない第二の包装硬貨収納サブボックス４０ｂあるいは第一の包装硬貨収納サブボックス４０ａが選択されて、包装硬貨ロールＣが収納されるように構成され、一方、第二の包装硬貨収納サブボックスグループを構成する第三の包装硬貨収納サブボックス４０ｃおよび第四の包装硬貨収納サブボックス４０ｄが硬貨包装機内にセットされているときは、それまで、包装硬貨ロールＣを収納させていた第三の包装硬貨収納サブボックス４０ｃあるいは第四の包装硬貨収納サブボックス４０ｄに、これ以上、包装硬貨ロールＣを収納させることができなくなっても、第二の包装硬貨収納サブボックスグループを構成するサブボックスの中から、自動的に、包装硬貨ロールＣが収納されていない第四の包装硬貨収納サブボックス４０ｄあるいは第三の包装硬貨収納サブボックス４０ｃが選択されて、包装硬貨ロールＣが収納されるように構成されているから、大量の硬貨を包装処理する場合においても、包装処理を中断することなく、長時間にわたって、連続して、硬貨包装機を動作させて、硬貨を包装することができ、きわめて効率的に、硬貨を包装して、包装硬貨ロールＣを生成することが可能になる。
【０３００】
さらに、本実施態様によれば、第一の包装硬貨収納サブボックスグループを構成する第一の包装硬貨収納サブボックス４０ａおよび第二の包装硬貨収納サブボックス４０ｂが、硬貨包装機内に位置するように、包装硬貨収納ボックス４０が硬貨包装機に取り付けられているときは、第二の包装硬貨収納サブボックスグループを構成する第三の包装硬貨収納サブボックス４０ｃおよび第四の包装硬貨収納サブボックス４０ｄの内部空間が、硬貨包装機の外部に、アクセス可能に露出し、オペレータが、第二の包装硬貨収納サブボックスグループを構成する第三の包装硬貨収納サブボックス４０ｃおよび／または第四の包装硬貨収納サブボックス４０ｄ内に収納されている包装硬貨ロールを取り出すことができ、一方、第二の包装硬貨収納サブボックスグループを構成する第三の包装硬貨収納サブボックス４０ｃおよび第四の包装硬貨収納サブボックス４０ｄが、硬貨包装機内に位置するように、包装硬貨収納ボックス４０が硬貨包装機に取り付けられているときは、第一の包装硬貨収納サブボックスグループを構成する第一の包装硬貨収納サブボックス４０ａおよび第二の包装硬貨収納サブボックス４０ｂの内部空間が、硬貨包装機の外部に、アクセス可能に露出し、オペレータが、第一の包装硬貨収納サブボックスグループを構成する第一の包装硬貨収納サブボックス４０ａおよび／または第二の包装硬貨収納サブボックス４０ｂ内に収納されている包装硬貨ロールを取り出すことができるように、硬貨硬貨収納ボックス４０のサイズおよび硬貨包装機内の取り付け位置が決定されているから、包装硬貨ロールＣを、第二の包装硬貨収納サブボックスグループを構成する第三の包装硬貨収納サブボックス４０ｃあるいは第四の包装硬貨収納サブボックス４０ｄ内に収納している間に、第一の包装硬貨収納サブボックスグループを構成する第一の包装硬貨収納サブボックス４０ａおよび／または第二の包装硬貨収納サブボックス４０ｂ内に収納されている包装硬貨ロールＣを回収し、包装硬貨ロールＣを、第一の包装硬貨収納サブボックスグループを構成する第一の包装硬貨収納サブボックス４０ａあるいは第二の包装硬貨収納サブボックス４０ｂ内に収納収納している間に、第二の包装硬貨収納サブボックスグループを構成する第三の包装硬貨収納サブボックス４０ｃおよび／または第四の包装硬貨収納サブボックス４０ｄ内に収納されている包装硬貨ロールＣを回収することができ、したがって、第一の包装硬貨収納サブボックスグループを構成する第一の包装硬貨収納サブボックス４０ａおよび第二の包装硬貨収納サブボックス４０ｂあるいは第二の包装硬貨収納サブボックスグループを構成する第三の包装硬貨収納サブボックス４０ｃおよび第四の包装硬貨収納サブボックス４０ｄが、包装硬貨ロールＣによって満たされたと判定されたときに、包装硬貨収納ボックス４０を硬貨包装機から取り外し、包装硬貨収納ボックス４０の向きを反転させて、再度、包装硬貨収納ボックス４０を硬貨包装機にセットするわずかな時間だけ、硬貨の包装処理を中断させるだけで、長時間にわたって、連続して、硬貨包装機を動作させて、硬貨を包装することが可能になるから、きわめて効率的に、硬貨を包装して、包装硬貨ロールＣを生成することができる。
【０３０１】
また、本実施態様によれば、第二の包装処理モードが選択され、硬貨包装機に投入された硬貨が、金種ごとに、順次、包装され、包装硬貨ロールＣが生成される場合に、硬貨の金種ごとに、包装硬貨ロールＣが異なる包装硬貨収納サブボックス内に収納されるように構成されているから、包装処理の完了後に、きわめて効率的に、包装硬貨ロールＣを、金種ごとに回収することが可能になる。
【０３０２】
さらに、本実施態様によれば、オペレータが、包装硬貨ロールＣを収納すべき包装硬貨収納サブボックスを指定することができるように構成されているから、オペレータの意思に合致し、具体的な事情に則した硬貨の包装処理を実行することが可能になる。
【０３０３】
また、本実施態様によれば、それまで、包装硬貨ロールＣを収納させていた包装硬貨収納サブボックスに、これ以上、包装硬貨ロールＣを収納させることができなくなり、硬貨包装機によって、新たに、包装硬貨ロールＣを収納すべき包装硬貨収納サブボックスが提案された場合に、オペレータが、硬貨包装機によって提案された包装硬貨収納サブボックス内に、包装硬貨ロールＣを収納することに同意しないときは、オペレータが同意する包装硬貨収納サブボックス内に、包装硬貨ロールＣを収納するように構成されているから、オペレータの意思に合致し、具体的な事情に則した硬貨の包装処理を実行することが可能になる。
【０３０４】
図１２は、本発明の別の好ましい実施態様にかかる硬貨包装機の包装硬貨ロール分配収納機構近傍の略断面図である。
【０３０５】
図１２に示されるように、本実施態様にかかる硬貨包装機は、その下部に着脱可能に取り付けられた包装硬貨収納ボックス４０に加えて、その上部に、硬貨包装部２０によって生成された包装硬貨ロールを収納する上部包装硬貨収納ボックス１１０を備えている。
【０３０６】
包装硬貨収納ボックス４０と同様に、上部包装硬貨収納ボックス１１０は、いずれも、硬貨包装機に着脱可能に取り付けられている。
【０３０７】
図１２に示されるように、包装硬貨分配手段５１の側方には、包装硬貨分配手段５１から、包装硬貨ロールを受け、上部包装硬貨収納ボックス１１０に向けて、移送する包装硬貨リフト１２０が設けられている。
【０３０８】
包装硬貨リフト１２０は、一対のプーリ１２１に巻回されたチェーンベルト１２２と、チェーンベルト１２２の内側表面に取り付けられ、チェーンベルト１２２によって昇降可能に構成された包装硬貨搬送部材１２３を備えている。図１２においては、説明の便宜上、一方のプーリ１２１のみが図示されている。
【０３０９】
図１２に示されるように、包装硬貨搬送部材１２３は、チェーンベルト１２２に固定された取り付け部１２３ａと、取り付け部１２３ａの下端部に設けられた軸１２３ｂと、軸１２３ｂまわりに揺動可能な板部材１２３ｃと、板部材１２３ｃの軸１２３ｂと反対側の端部の下側に取り付けられたローラ１２３ｄとを備え、板部材１２３ｃは、図１２において、ばね（図示せず）によって、時計方向に付勢されている。
【０３１０】
図１２に示されるように、包装硬貨リフト１２０の上部には、上部開口部１２５が形成されており、上部開口部１２５は、上部包装硬貨収容ボックス１１０に向けて、開口している。
【０３１１】
図１２に示されるように、包装硬貨リフト１２０の上部開口部１２５には、発光素子と受光素子を備えた上部包装硬貨センサ１２６が設けられ、上部包装硬貨センサ１２６は、上部包装硬貨収容ボックス１１０内に収納され、積み重ねられた包装硬貨ロールＣの一部が包装硬貨リフト６０の上部開口部１２５内に存在し、発光素子から発せられた光を、包装硬貨ロールＣが遮り、所定の時間にわたって、受光素子が検出しなったときに、すなわち、それ以上、上部包装硬貨収容ボックス１１０内に、包装硬貨ロールＣを収納することができなくなったときに、包装硬貨検出信号を出力するように構成されている。
【０３１２】
包装硬貨リフト１２０の上部開口部１２５の直下には、包装硬貨搬送部材１２３のローラ１２３ｄに係合する係合部１２４ａが設けられている。
【０３１３】
本実施態様にかかる硬貨包装機は、硬貨包装部２０によって生成された包装硬貨ロールＣを、包装硬貨分配手段５１を駆動することにより、包装硬貨収納ボックス４０の第一の包装硬貨収納サブボックス４０ａ、第二の包装硬貨収納サブボックス４０ｂ、第三の包装硬貨収納サブボックス４０ｃもしくは第四の包装硬貨収納サブボックス４０ｄまたは上部包装硬貨収容ボックス１１０に、選択的に送って、回収可能に構成され、包装硬貨搬送部材１２３は、チェーンベルト１２２によって、包装硬貨分配手段１２１から送り出された包装硬貨ロールＣを受け取る包装硬貨受け取り位置と、包装硬貨分配手段５１から受け取った包装硬貨ロールを、上部包装硬貨収容ボックス１１０内に送り出す包装硬貨送り出し位置と、包装硬貨受け取り位置から上方に退避し、包装硬貨分配手段５１から送り出された包装硬貨ロールＣをガイド部材５７に導く退避位置との間を、昇降可能に構成されている。
【０３１４】
図１３は、硬貨包装部２０によって生成され、シュート５０を介して、包装硬貨分配手段５１に供給された包装硬貨ロールＣを、上部包装硬貨収容ボックス１１０に収納させる場合に、包装硬貨ロールＣを、包装硬貨リフト１２０の包装硬貨搬送部材１２３に受け渡すときの包装硬貨分配手段５１および包装硬貨搬送部材１２３の状態を示す略断面図である。
【０３１５】
図１３に示されるように、包装硬貨ロールＣを、包装硬貨リフト１２０の包装硬貨搬送部材１２３に受け渡すときは、包装硬貨搬送部材１２３は、包装硬貨受け取り位置に保持され、包装硬貨分配手段５１の第一の包装硬貨支持部材５３が、図１２に示された包装硬貨支持位置から、図１２および図１３において、支軸５２まわりに、時計方向に約１００度ないし１１０度にわたって、揺動される。
【０３１６】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂを介して、包装硬貨搬送部材１２３の上方に付勢された板状部材１２３ｃの上面に導かれ、包装硬貨搬送部材１２３の板状部材１２３ｃの上面によって保持される。
【０３１７】
次いで、チェーンベルト１２２が駆動され、包装硬貨搬送部材１２３が、包装硬貨受け取り位置から、上方の包装硬貨送り出し位置に向けて、上昇される。
【０３１８】
包装硬貨搬送部材１２３が上昇され、包装硬貨送り出し位置の直前に達すると、包装硬貨搬送部材１２３のローラ１２３ｄが、包装硬貨リフト１２０の上部開口部１２５の直下に形成された係合部１２４ａに係合して、包装硬貨搬送部材１２３の板状部材１２３ｂの先端部が停止される。
【０３１９】
包装硬貨搬送部材１２３は、さらに上昇され、包装硬貨送り出し位置に達した時点で、チェーンベルト１２２が停止される。
【０３２０】
包装硬貨搬送部材１２３のローラ１２３ｄが、包装硬貨リフト１２０の係合部１２４ａに係合した後に、包装硬貨搬送部材１２３が、包装硬貨送り出し位置に向けて、さらに上昇されるにつれて、包装硬貨搬送部材１２３の板状部材１２３ｂは、軸１２３ｂまわりに、図１２および図１３において、反時計方向に揺動され、したがって、包装硬貨搬送部材１２３が包装硬貨送り出し位置に達すると、包装硬貨搬送部材１２３の板状部材１２３ｃの上面によって保持された包装硬貨ロールＣは、包装硬貨搬送部材１２３から、包装硬貨リフト１２０の上部に形成された上部開口部１２５に向けて、送り出され、包装硬貨リフト１２０に形成された上部開口部１２５を介して、上部包装硬貨収納ボックス１１０内に落下し、上部包装硬貨収納ボックス１１０内に収納される。
【０３２１】
本実施態様においては、第一の包装硬貨収納サブボックスグループを構成する第一の包装硬貨収納サブボックス４０ａおよび第二の包装硬貨収納サブボックス４０ｂが、それぞれ、硬貨包装機の第一の開口部４１および第二の開口部４２の下方に位置するように、包装硬貨収納ボックス４０がセットされているときは、第一の包装硬貨収納サブボックス４０ａおよび第二の包装硬貨収納サブボックス４０ｂのいずれか一方、あるいは、上部包装硬貨収納ボックス１１０内に、生成された包装硬貨ロールＣを選択的に収納させ、第二の包装硬貨収納サブボックスグループを構成する第三の包装硬貨収納サブボックス４０ｃおよび第四の包装硬貨収納サブボックス４０ｄが、それぞれ、硬貨包装機の第一の開口部４１および第二の開口部４２の下方に位置するように、包装硬貨収納ボックス４０がセットされているときは、第三の包装硬貨収納サブボックス４０ｃおよび第四の包装硬貨収納サブボックス４０ｄのいずれか一方、あるいは、上部包装硬貨収納ボックス１１０内に、生成された包装硬貨ロールＣを選択的に収納させるように構成されている。
【０３２２】
生成された包装硬貨ロールＣを、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄならびに上部包装硬貨収納ボックス１１０のいずれに収納させるかは、前記実施態様と同様にして、決定される。
【０３２３】
ここに、本実施態様においては、硬貨の包装処理の開始後、第一の包装硬貨収納サブボックスグループを構成する第一の包装硬貨収納サブボックス４０ａおよび／または第二の包装硬貨収納サブボックス４０ｂ内に、これ以上、包装硬貨ロールＣを収納させることができないと判定した場合に、第二の包装硬貨収納サブボックスグループを構成する第三の包装硬貨収納サブボックス４０ｃあるいは第四の包装硬貨収納サブボックス４０ｄ内に、包装硬貨ロールＣが収納されていないと判定したときは、ＣＰＵ７０が、第二の包装硬貨収納サブボックスグループを構成するサブボックスの中から、新たに、包装硬貨ロールＣを収納させるべき包装硬貨収納サブボックスとして、第三の包装硬貨収納サブボックス４０ｃあるいは第四の包装硬貨収納サブボックス４０ｄを選択し、第二の包装硬貨収納サブボックスグループを構成する第三の包装硬貨収納サブボックス４０ｃおよび／または第四の包装硬貨収納サブボックス４０ｄ内に、これ以上、包装硬貨ロールＣを収納させることができないと判定した場合に、第一の包装硬貨収納サブボックスグループを構成する第一の包装硬貨収納サブボックス４０ａあるいは第二の包装硬貨収納サブボックス４０ｂ内に、包装硬貨ロールＣが収納されていないと判定したときは、ＣＰＵ７０が、第一の包装硬貨収納サブボックスグループを構成するサブボックスの中から、新たに、包装硬貨ロールＣを収納させるべき包装硬貨収納サブボックスとして、第一の包装硬貨収納サブボックス４０ａあるいは第二の包装硬貨収納サブボックス４０ｂを選択するように構成され、オペレータが、硬貨包装機に、とくに包装硬貨ロールＣを上部包装硬貨収納ボックス１１０内に収納すべき旨を指示した場合にのみ、上部包装硬貨収納ボックス１１０内に、包装硬貨ロールＣが収納されるように構成されており、したがって、本実施態様においては、第一の包装硬貨収納サブボックスグループを構成する第一の包装硬貨収納サブボックス４０ａあるいは第二の包装硬貨収納サブボックス４０ｂ内に、包装硬貨ロールＣを収納させているときに、第二の包装硬貨収納サブボックスグループを構成する第三の包装硬貨収納サブボックス４０ｃおよび／または第四の包装硬貨収納サブボックス４０ｄ内に収納されている包装硬貨ロールＣを回収し、第二の包装硬貨収納サブボックスグループを構成する第三の包装硬貨収納サブボックス４０ｃあるいは第四の包装硬貨収納サブボックス４０ｄ内に、包装硬貨ロールＣを収納させているときに、第一の包装硬貨収納サブボックスグループを構成する第一の包装硬貨収納サブボックス４０ａおよび／または第二の包装硬貨収納サブボックス４０ｂ内に収納されている包装硬貨ロールＣを回収するようには、構成されていない。
【０３２４】
本実施態様によれば、硬貨包装機は、その下部に、着脱可能に取り付けられた包装硬貨収納ボックス４０に加えて、その上部に、着脱可能に取り付けられた上部包装硬貨収納ボックス１１０を備えており、２つの包装硬貨収納ボックスを備えているから、大量の硬貨を包装処理する場合においても、包装処理を中断することなく、長時間にわたって、連続して、硬貨包装機を動作させて、硬貨を包装することができ、きわめて効率的に、硬貨を包装して、包装硬貨ロールＣを生成することが可能になる。
【０３２５】
図１４は、本発明の他の好ましい実施態様にかかる硬貨包装機の包装硬貨ロール分配収納機構近傍の略断面図である。
【０３２６】
図１４に示されるように、本実施態様にかかる硬貨包装機の包装硬貨ロール分配収納機構は、第一の上部包装硬貨収納ボックス１１０ａおよび第二の上部包装硬貨収納ボックス１１０ｂを備えている。
【０３２７】
ここに、第一の上部包装硬貨収納ボックス１１０ａおよび第二の上部包装硬貨収納ボックス１１０ｂは、いずれも、硬貨包装機に着脱可能に取り付けられている。
【０３２８】
図１４に示されるように、本実施態様においては、包装硬貨リフト１２０の上部には、第一の上部包装硬貨収納ボックス１１０ａに向けて、開口する第一の上部開口部１２５ａと、第二の上部包装硬貨収納ボックス１１０ｂに向けて、開口する第二の上部開口部１２５ｂとが形成されている。
【０３２９】
図１４に示されるように、包装硬貨リフト１２０の第一の上部開口部１２５ａには、発光素子と受光素子を備えた第一の上部包装硬貨センサ１２６ａが設けられ、第一の上部包装硬貨センサ１２６ａは、第一の上部包装硬貨収納ボックス１２５ａ内に収納され、積み重ねられた包装硬貨ロールＣの一部が包装硬貨リフト１２０の第一の上部開口部１２５ａ内に存在し、発光素子から発せられた光を、包装硬貨ロールＣが遮り、所定の時間にわたって、受光素子が検出しなったときに、すなわち、これ以上、第一の上部包装硬貨収容ボックス１１０ａ内に、包装硬貨ロールＣを収納することができなくなったときに、包装硬貨検出信号をＣＰＵ７０に出力するように構成されている。
【０３３０】
同様に、図１４に示されるように、包装硬貨リフト１２０の第二の上部開口部１２５ｂには、発光素子と受光素子を備えた第二の上部包装硬貨センサ１２６ｂが設けられ、第二の上部包装硬貨センサ１２６ｂは、第二の上部包装硬貨収納ボックス１１０ｂ内に収納され、積み重ねられた包装硬貨ロールＣの一部が包装硬貨リフト１２０の第二の上部開口部１２５ｂ内に存在し、発光素子から発せられた光を、包装硬貨ロールＣが遮り、所定の時間にわたって、受光素子が検出しなったときに、すなわち、これ以上、第二の上部包装硬貨収容ボックス１１０ｂ内に、包装硬貨ロールＣを収納することができなくなったときに、包装硬貨検出信号をＣＰＵ７０に出力するように構成されている。
【０３３１】
包装硬貨搬送部材１２３は、図１２に示された包装硬貨ロール分配収納機構と同様に、チェーンベルト１２２に固定された取り付け部１２３ａと、取り付け部１２３ａの下端部に設けられた軸１２３ｂと、軸１２３ｂまわりに揺動可能な板部材１２３ｃと、板部材１２３ｃの軸１２３ｂと反対側の端部の下側に取り付けられたローラ１２３ｄとを備え、板部材１２３ｃは、図１４において、ばね（図示せず）によって、反時計方向に付勢されている。
【０３３２】
図１４に示されるように、本実施態様においては、包装硬貨搬送部材１２３は、包装硬貨リフト１２０のチェーンベルト１２２の外側表面に取り付けられており、チェーンベルト１２２によって、包装硬貨分配手段５１から送り出された包装硬貨ロールＣを受け取る包装硬貨受け取り位置と、包装硬貨分配手段５１から受け取った包装硬貨ロールＣを、第一の上部包装硬貨収容ボックス１１０ａ内に送り出す第一の包装硬貨送り出し位置と、包装硬貨分配手段５１から受け取った包装硬貨ロールＣを、第二の上部包装硬貨収容ボックス１１０ｂ内に送り出す第二の包装硬貨送り出し位置と、包装硬貨受け取り位置から上方に退避し、包装硬貨分配手段５１から送り出された包装硬貨ロールＣをガイド部材５７に導く退避位置との間を、昇降可能に構成されている。
【０３３３】
包装硬貨リフト１２０の第一の上部開口部１２５ａの直下には、通常は、図１４において、包装硬貨リフト１２０の外側で、第一の上部包装硬貨収容ボックス１１０ａ側の退避位置に保持され、包装硬貨搬送部材１２３の板部材１２３ｃ上に支持された包装硬貨ロールＣを、第一の上部包装硬貨収容ボックス１１０ａ内に収納するときに、ソレノイド（図示せず）によって、退避位置から、包装硬貨リフト１２０の内側の包装硬貨収納位置に向けて、突出され、包装硬貨搬送部材１２３のローラ１２３ｄに係合可能に構成された係合部材１２４ｂが設けられている。
【０３３４】
硬貨包装部２０によって生成され、シュート５０を介して、包装硬貨分配手段５１に供給された包装硬貨ロールＣを、第一の包装硬貨収容サブボックス４０ａあるいは第三の包装硬貨収容サブボックス４０ｃ内に収納させる場合には、包装硬貨搬送部材１２３は、包装硬貨受け取り位置から上方に退避した退避位置に保持され、包装硬貨分配手段５１の第一の包装硬貨支持部材５３が、包装硬貨支持位置から、図１４において、支軸５２まわりに、時計方向に約１００度ないし１１０度にわたって、揺動される。
【０３３５】
その結果、第一の包装硬貨支持部材５３の支持部５３ａの上面と第二の包装硬貨支持部材５４との間で保持されていた包装硬貨ロールＣは、第一の包装硬貨支持部材５３の支持部５３ａに対して、鈍角をなして連なる第一の包装硬貨支持部材５３の分配部５３ｂを介して、ガイド部材５７の第一のガイド面５７ａ上に導かれる。
【０３３６】
こうして、ガイド部材５７の第一のガイド面５７ａ上に導かれた包装硬貨ロールＣは、第一の開口部４１を介して、第一の包装硬貨収容サブボックス４０ａあるいは第三の包装硬貨収容サブボックス４０ｃ内に落下し、第一の包装硬貨収容サブボックス４０ａあるいは第三の包装硬貨収容サブボックス４０ｃ内に収納される。
【０３３７】
これに対して、硬貨包装部２０によって生成され、シュート５０を介して、包装硬貨分配手段５１に供給された包装硬貨ロールＣを、第二の包装硬貨収納サブボックス４０ｂあるいは第四の包装硬貨収納サブボックス４０ｃ内に収納させる場合には、包装硬貨搬送部材１２３は、包装硬貨受け取り位置から上方に退避した退避位置に保持され、まず、図１０において、破線で示されるように、包装硬貨分配手段５１の第一の包装硬貨支持部材５３が、包装硬貨支持位置から、図１４において、支軸５２まわりに、時計方向に約６０度ないし７０度にわたって、揺動される。
【０３３８】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂに送られ、第一の包装硬貨支持部材５３の分配部５３ｂ上に保持される。
【０３３９】
こうして、包装硬貨ロールＣが、第一の包装硬貨支持部材５３の分配部５３ｂ上に保持されると、図１０において、破線で示されるように、包装硬貨分配手段５１の第一の包装硬貨支持部材５３が、さらに、図１４において、支軸５２まわりに、時計方向に約９０度にわたって、揺動される。
【０３４０】
その結果、第一の包装硬貨支持部材５３の分配部５３ｂ上に保持されていた包装硬貨ロールＣは、ガイド部材５７の第二のガイド面５７ｂ上に導かれ、第二の開口部４２を介して、第二の包装硬貨収納サブボックス４０ｂあるいは第四の包装硬貨収納サブボックス４０ｃ内に落下して、第二の包装硬貨収納サブボックス４０ｂあるいは第四の包装硬貨収納サブボックス４０ｃ内に収納される。
【０３４１】
これに対して、硬貨包装部２０によって生成され、シュート５０を介して、包装硬貨分配手段５１に供給された包装硬貨ロールＣを、第一の上部包装硬貨収容ボックス１１０ａあるいは第二の上部包装硬貨収容ボックス１１０ｂ内に収納させる場合には、包装硬貨搬送部材６３が、包装硬貨受け取り位置に保持され、まず、包装硬貨分配手段５１の第一の包装硬貨支持部材５３が、包装硬貨支持位置から、図１４において、支軸５２まわりに、時計方向に約１００度ないし１１０度にわたって、揺動される。
【０３４２】
その結果、第一の包装硬貨支持部材５３の支持部５３ａの上面と第二の包装硬貨支持部材５４との間で保持されていた包装硬貨ロールＣは、第一の包装硬貨支持部材５３の分配部５３ｂを介して、包装硬貨搬送部材１２３の上方に付勢された板状部材１２３ｃの上面に導かれ、包装硬貨搬送部材１２３の板状部材１２３ｃの上面によって保持される。
【０３４３】
次いで、チェーンベルト１２２が駆動され、包装硬貨搬送部材１２３が、包装硬貨受け取り位置から、第一の包装硬貨送り出し位置に向けて、上昇される。
【０３４４】
ここに、包装硬貨搬送部材１２３の板状部材１２３ｃの上面によって保持された包装硬貨ロールＣを、第一の上部包装硬貨収容ボックス１１０ａ内に収納させる場合には、包装硬貨搬送部材１２３が上昇され、第一の包装硬貨送り出し位置の直前に達すると、ＣＰＵ７０によって、ソレノイド（図示せず）が駆動されて、係合部材１２４ｂが、包装硬貨リフト１２０の外側の退避位置から、包装硬貨リフト１２０の内側の包装硬貨収納位置に向けて、突出される。
【０３４５】
その結果、包装硬貨搬送部材１２３のローラ１２３ｄが、包装硬貨収納位置に移動された係合部材１２４ｂに係合し、包装硬貨搬送部材１２３の板状部材１２３ｂの先端部が停止される。
【０３４６】
一方、包装硬貨搬送部材１２３は、さらに上昇され、第一の包装硬貨送り出し位置に達した時点で、チェーンベルト１２２が停止される。
【０３４７】
したがって、包装硬貨搬送部材１２３のローラ１２３ｄが、包装硬貨収納位置に位置する係合部材１２４ｂに係合した後に、包装硬貨搬送部材１２３が、第一の包装硬貨送り出し位置に向けて、さらに上昇されるにつれて、包装硬貨搬送部材１２３の板状部材１２３ｂは、軸１２３ｂまわりに、図１４において、反時計方向に揺動されるから、包装硬貨搬送部材１２３が第一の包装硬貨送り出し位置に達すると、包装硬貨搬送部材１２３の板状部材１２３ｃの上面によって保持された包装硬貨ロールＣは、包装硬貨搬送部材１２３から、包装硬貨リフト１２０の上部に形成され、第一の上部包装硬貨収容ボックス１１０ａに向けて、開口する第一の上部開口部１２５ａに向けて、送り出され、第一の上部開口部１２５ａを介して、第一の上部包装硬貨収納ボックス１１０ａ内に落下し、第一の上部包装硬貨収納ボックス１１０ａ内に収納される。
【０３４８】
一方、包装硬貨搬送部材１２３の板状部材１２３ｃの上面によって保持された包装硬貨ロールＣを、第二の上部包装硬貨収容ボックス１１０ｂ内に収納させる場合には、ＣＰＵ７０はソレノイド（図示せず）に駆動信号を出力せず、したがって、チェーンベルト１２２によって、包装硬貨搬送部材１２３は、第一の包装硬貨送り出し位置を越え、第二の包装硬貨送り出し位置に向けて、移動される。
【０３４９】
その結果、包装硬貨搬送部材１２３が反転し、第二の包装硬貨送り出し位置に達すると、包装硬貨搬送部材１２３の板状部材１２３ｃの上面によって保持された包装硬貨ロールＣは、包装硬貨搬送部材１２３から、包装硬貨リフト１２０の上部に形成され、第二の上部包装硬貨収容ボックス１１０ｂに向かって、開口する第二の上部開口部１２５ａに向けて、送り出され、第二の上部開口部１２５ｂを介して、第二の上部包装硬貨収納ボックス１１０ｂ内に落下し、第二の上部包装硬貨収納ボックス１１０ｂ内に収納される。
【０３５０】
本実施態様においては、第一の包装硬貨収納サブボックスグループを構成する第一の包装硬貨収納サブボックス４０ａおよび第二の包装硬貨収納サブボックス４０ｂが、それぞれ、硬貨包装機の第一の開口部４１および第二の開口部４２の下方に位置するように、包装硬貨収納ボックス４０がセットされているときは、第一の包装硬貨収納サブボックスグループを構成する第一の包装硬貨収納サブボックス４０ａおよび第二の包装硬貨収納サブボックス４０ｂのいずれか一方、あるいは、第一の上部包装硬貨収納ボックス１１０ａおよび第二の上部包装硬貨収納ボックス１１０ｂのいずれか一方に、生成された包装硬貨ロールＣを選択的に収納させ、第二の包装硬貨収納サブボックスグループを構成する第三の包装硬貨収納サブボックス４０ｃおよび第四の包装硬貨収納サブボックス４０ｄが、それぞれ、硬貨包装機の第一の開口部４１および第二の開口部４２の下方に位置するように、包装硬貨収納ボックス４０がセットされているときは、第二の包装硬貨収納サブボックスグループを構成する第三の包装硬貨収納サブボックス４０ｃおよび第四の包装硬貨収納サブボックス４０ｄのいずれか一方、あるいは、第一の上部包装硬貨収納ボックス１１０ａおよび第二の上部包装硬貨収納ボックス１１０ｂのいずれか一方に、生成された包装硬貨ロールＣを選択的に収納させるように構成されている。
【０３５１】
生成された包装硬貨ロールＣを、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄならびに第一の上部包装硬貨収納ボックス１１０ａおよび第二の上部包装硬貨収納ボックス１１０ｂのいずれに収納させるかは、前記実施態様と同様にして、決定される。
【０３５２】
本実施態様においては、硬貨の包装処理の開始後、第一の包装硬貨収納サブボックスグループを構成する第一の包装硬貨収納サブボックス４０ａおよび／または第二の包装硬貨収納サブボックス４０ｂ内に、これ以上、包装硬貨ロールＣを収納させることができないと判定した場合に、第二の包装硬貨収納サブボックスグループを構成する第三の包装硬貨収納サブボックス４０ｃあるいは第四の包装硬貨収納サブボックス４０ｄ内に、包装硬貨ロールＣが収納されていないと判定したときは、ＣＰＵ７０が、第二の包装硬貨収納サブボックスグループを構成するサブボックスの中から、新たに、包装硬貨ロールＣを収納させるべき包装硬貨収納サブボックスとして、第三の包装硬貨収納サブボックス４０ｃあるいは第四の包装硬貨収納サブボックス４０ｄを選択し、第二の包装硬貨収納サブボックスグループを構成する第三の包装硬貨収納サブボックス４０ｃおよび／または第四の包装硬貨収納サブボックス４０ｄ内に、これ以上、包装硬貨ロールＣを収納させることができないと判定した場合に、第一の包装硬貨収納サブボックスグループを構成する第一の包装硬貨収納サブボックス４０ａあるいは第二の包装硬貨収納サブボックス４０ｂ内に、包装硬貨ロールＣが収納されていないと判定したときは、ＣＰＵ７０が、第一の包装硬貨収納サブボックスグループを構成するサブボックスの中から、新たに、包装硬貨ロールＣを収納させるべき包装硬貨収納サブボックスとして、第一の包装硬貨収納サブボックス４０ａあるいは第二の包装硬貨収納サブボックス４０ｂを選択し、一方、第一の上部包装硬貨収納ボックス１１０ａあるいは第二の上部包装硬貨収納ボックス１１０ｂ内に、これ以上、包装硬貨ロールＣを収納させることができないと判定した場合に、第二の上部包装硬貨収納ボックス１１０ｂあるいは第一の上部包装硬貨収納ボックス１１０ａ内に、包装硬貨ロールＣが収納されていないと判定したときは、ＣＰＵ７０が、第二の上部包装硬貨収納ボックス１１０ｂあるいは第一の上部包装硬貨収納ボックス１１０ａを選択するように構成されるとともに、オペレータが、硬貨包装機に、とくに包装硬貨ロールＣを第一の上部包装硬貨収納ボックス１１０ａあるいは第二の上部包装硬貨収納ボックス１１０ｂ内に収納すべき旨を指示した場合にのみ、第一の上部包装硬貨収納ボックス１１０ａあるいは第二の上部包装硬貨収納ボックス１１０ｂ内に、包装硬貨ロールＣが収納されるように構成されており、したがって、本実施態様においては、第一の包装硬貨収納サブボックスグループを構成する第一の包装硬貨収納サブボックス４０ａあるいは第二の包装硬貨収納サブボックス４０ｂ内に、包装硬貨ロールＣを収納させているときに、第二の包装硬貨収納サブボックスグループを構成する第三の包装硬貨収納サブボックス４０ｃおよび／または第四の包装硬貨収納サブボックス４０ｄ内に収納されている包装硬貨ロールＣを回収し、第二の包装硬貨収納サブボックスグループを構成する第三の包装硬貨収納サブボックス４０ｃあるいは第四の包装硬貨収納サブボックス４０ｄ内に、包装硬貨ロールＣを収納させているときに、第一の包装硬貨収納サブボックスグループを構成する第一の包装硬貨収納サブボックス４０ａおよび／または第二の包装硬貨収納サブボックス４０ｂ内に収納されている包装硬貨ロールＣを回収するようには、構成されていない。
【０３５３】
本実施態様によれば、硬貨包装機は、その下部に、着脱可能に取り付けられた包装硬貨収納ボックス４０に加えて、その上部に、着脱可能に取り付けられた第一の上部包装硬貨収納ボックス１１０ａおよび第二の上部包装硬貨収納ボックス１１０ｂを備えており、３つの包装硬貨収納ボックスを備えているから、大量の硬貨を包装処理する場合においても、包装処理を中断することなく、長時間にわたって、連続して、硬貨包装機を動作させて、硬貨を包装することができ、きわめて効率的に、硬貨を包装して、包装硬貨ロールＣを生成することが可能になる。
【０３５４】
本発明は、以上の実施態様に限定されることなく、特許請求の範囲に記載された発明の範囲内で種々の変更が可能であり、それらも本発明の範囲内に包含されるものであることはいうまでもない。
【０３５５】
たとえば、図１ないし図１１に示された実施態様においては、第一の包装硬貨収納サブボックスグループを構成する第一の包装硬貨収納サブボックス４０ａあるいは第二の包装硬貨収納サブボックス４０ｂ内に、包装硬貨ロールＣを収納させているときに、第二の包装硬貨収納サブボックスグループを構成する第三の包装硬貨収納サブボックス４０ｃおよび／または第四の包装硬貨収納サブボックス４０ｄ内に収納されている包装硬貨ロールＣを回収し、第二の包装硬貨収納サブボックスグループを構成する第三の包装硬貨収納サブボックス４０ｃあるいは第四の包装硬貨収納サブボックス４０ｄ内に、包装硬貨ロールＣを収納させているときに、第一の包装硬貨収納サブボックスグループを構成する第一の包装硬貨収納サブボックス４０ａおよび／または第二の包装硬貨収納サブボックス４０ｂ内に収納されている包装硬貨ロールＣを回収するように構成され、したがって、第一の包装硬貨収納サブボックスグループを構成する第一の包装硬貨収納サブボックス４０ａおよび第二の包装硬貨収納サブボックス４０ｂが、硬貨包装機内に位置するように、包装硬貨収納ボックス４０が硬貨包装機に取り付けられているときは、第二の包装硬貨収納サブボックスグループを構成する第三の包装硬貨収納サブボックス４０ｃおよび第四の包装硬貨収納サブボックス４０ｄの内部空間が、硬貨包装機の外部に、アクセス可能に露出し、オペレータが、第三の包装硬貨収納サブボックス４０ｃおよび／または第四の包装硬貨収納サブボックス４０ｄ内に収納されている包装硬貨ロールを取り出すことができ、一方、第二の包装硬貨収納サブボックスグループを構成する第三の包装硬貨収納サブボックス４０ｃおよび第四の包装硬貨収納サブボックス４０ｄが、硬貨包装機内に位置するように、包装硬貨収納ボックス４０が硬貨包装機に取り付けられているときは、第一の包装硬貨収納サブボックスグループを構成する第一の包装硬貨収納サブボックス４０ａおよび第二の包装硬貨収納サブボックス４０ｂの内部空間が、硬貨包装機の外部に、アクセス可能に露出し、オペレータが、第一の包装硬貨収納サブボックス４０ａおよび／または第二の包装硬貨収納サブボックス４０ｂ４０ｄ内に収納されている包装硬貨ロールを取り出すことができるように、硬貨硬貨収納ボックス４０のサイズおよび硬貨包装機内の取り付け位置が決定されているが、第一の包装硬貨収納サブボックスグループを構成する第一の包装硬貨収納サブボックス４０ａあるいは第二の包装硬貨収納サブボックス４０ｂ内に、包装硬貨ロールＣを収納させているときに、第二の包装硬貨収納サブボックスグループを構成する第三の包装硬貨収納サブボックス４０ｃおよび／または第四の包装硬貨収納サブボックス４０ｄ内に収納されている包装硬貨ロールＣを回収し、第二の包装硬貨収納サブボックスグループを構成する第三の包装硬貨収納サブボックス４０ｃあるいは第四の包装硬貨収納サブボックス４０ｄ内に、包装硬貨ロールＣを収納させているときに、第一の包装硬貨収納サブボックスグループを構成する第一の包装硬貨収納サブボックス４０ａおよび／または第二の包装硬貨収納サブボックス４０ｂ内に収納されている包装硬貨ロールＣを回収することは必ずしも必要でなく、第一の包装硬貨収納サブボックスグループを構成する第一の包装硬貨収納サブボックス４０ａおよび第二の包装硬貨収納サブボックス４０ｂの少なくとも一方ならびに第二の包装硬貨収納サブボックスグループを構成する第三の包装硬貨収納サブボックス４０ｃおよび第四の包装硬貨収納サブボックス４０ｄの少なくとも一方に、包装硬貨ロールＣが収納され、それ以上、包装硬貨ロールＣを収納させることができくなった場合には、その包装硬貨収納ボックス４０から、包装硬貨ロールＣを回収することなく、その包装硬貨収納ボックス４０を硬貨包装機から取り外し、包装硬貨ロールＣが収納されていない新たな包装硬貨収納ボックス４０を硬貨包装機に取り付けて、硬貨の包装および包装硬貨ロールＣの収納を続行させることもできる。この場合には、第一の包装硬貨収納サブボックスグループを構成する第一の包装硬貨収納サブボックス４０ａおよび第二の包装硬貨収納サブボックス４０ｂの少なくとも一方ならびに第二の包装硬貨収納サブボックスグループを構成する第三の包装硬貨収納サブボックス４０ｃおよび第四の包装硬貨収納サブボックス４０ｄの少なくとも一方に、包装硬貨ロールＣが収納され、それ以上、包装硬貨ロールＣを収納させることができないと判定したときに、ＣＰＵ７０が、包装硬貨収納ボックス４０を硬貨包装機から取り外し、新たな包装硬貨収納ボックス４０を硬貨包装機に取り付けるべき旨を、ディスプレイパネル１０５に表示させるように構成される。
【０３５６】
また、図１ないし図１１に示された実施態様においては、硬貨の包装処理開始時に、生成された包装硬貨ロールＣは、オペレータの指定にしたがって、あるいは、ＲＯＭ７１に記憶された包装硬貨収納ボックス選択用データにしたがって、第一の包装硬貨収納サブボックスグループを構成する第一の包装硬貨収納サブボックス４０ａおよび第二の包装硬貨収納サブボックス４０ｂの一方あるいは第二の包装硬貨収納サブボックスグループを構成する第三の包装硬貨収納サブボックス４０ｃおよび第四の包装硬貨収納サブボックス４０ｄの一方に収納された結果、ＣＰＵ７０が、第一の包装硬貨収納サブボックスグループを構成する第一の包装硬貨収納サブボックス４０ａおよび第二の包装硬貨収納サブボックス４０ｂの一方あるいは第二の包装硬貨収納サブボックスグループを構成する第三の包装硬貨収納サブボックス４０ｃおよび第四の包装硬貨収納サブボックス４０ｄの一方に、それ以上、包装硬貨ロールＣを収納させることができないと判定し、新たに、包装硬貨ロールＣを収納すべき包装硬貨収納サブボックスを提案したときに、オペレータがＣＰＵ７０の提案に同意しないことができるように構成されているが、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄは、いずれも、包装硬貨収納ボックス４０内に設けられたものであるから、オペレータの意思を尊重することなく、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄの中から、自動的に、新たに、包装硬貨ロールＣを収納すべき包装硬貨収納サブボックスを決定しても、包装硬貨ロールＣの回収が困難になることはなく、したがって、オペレータの意思を問うことなく、硬貨包装機が、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄの中から、自動的に、新たに、包装硬貨ロールＣを収納すべき包装硬貨収納サブボックスを決定するようにしてもよい。
【０３５７】
さらに、図１ないし図１１に示された実施態様においては、硬貨の包装処理開始時に、生成された包装硬貨ロールＣは、オペレータの指定にしたがって、あるいは、ＲＯＭ７１に記憶された包装硬貨収納ボックス選択用データにしたがって、第一の包装硬貨収納サブボックスグループを構成する第一の包装硬貨収納サブボックス４０ａおよび第二の包装硬貨収納サブボックス４０ｂの一方あるいは第二の包装硬貨収納サブボックスグループを構成する第三の包装硬貨収納サブボックス４０ｃおよび第四の包装硬貨収納サブボックス４０ｄの一方に収納されるように構成されているが、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄは、いずれも、包装硬貨収納ボックス４０内に設けられたものであるから、オペレータの意思を尊重することなく、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄの中から、自動的に、生成された包装硬貨ロールＣを決定しても、包装硬貨ロールＣの回収が困難になることはなく、したがって、オペレータの意思を問うことなく、硬貨の包装処理開始時に、硬貨包装機が、第一の包装硬貨収納サブボックス４０ａ、第二の包装硬貨収納サブボックス４０ｂ、第三の包装硬貨収納サブボックス４０ｃおよび第四の包装硬貨収納サブボックス４０ｄの中から、自動的に、包装硬貨ロールＣを収納すべき包装硬貨収納サブボックスを決定するようにしてもよい。
【０３５８】
また、図１２および図１３に示された実施態様においては、オペレータが、硬貨包装機に、とくに包装硬貨ロールＣを上部包装硬貨収納ボックス１１０内に収納すべき旨を指示した場合にのみ、上部包装硬貨収納ボックス１１０内に、包装硬貨ロールＣが収納されるように構成されているが、オペレータが、硬貨包装機に、とくに包装硬貨ロールＣを上部包装硬貨収納ボックス１１０内に収納すべき旨を指示しない場合においても、ＲＯＭ７１に記憶された包装硬貨収納ボックス選択用データにしたがって、第一の包装硬貨収納サブボックス４０ａ、第二の包装硬貨収納サブボックス４０ｂ、第三の包装硬貨収納サブボックス４０ｃ、第四の包装硬貨収納サブボックス４０ｄおよび上部包装硬貨収納ボックス１１０のいずれかが選択されるように、構成することもできる。
【０３５９】
さらに、図１４に示された実施態様においては、オペレータが、硬貨包装機に、とくに包装硬貨ロールＣをとくに包装硬貨ロールＣを第一の上部包装硬貨収納ボックス１１０ａあるいは第二の上部包装硬貨収納ボックス１１０ｂ内に収納すべき旨を指示した場合にのみ、第一の上部包装硬貨収納ボックス１１０ａあるいは第二の上部包装硬貨収納ボックス１１０ｂ内に、包装硬貨ロールＣが収納されるように構成されているが、オペレータが、硬貨包装機に、とくに包装硬貨ロールＣをとくに包装硬貨ロールＣを第一の上部包装硬貨収納ボックス１１０ａあるいは第二の上部包装硬貨収納ボックス１１０ｂ内に収納すべき旨を指示しない場合においても、ＲＯＭ７１に記憶された包装硬貨収納ボックス選択用データにしたがって、第一の包装硬貨収納サブボックス４０ａ、第二の包装硬貨収納サブボックス４０ｂ、第三の包装硬貨収納サブボックス４０ｃ、第四の包装硬貨収納サブボックス４０ｄ、第一の上部包装硬貨収納ボックス１１０ａおよび第二の上部包装硬貨収納ボックス１１０ｂのいずれかが選択されるように、構成することもできる。
【０３６０】
また、前記実施態様においては、硬貨包装機は、第一の包装処理モードおよび第二の包装処理モードを実行可能で、オペレータによって指定された金種の硬貨の包装および硬貨包装機内に投入されたすべての硬貨の金種別包装を実行可能に構成されているが、硬貨包装機が、第一の包装処理モードおよび第二の包装処理モードを実行可能に構成されていることは必ずしも必要でなく、第一の包装処理モードおよび第二の包装処理モードの一方の包装処理モードのみを実行可能に構成されていてもよく、さらには、第一の包装処理モードおよび第二の包装処理モードに加えて、他の処理モード、たとえば、硬貨包装機内に投入された硬貨から、受け入れ可能な硬貨を選別するとともに、金種別の枚数を計数する計数処理モードを実行可能に構成されていてもよい。
【０３６１】
さらに、図１２および図１３に示された実施態様においては、硬貨包装機は、硬貨包装機の下部に取り付けられる包装硬貨収納ボックス４０内に形成された４つの包装硬貨収納サブボックス４０ａ、４０ｂ、４０ｃ、４０ｄに加えて、上部包装硬貨収納ボックス１１０を備え、さらに、図１４に示された実施態様においては、硬貨包装機は、硬貨包装機の下部に取り付けられる包装硬貨収納ボックス４０内に形成された４つの包装硬貨収納サブボックス４０ａ、４０ｂ、４０ｃ、４０ｄに加えて、第一の上部包装硬貨収納ボックス１１０ａおよび第二の上部包装硬貨収納ボックス１１０ｂを備えているが、硬貨包装機は、硬貨包装機の下部に取り付けられる包装硬貨収納ボックス４０内に形成された４つの包装硬貨収納サブボックス４０ａ、４０ｂ、４０ｃ、４０ｄを備えていればよく、硬貨包装機の下部に取り付けられる包装硬貨収納ボックス４０内に形成された４つの包装硬貨収納サブボックス４０ａ、４０ｂ、４０ｃ、４０ｄに加えて、硬貨包装機に設けられる包装硬貨収納ボックスの数はとくに限定されるものではない。
【図面の簡単な説明】
【０３６２】
【図１】図１は、本発明の好ましい実施態様にかかる硬貨包装機の略平面図である。
【図２】図２は、図１のＡ−Ａ線に沿った略断面図である。
【図３】図３は、図１のＢ−Ｂ線に沿った略断面図である。
【図４】図４は、ストッパの略斜視図である。
【図５】図５は、硬貨包装部の詳細を示す略平面図である。
【図６】図６は、包装硬貨収納ボックスの略斜視図である。
【図７】図７は、第一の硬貨回収口および第二の硬貨回収口の近傍の硬貨通路４の略平面図である。
【図８】図８は、硬貨包装機の包装硬貨ロール分配収納機構近傍の詳細を示す略断面図である。
【図９】図９は、硬貨包装部によって生成され、シュートを介して、包装硬貨分配手段に供給された包装硬貨ロールを、第一の包装硬貨収容サブボックス内に収納させる場合の包装硬貨分配手段および包装硬貨搬送部材の状態を示す略断面図である。
【図１０】図１０は、硬貨包装部によって生成され、シュートを介して、包装硬貨分配手段に供給された包装硬貨ロールを、第二の包装硬貨収容サブボックス内に収納させる場合の包装硬貨分配手段および包装硬貨搬送部材の状態を示す略断面図である。
【図１１】図１１は、図１ないし図１０に示された硬貨包装機の制御系、検出系、駆動系、入力系および表示系のブロックダイアグラムである。
【図１２】図１２は、本発明の別の好ましい実施態様にかかる硬貨包装機の包装硬貨ロール分配収納機構近傍の略断面図である。
【図１３】図１３は、硬貨包装部によって生成され、シュートを介して、包装硬貨分配手段に供給された包装硬貨ロールを、上部包装硬貨収容ボックスに収納させる場合に、包装硬貨ロールを、包装硬貨リフトの包装硬貨搬送部材に受け渡すときの包装硬貨分配手段および包装硬貨搬送部材の状態を示す略断面図である。
【図１４】図１４は、本発明の他の好ましい実施態様にかかる硬貨包装機の包装硬貨ロール分配収納機構近傍の略断面図である。
【符号の説明】
【０３６３】
１  上部ホッパ
２  第一の回転円板
３  第二の回転円板
４  硬貨通路
４ａ  方向転換部
５ａ  プーリ
５  搬送ベルト
６ａ、６ｂ  ガイドレール
７  硬貨検出部
８  第一の硬貨回収口
８ａ  センサ
８ｂ  センサ
８ｃ  切欠き部
８ｄ  第一の突出部材
９  第二の硬貨回収口
９ａ  センサ
９ｂ  センサ
９ｃ  切欠き部
９ｄ  第二の突出部材
１０  硬貨集積部
１０ａ、１０ｂ  集積ドラム
１１  ストッパ
１１ａ  ストッパの突出部
１１ｂ  ストッパの底部
１１ｃ  ストッパの回転軸
１２  螺線状の突起
１３  シャッタ
２０  硬貨包装部
２１  包装ローラ
２２  硬貨支持ポスト
２３  包装用フイルムロール
２４  供給ローラ
２５  カッタ
２６  加締爪
３０  第一の硬貨回収通路
３１  硬貨回収ボックス
３２  第二の硬貨回収通路
３５  下部ホッパ
３６  搬送ベルト
３７  硬貨リフトベルト
３７ａ  櫛歯状の突起
３８  供給ベルト
４０  包装硬貨収納ボックス
４０ａ  第一の包装硬貨収納サブボックス
４０ｂ  第二の包装硬貨収納サブボックス
４０ｃ  第三の包装硬貨収納サブボックス
４０ｄ  第四の包装硬貨収納サブボックス
４１  第一の開口部
４２  第二の開口部
４３  第一の包装硬貨センサ
４４  第二の包装硬貨センサ
４５  仕切り部材
４５ａ、４５ｂ  板状部材
４６  床面
４７  キャスター
４８ａ  第一の識別子
４８ｂ  第二の識別子
５０  シュート
５１  包装硬貨分配手段
５２  支軸
５３  第一の包装硬貨支持部材
５３ａ  第一の包装硬貨支持部材の支持部
５３ｂ  第一の包装硬貨支持部材の分配部
５４  第二の包装硬貨支持部材
５５  端数硬貨回収ボックス
５６  ガイド板
５７  ガイド部材
５７ａ  第一のガイド面
５７ｂ  第二のガイド面
６０  光学センサ
７０  ＣＰＵ
７１  ＲＯＭ
７２  ＲＡＭ
７３  バス
７４  Ｉ／Ｏポート
８０  第一の回転円板モータ
８１  第二の回転円板モータ
８２  搬送ベルトモータ
８３  第一のソレノイド
８４  第二のソレノイド
８５  ストッパソレノイド
８６  集積ドラムモータ
８７  シャッタソレノイド
８８  ポスト移動機構
８９  搬送ローラ駆動機構
９０  供給ローラモータ
９１  加締爪駆動機構
９２  分配手段モータ
９４  下部搬送ベルトモータ
９５  リフトモータ
９６  供給ベルトモータ
１００  操作部
１０５  ディスプレイパネル
１０６  アラーム手段
１１０  上部包装硬貨収納ボックス
１１０ａ  第一の上部包装硬貨収納ボックス
１１０ｂ  第二の上部包装硬貨収納ボックス
１２０  包装硬貨リフト
１２１  プーリ
１２２  チェーンベルト
１２３  包装硬貨搬送部材
１２３ａ  取り付け部
１２３ｂ  軸
１２３ｃ  板部材
１２３ｄ  ローラ
１２４ａ  係合部
１２４ｂ  係合部材
１２５  包装硬貨リフトの上部開口部
１２５ａ  包装硬貨リフトの第一の上部開口部
１２５ｂ  包装硬貨リフトの第二の上部開口部
１２６  上部包装硬貨センサ
１２６ａ  第一の上部包装硬貨センサ
１２６ｂ  第二の上部包装硬貨センサ
【図１】
2006202185.tif 000003
【図２】
2006202185.tif 000004
【図３】
2006202185.tif 000005
【図４】
2006202185.tif 000006
【図５】
2006202185.tif 000007
【図６】
2006202185.tif 000008
【図７】
2006202185.tif 000009
【図８】
2006202185.tif 000010
【図９】
2006202185.tif 000011
【図１０】
2006202185.tif 000012
【図１１】
2006202185.tif 000013
【図１２】
2006202185.tif 000014
【図１３】
2006202185.tif 000015
【図１４】
2006202185.tif 000016